(57)【特許請求の範囲】
【請求項１】
第１辺を有する半導体基板と、
前記半導体基板上に絶縁層を介して形成された、第１コイル、第２コイル、第３コイル、第４コイル、ボンディング用の第１パッド、ボンディング用の第２パッドおよびボンディング用の第３パッドと、
を有する半導体装置であって、
前記第１コイルおよび前記第３コイルは、電気的に前記第１パッドと前記第２パッドとの間に直列に接続され、
前記第１コイルと前記第３コイルとの間に前記第３パッドが電気的に接続され、
前記第２コイルおよび前記第４コイルは、電気的に直列に接続され、
前記第１コイルは、前記第２コイルの上方に配置され、
前記第３コイルは、前記第４コイルの上方に配置され、
前記第１および第３コイルと前記第１および第２パッドとは、前記第１辺の延在する第１方向に沿って、並んで配置され、
前記第１パッドは、前記第１コイルの内側に配置され、且つ前記第１コイルの一端と接続され、
前記第２パッドは、前記第３コイルの内側に配置され、且つ前記第３コイルの一端と接続され、
前記第３パッドは、前記第１コイルと前記第３コイルとの間以外の領域に配置され、
前記第１コイルと前記第３コイルの間には第１配線が設置され、
前記第１配線の一端部は、平面視において前記第１コイルの他端に接続され、
前記第１配線の他端部は、平面視において前記第３パッドに接続され、
前記第３コイルの他端は、平面視において前記第１コイルと前記第３コイルの間の領域において、前記第１配線と接続されており、
前記第１コイルと前記第３コイルとの間の距離は、前記第１方向において前記第３パッドの辺の長さよりも小さく、
前記第１コイルと前記第２コイルとは、導体では接続されずに磁気的に結合され、
前記第３コイルと前記第４コイルとは、導体では接続されずに磁気的に結合され、
直列に接続された前記第２コイルおよび前記第４コイルに電流を流したときに、前記第１コイルおよび前記第３コイルに流れる誘導電流の向きは、前記第１コイルと前記第３コイルとで反対向きである、半導体装置。
【請求項２】
請求項１記載の半導体装置において、
直列に接続された前記第２コイルおよび前記第４コイルに電流を流したときに、前記第２コイルと前記第４コイルとで流れる電流の向きは反対向きである、半導体装置。
【請求項３】
請求項２記載の半導体装置において、
更に第２配線を含み、
前記第２配線は、前記第２コイルと前記第４コイルの間に設置され、且つ前記第１方向と交差する第２方向に沿って配置され、
前記第２コイルの一端は、前記第２コイルの内側に配置され、且つ第１ビアと接続され、
前記第４コイルの一端は、前記第４コイルの内側に配置され、且つ第２ビアと接続され、
前記第２コイルの他端は、前記第２配線の一端部と接続され、
前記第４コイルの他端は、前記第２配線の他端部と接続されている、半導体装置。
【請求項４】
請求項３記載の半導体装置において、
前記第２配線の幅は、前記第２コイルおよび前記第４コイルの配線幅よりも大きい、半導体装置。
【請求項５】
請求項３記載の半導体装置において、
前記第２コイルの一端は、断面視において前記第１ビアを介して第３配線に接続されており、
前記第３配線は、平面視において前記第２コイルの内から外へ向かって延在する、半導体装置。
【請求項６】
請求項５記載の半導体装置において、
前記第１コイルの巻き方向と前記第３コイルの巻き方向とは同じである、半導体装置。
【請求項７】
請求項６記載の半導体装置において、
前記第２コイルの巻き方向と前記第４コイルの巻き方向とは同じである、半導体装置。
【請求項８】
請求項７記載の半導体装置において、
前記第１配線は、前記第１コイルと前記第３コイルとの間から、前記第３パッドまで延在する、半導体装置。
【請求項９】
請求項８記載の半導体装置において、
前記第１配線の幅は、前記第１および第３コイルの配線幅よりも大きい、半導体装置。
【請求項１０】
請求項３記載の半導体装置において、
前記第１コイル、前記第３コイルおよび前記第１配線は同層に形成され、
前記第２コイル、前記第４コイルおよび前記第２配線は同層に形成されている、半導体装置。
【請求項１１】
請求項５記載の半導体装置において、
前記第１コイル、前記第２コイル、前記第３コイルおよび前記第４コイルとは異なる層に、前記第１コイルおよび前記第３コイルの一方または両方と平面視で重なるように延在する前記第３配線が形成されており、
前記第３配線は、前記第１コイルおよび前記第３コイルの一方または両方と平面視で重なる位置にスリットを有している、半導体装置。
【請求項１２】
請求項１１記載の半導体装置において、
前記第３配線は、前記第２コイルおよび前記第４コイルよりも下層に形成されている、半導体装置。
【請求項１３】
第１辺を有する第１半導体チップと、第２半導体チップと、を含む半導体装置であって、
前記第１半導体チップは、第１コイル、第２コイル、第３コイル、第４コイル、第１パッド、第２パッドおよび第３パッドを有し、
前記第２半導体チップは、複数の第４パッドを有し、
前記第１コイルおよび前記第３コイルは、電気的に前記第１パッドと前記第２パッドとの間に直列に接続され、
前記第１コイルと前記第３コイルとの間に前記第３パッドが電気的に接続され、
前記第２コイルおよび前記第４コイルは、電気的に直列に接続され、
前記第１半導体チップ内において、前記第１コイルは前記第２コイルの上方に配置され、かつ、前記第３コイルは前記第４コイルの上方に配置され、
前記第１コイルと前記第２コイルとは、導体では接続されずに磁気的に結合され、
前記第３コイルと前記第４コイルとは、導体では接続されずに磁気的に結合され、
前記第１半導体チップの前記第１パッド、前記第２パッドおよび前記第３パッドは、前記第２半導体チップの前記複数の第４パッドにそれぞれ導電性の接続用部材を介して電気的に接続され、
前記第１および第３コイルと前記第１および第２パッドとは、前記第１辺の延在する第１方向に沿って、並んで配置され、
前記第１パッドは、前記第１コイルの内側に配置され、且つ前記第１コイルの一端と接続され、
前記第２パッドは、前記第３コイルの内側に配置され、且つ前記第３コイルの一端と接続され、
前記第３パッドは、前記第１コイルと前記第３コイルとの間以外の領域に配置され、
前記第１コイルと前記第３コイルの間には第１配線が設置され、
前記第１配線の一端部は、平面視において前記第１コイルの他端に接続され、
前記第１配線の他端部は、平面視において前記第３パッドに接続され、
前記第３コイルの他端は、平面視において前記第１コイルと前記第３コイルの間の領域において、前記第１配線と接続されており、
前記第１コイルと前記第３コイルとの間の距離は、前記第１方向において前記第３パッドの辺の長さよりも小さく、
直列に接続された前記第２コイルおよび前記第４コイルに電流を流したときに、前記第１コイルおよび前記第３コイルに流れる誘導電流の向きは、前記第１コイルと前記第３コイルとで反対向きである、半導体装置。
【請求項１４】
請求項１３記載の半導体装置において、
前記第１半導体チップは、送信回路を有し、
前記第２半導体チップは、受信回路を有し、
前記第１半導体チップの前記送信回路から送信した信号を、前記第１コイル、前記第２コイル、前記第３コイルおよび前記第４コイルを介して、前記第２半導体チップの受信回路に伝達する、半導体装置。
【請求項１５】
請求項１４記載の半導体装置において、
直列に接続された前記第２コイルおよび前記第４コイルに電流を流したときに、前記第２コイルと前記第４コイルとで流れる電流の向きは反対向きである、半導体装置。
【請求項１６】
請求項１５記載の半導体装置において、
前記第１パッドは、第１ボンディングワイヤを介して第２半導体チップに電気的に接続され、
前記第２パッドは、第２ボンディングワイヤを介して前記第２半導体チップに電気的に接続され、
前記第１半導体チップと前記第２半導体チップは、平面視において重ならない、半導体装置。
【請求項１７】
請求項１３記載の半導体装置において、
前記第１コイルおよび前記第２コイルとは異なる層に、前記第１コイルに平面視で重なるように延在する第２配線が形成されており、
前記第２配線は、前記第２コイルよりも下層に形成されており、
前記第２配線は、前記第１コイルと平面視で重なる位置にスリットを有している、半導体装置。
【請求項１８】
請求項１または１３記載の半導体装置において、
前記第１、第２、第３および第４コイルの少なくとも一つは、平面視において八角形をしている、半導体装置。
【発明の詳細な説明】
【技術分野】
【０００１】
本発明は、半導体装置に関し、例えば、コイルを備えた半導体装置に好適に利用できるものである。
【背景技術】
【０００２】
入力される電気信号の電位が互いに異なる２つの回路の間で電気信号を伝達する技術として、フォトカプラを用いた技術がある。フォトカプラは、発光ダイオードなどの発光素子とフォトトランジスタなどの受光素子を有しており、入力された電気信号を発光素子で光に変換し、この光を受光素子で電気信号に戻すことにより、電気信号を伝達している。【０００３】
また、２つのインダクタを磁気結合（誘導結合）させることにより、電気信号を伝達する技術が開発されている。【０００４】
特開２００８―３００８５１号公報（特許文献１）には、磁気カプラ素子および磁気結合型アイソレータに関する技術が開示されている。
【先行技術文献】
【特許文献】
【０００５】
【特許文献１】特開２００８―３００８５１号公報
【発明の概要】
【発明が解決しようとする課題】
【０００６】
入力される電気信号の電位が互いに異なる２つの回路の間で電気信号を伝達する技術として、フォトカプラを用いた技術があるが、フォトカプラは、発光素子と受光素子を有しているため、小型化が難しい。また、電気信号の周波数が高い場合には電気信号に追従できなくなるなど、その採用に限界がある。【０００７】
一方、磁気結合させたインダクタにより電気信号を伝達する半導体装置においては、インダクタを半導体装置の微細加工技術を用いて形成することができるため、装置の小型化を図ることができ、また、電気的特性も良好である。このため、その開発を進めることが望まれる。【０００８】
このため、そのようなインダクタを備えた半導体装置においても、できるだけ性能を向上させることが望まれる。【０００９】
その他の課題と新規な特徴は、本明細書の記述および添付図面から明らかになるであろう。
【課題を解決するための手段】
【００１０】
一実施の形態によれば、半導体装置は、半導体基板上に形成された第１コイル、第２コイル、第３コイル、第４コイル、第１パッド、第２パッドおよび第３パッドを有している。第１コイルおよび第３コイルは、電気的に第１パッドと第２パッドとの間に直列に接続され、第１コイルと第３コイルとの間に第３パッドが電気的に接続され、第２コイルおよび第４コイルは電気的に直列に接続されている。第１コイルと第２コイルは磁気的に結合され、第３コイルと第４コイルは磁気的に結合され、直列に接続された第２コイルおよび第４コイルに電流を流したときに、第１コイルおよび第３コイルに流れる誘導電流の向きは、第１コイルと第３コイルとで反対向きである。【００１１】
また、一実施の形態によれば、半導体装置は、第１コイルと第２コイルと第３コイルと第４コイルと第１パッドと第２パッドと第３パッドとを有する第１半導体チップと、複数の第４パッドを有する第２半導体チップとを含んでいる。第１コイルおよび第３コイルは、電気的に第１パッドと第２パッドとの間に直列に接続され、第１コイルと第３コイルとの間に第３パッドが電気的に接続され、第２コイルおよび第４コイルは電気的に直列に接続されている。第１半導体チップの第１パッド、第２パッドおよび第３パッドは、第２半導体チップの複数の第４パッドにそれぞれ導電性の接続用部材を介して電気的に接続されている。第１コイルと第２コイルは磁気的に結合され、第３コイルと第４コイルは磁気的に結合され、直列に接続された第２コイルおよび第４コイルに電流を流したときに、第１コイルおよび第３コイルに流れる誘導電流の向きは、第１コイルと第３コイルとで反対向きである。【００１２】
また、一実施の形態によれば、半導体装置は、半導体基板上に形成された第１コイルおよび第２コイルを有しており、第１コイルと第２コイルは磁気的に結合され、第１コイルおよび第２コイルとは異なる層に第１コイルに平面視で重なるように延在する第１配線が形成されている。そして、第１配線は、第１コイルと平面視で重なる位置にスリットを有している。
【発明の効果】
【００１３】
一実施の形態によれば、半導体装置の性能を向上させることができる。
【図面の簡単な説明】
【００１４】
【図１】実施の形態１の半導体装置を用いた電子装置の一例を示す回路図である。
【図２】信号の伝送例を示す説明図である。
【図３】実施の形態１の半導体チップの断面構造を概念的に示す断面図である。
【図４】実施の形態１の半導体チップの断面構造を概念的に示す断面図である。
【図５】実施の形態１の半導体チップの要部平面図である。
【図６】実施の形態１の半導体チップの要部平面図である。
【図７】実施の形態１の半導体チップの要部平面図である。
【図８】実施の形態１の半導体チップの要部断面図である。
【図９】実施の形態１の半導体チップの要部断面図である。
【図１０】実施の形態１の半導体チップの要部断面図である。
【図１１】実施の形態１の半導体チップ内に形成されたトランスの回路構成を示す回路図である。
【図１２】第１検討例の半導体チップの要部平面図である。
【図１３】第１検討例の半導体チップの要部平面図である。
【図１４】第１変形例の半導体チップの要部平面図である。
【図１５】第１変形例の半導体チップの要部平面図である。
【図１６】コイル間の距離と結合係数との相関を示すグラフである。
【図１７】図１６のグラフを得るシミュレーションに用いたコイルパターンを示す平面図である。
【図１８】図１６のグラフを得るシミュレーションに用いたコイルパターンを示す平面図である。
【図１９】実施の形態１の半導体パッケージを示す平面図である。
【図２０】実施の形態１の半導体パッケージを示す断面図である。
【図２１】実施の形態２の半導体チップの要部平面図である。
【図２２】実施の形態２の半導体チップの要部平面図である。
【図２３】実施の形態２の半導体チップの要部平面図である。
【図２４】実施の形態２の半導体チップの要部断面図である。
【図２５】実施の形態２の半導体チップの要部平面図である。
【図２６】実施の形態２の半導体チップの要部平面図である。
【図２７】実施の形態２の半導体チップの要部平面図である。
【図２８】実施の形態２の半導体チップの要部断面図である。
【図２９】実施の形態２の半導体チップの要部断面図である。
【図３０】実施の形態２の半導体チップの要部断面図である。
【図３１】実施の形態２の半導体チップの要部断面図である。
【図３２】実施の形態３の半導体チップの要部平面図である。
【図３３】実施の形態３の半導体チップの要部平面図である。
【図３４】実施の形態３の半導体チップの要部平面図である。
【図３５】実施の形態３の半導体チップの要部断面図である。
【図３６】実施の形態３の半導体チップの要部斜視図である。
【図３７】実施形態３の半導体チップにおける内部配線の他の例を示す要部平面図である。
【図３８】実施の形態３の半導体チップの要部平面図である。
【図３９】第１検討例に実施の形態３の技術思想を適用した場合の平面図である。
【図４０】第１検討例に実施の形態３の技術思想を適用した場合の平面図である。
【図４１】第１検討例に実施の形態３の技術思想を適用した場合の平面図である。
【発明を実施するための形態】
【００１５】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。さらに、以下の実施の形態において、その構成要素（要素ステップ等も含む）は、特に明示した場合および原理的に明らかに必須であると考えられる場合等を除き、必ずしも必須のものではないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００１６】
以下、実施の形態を図面に基づいて詳細に説明する。なお、実施の形態を説明するための全図において、同一の機能を有する部材には同一の符号を付し、その繰り返しの説明は省略する。また、以下の実施の形態では、特に必要なとき以外は同一または同様な部分の説明を原則として繰り返さない。
【００１７】
また、実施の形態で用いる図面においては、断面図であっても図面を見易くするためにハッチングを省略する場合もある。また、平面図であっても図面を見易くするためにハッチングを付す場合もある。
【００１８】
（実施の形態１）
＜回路構成について＞
図１は、一実施の形態の半導体装置（半導体チップ）を用いた電子装置（半導体装置）の一例を示す回路図である。なお、図１において、点線で囲まれた部分が、半導体チップＣＰ１内に形成され、一点鎖線で囲まれた部分が半導体チップＣＰ２内に形成され、二点差線で囲まれた部分が半導体パッケージＰＫＧ内に形成されている。
【００１９】
図１に示される電子装置は、半導体チップＣＰ１，ＣＰ２を内蔵する半導体パッケージＰＫＧを備えている。半導体チップＣＰ１内には、送信回路ＴＸ１および受信回路ＲＸ２と制御回路ＣＣとが形成され、半導体チップＣＰ２内には、受信回路ＲＸ１および送信回路ＴＸ２と駆動回路ＤＲとが形成されている。
【００２０】
送信回路ＴＸ１および受信回路ＲＸ１は、制御回路ＣＣからの制御信号を駆動回路ＤＲに伝達するための回路である。また、送信回路ＴＸ２および受信回路ＲＸ２は、駆動回路ＤＲからの信号を制御回路ＣＣに伝達するための回路である。制御回路ＣＣは、駆動回路ＤＲを制御または駆動し、駆動回路ＤＲは、負荷ＬＯＤを駆動する。半導体チップＣＰ１，ＣＰ２は半導体パッケージＰＫＧに内蔵され、負荷ＬＯＤは、半導体パッケージＰＫＧの外部に設けられている。
【００２１】
送信回路ＴＸ１と受信回路ＲＸ1との間には、磁気結合（誘導結合）したコイル（インダクタ）ＣＬ１ａ，ＣＬ２ａからなるトランス（変成器、変換器、磁気結合素子、電磁結合素子）ＴＲ１が介在しており、送信回路ＴＸ１から受信回路ＲＸ１へ、このトランスＴＲ１を介して（すなわち磁気結合したコイルＣＬ１ａ，ＣＬ２ａを介して）信号を伝達することができる。これにより、半導体チップＣＰ２内の受信回路ＲＸ１は、半導体チップＣＰ１内の送信回路ＴＸ１が送信した信号を受信することができる。従って、制御回路ＣＣは、送信回路ＴＸ１、トランスＴＲ１および受信回路ＲＸ１を介して、駆動回路ＤＲに信号（制御信号）を伝達することができる。このトランスＴＲ１（コイルＣＬ１ａ，ＣＬ２ａ）は、半導体チップＣＰ１内に形成されている。コイルＣＬ１ａおよびコイルＣＬ２ａは、それぞれインダクタとみなすこともできる。また、トランスＴＲ１は、磁気結合素子とみなすこともできる。
【００２２】
また、送信回路ＴＸ２と受信回路ＲＸ２との間には、磁気結合（誘導結合）したコイル（インダクタ）ＣＬ１ｂ，ＣＬ２ｂからなるトランス（変成器、変換器、磁気結合素子、電磁結合素子）ＴＲ２が介在しており、送信回路ＴＸ２から受信回路ＲＸ２へ、このトランスＴＲ２を介して（すなわち磁気結合したコイルＣＬ１ｂ，ＣＬ２ｂを介して）信号を伝達することができる。これにより、半導体チップＣＰ１内の受信回路ＲＸ２は、半導体チップＣＰ２内の送信回路ＴＸ２が送信した信号を受信することができる。従って、駆動回路ＤＲは、送信回路ＴＸ２、トランスＴＲ２および受信回路ＲＸ２を介して、制御回路ＣＣに信号を伝達することができる。このトランスＴＲ２（コイルＣＬ１ｂ，ＣＬ２ｂ）は、半導体チップＣＰ２内に形成されている。コイルＣＬ１ｂおよびコイルＣＬ２ｂは、それぞれインダクタとみなすこともできる。また、トランスＴＲ２は、磁気結合素子とみなすこともできる。
【００２３】
トランスＴＲ１は、半導体チップＣＰ１内に形成されたコイルＣＬ１ａ，ＣＬ２ａにより形成されているが、コイルＣＬ１ａとコイルＣＬ２ａとは、導体によっては繋がっておらず、磁気的に結合している。このため、コイルＣＬ１ａに電流が流れると、その電流の変化に応じてコイルＣＬ２ａに誘導起電力が発生して誘導電流が流れるようになっている。コイルＣＬ１ａが一次コイルで、コイルＣＬ２ａが二次コイルである。これを利用して、送信回路ＴＸ１からトランスＴＲ１のコイルＣＬ１ａ（一次コイル）に信号を送って電流を流し、それに応じてトランスＴＲ１のコイルＣＬ２ａ（二次コイル）に生じた誘導電流（または誘導起電力）を受信回路ＲＸ１で検知（受信）することで、送信回路ＴＸ１が送った信号に応じた信号を、受信回路ＲＸ１で受け取ることができる。
【００２４】
また、トランスＴＲ２は、半導体チップＣＰ２内に形成されたコイルＣＬ１ｂ，ＣＬ２ｂにより形成されているが、コイルＣＬ１ｂとコイルＣＬ２ｂとは、導体によっては繋がっておらず、磁気的に結合している。このため、コイルＣＬ１ｂに電流が流れると、その電流の変化に応じてコイルＣＬ２ｂに誘導起電力が発生して誘導電流が流れるようになっている。コイルＣＬ１ｂが一次コイルで、コイルＣＬ２ｂが二次コイルである。これを利用して、送信回路ＴＸ２からトランスＴＲ２のコイルＣＬ１ｂ（一次コイル）に信号を送って電流を流し、それに応じてトランスＴＲ２のコイルＣＬ２ｂ（二次コイル）に生じた誘導電流（または誘導起電力）を受信回路ＲＸ２で検知（受信）することで、送信回路ＴＸ２が送った信号に応じた信号を、受信回路ＲＸ２で受け取ることができる。
【００２５】
制御回路ＣＣから送信回路ＴＸ１、トランスＴＲ１および受信回路ＲＸ１を経由して駆動回路ＤＲに至る経路と、駆動回路ＤＲから送信回路ＴＸ２、トランスＴＲ２および受信回路ＲＸ２を経由して制御回路ＣＣに至る経路とにより、半導体チップＣＰ１と半導体チップＣＰ２との間で信号の送受信を行う。すなわち、送信回路ＴＸ１が送信した信号を受信回路ＲＸ１が受信し、送信回路ＴＸ２が送信した信号を受信回路ＲＸ２が受信することにより、半導体チップＣＰ１と半導体チップＣＰ２との間で信号の送受信を行うことができる。上述のように、送信回路ＴＸ１から受信回路ＲＸ１への信号の伝達には、トランスＴＲ１（すなわち磁気結合したコイルＣＬ１ａ，ＣＬ２ａ）が介在し、また、送信回路ＴＸ２から受信回路ＲＸ２への信号の伝達には、トランスＴＲ２（すなわち磁気結合したコイルＣＬ１ｂ，ＣＬ２ｂ）が介在する。駆動回路ＤＲは、半導体チップＣＰ１から半導体チップＣＰ２に送信された信号（すなわち送信回路ＴＸ１からトランスＴＲ１を介して受信回路ＲＸ１に送信された信号）に応じて、負荷ＬＯＤを駆動させることができる。負荷ＬＯＤとしては、用途に応じて様々な負荷があるが、例えばモータなどを例示できる。
【００２６】
半導体チップＣＰ１と半導体チップＣＰ２とは、電圧レベル（基準電位）が異なっている。例えば、半導体チップＣＰ１は、低電圧（例えば数Ｖ〜数十Ｖ）で動作または駆動される回路を有する低電圧領域に、後述のワイヤＢＷおよびリードＬＤなどを介して接続される。また、半導体チップＣＰ２は、前記低電圧よりも高電圧（例えば１００Ｖ以上）で動作または駆動される回路（例えば負荷ＬＯＤや負荷ＬＯＤ用のスイッチなど）を有する高電圧領域に、後述のワイヤＢＷおよびリードＬＤなどを介して接続される。しかしながら、半導体チップＣＰ１，ＣＰ２間での信号の伝達はトランスＴＲ１，ＴＲ２を介在しているため、異電圧回路間での信号の伝達が可能である。
【００２７】
なお、図１では、制御回路ＣＣを半導体チップＣＰ１内に内蔵させる場合について示しているが、他の形態として、制御回路ＣＣを半導体チップＣＰ１，ＣＰ２以外の半導体チップに内蔵させることもできる。また、図１では、駆動回路ＤＲを半導体チップＣＰ２内に内蔵させる場合について示しているが、他の形態として、駆動回路ＤＲは、半導体チップＣＰ１，ＣＰ２以外の半導体チップに内蔵させることもできる。
【００２８】
＜信号の伝送例について＞
図２は、信号の伝送例を示す説明図である。
【００２９】
送信回路ＴＸ１は、送信回路ＴＸ１に入力された方形波の信号ＳＧ１を微分波の信号ＳＧ２に変調して、トランスＴＲ１のコイルＣＬ１ａ（一次コイル）に送る。この微分波の信号ＳＧ２による電流がトランスＴＲ１のコイルＣＬ１ａ（一次コイル）に流れると、それに応じた信号ＳＧ３が誘導起電力によりトランスＴＲ１のコイルＣＬ２ａ（二次コイル）に流れる。この信号ＳＧ３を受信回路ＲＸ２で増幅し、更に方形波に変調することで、方形波の信号ＳＧ４が受信回路ＲＸ２から出力される。これにより、送信回路ＴＸ１に入力された信号ＳＧ１に応じた信号ＳＧ４を、受信回路ＲＸ２から出力することができる。このようにして、送信回路ＴＸ１から、受信回路ＲＸ１に信号が伝達される。送信回路ＴＸ２から受信回路ＲＸ２への信号の伝達も、同様に行うことができる。
【００３０】
また、図２では、送信回路から受信回路への信号の伝達の一例を挙げたが、これに限定されず、種々変更可能であり、磁気結合されたコイル（一次コイルおよび二次コイル）を介して信号を伝達する手法であればよい。
【００３１】
＜半導体チップの構造について＞
図３は、本実施の形態の半導体チップＣＰ１，ＣＰ２の断面構造を概念的に示す断面図である。
【００３２】
図３を参照して、半導体チップＣＰ１の構造について説明する。なお、半導体チップは半導体装置とみなすこともできる。
【００３３】
図３に示されるように、半導体チップＣＰ１を構成する単結晶シリコンなどからなる半導体基板ＳＢ１に、ＭＩＳＦＥＴ（Metal Insulator Semiconductor Field Effect Transistor)などの半導体素子が形成されている。なお、他の形態として、半導体基板ＳＢ１として、ＳＯＩ（Silicon On Insulator）基板などを用いることもできる。
【００３４】
例えば、半導体基板ＳＢ１にｐ型ウエルＰＷおよびｎ型ウエルＮＷが形成され、ｐ型ウエルＰＷ上にゲート絶縁膜ＧＩを介してｎチャネル型ＭＩＳＦＥＴ用のゲート電極ＧＥ１が形成され、ｎ型ウエルＮＷ上にゲート絶縁膜ＧＩを介してｐチャネル型ＭＩＳＦＥＴ用のゲート電極ＧＥ２が形成されている。ゲート絶縁膜ＧＩは、例えば酸化シリコン膜などからなり、ゲート電極ＧＥ１，ＧＥ２は、例えば、不純物を導入した多結晶シリコン膜（ドープトポリシリコン膜）などからなる。
【００３５】
ｐ型ウエルＰＷ内には、ｎチャネル型ＭＩＳＦＥＴのソース・ドレイン用のｎ型半導体領域ＳＤ１が形成され、ｎ型ウエルＮＷ内には、ｐチャネル型ＭＩＳＦＥＴのソース・ドレイン用のｐ型半導体領域ＳＤ２が形成されている。ゲート電極ＧＥ１と、そのゲート電極ＧＥ１の下のゲート絶縁膜ＧＩと、ゲート電極ＧＥ１の両側のｎ型半導体領域ＳＤ１（ソース・ドレイン領域）とにより、ｎチャネル型ＭＩＳＦＥＴが形成される。また、ゲート電極ＧＥ２と、そのゲート電極ＧＥ２の下のゲート絶縁膜ＧＩと、ゲート電極ＧＥ２の両側のｐ型半導体領域ＳＤ２（ソース・ドレイン領域）とにより、ｐチャネル型ＭＩＳＦＥＴが形成される。
【００３６】
また、ｐ型ウエルＰＷの上層部（表層部）の一部には、ｐ型ウエルＰＷに接するように、ｐ型ウエルＰＷよりも高不純物濃度のｐ型半導体領域ＰＲが形成されている。配線（Ｍ１〜Ｍ５）やプラグＶ１から、このｐ型半導体領域ＰＲを介してｐ型ウエルＰＷに所定の電位（例えばグランド電位または電源電位）を給電することができる。また、ｎ型ウエルＮＷの上層部（表層部）の一部には、ｎ型ウエルＮＷに接するように、ｎ型ウエルＮＷよりも高不純物濃度のｎ型半導体領域ＮＲが形成されている。配線（Ｍ１〜Ｍ５）やプラグＶ１から、このｎ型半導体領域ＮＲを介してｎ型ウエルＮＷに所定の電位（例えばグランド電位または電源電位）を給電することができる。
【００３７】
また、半導体基板ＳＢ１に更に抵抗素子（図示せず）や容量素子（図示せず）などを必要に応じて形成することもできる。
【００３８】
半導体基板ＳＢ１上には、複数の層間絶縁膜と複数の配線層とにより多層配線構造が形成されている。
【００３９】
具体的には、半導体基板ＳＢ１上に、複数の層間絶縁膜が形成され、この複数の層間絶縁膜に、プラグＶ１、配線Ｍ１，Ｍ２，Ｍ３，Ｍ４，Ｍ５およびビア部Ｖ２，Ｖ３，Ｖ４，Ｖ５がそれぞれ形成されている。
【００４０】
なお、図３では、図面の簡略化のために、半導体基板ＳＢ１上に形成された複数の層間絶縁膜を、層で分けずに一括して層間絶縁膜ＩＬとして示している。
【００４１】
配線Ｍ１は、第１配線層（最下層の配線層）の配線である。配線Ｍ２は、第１配線層よりも１つ上層の配線層である第２配線層の配線である。配線Ｍ３は、第２配線層よりも１つ上層の配線層である第３配線層の配線である。配線Ｍ４は、第３配線層よりも１つ上層の配線層である第４配線層の配線である。配線Ｍ５は、第４配線層よりも１つ上層の配線層である第５配線層の配線である。
【００４２】
プラグＶ１は、導電体からなり、配線Ｍ１の下層に形成され、プラグＶ１の上面が配線Ｍ１の下面に接することで、配線Ｍ１に電気的に接続されている。また、プラグＶ１の底部は、半導体基板ＳＢ１に形成された種々の半導体領域（例えばｎ型半導体領域ＳＤ１、ｐ型半導体領域ＳＤ２、ｎ型半導体領域ＮＲ、ｐ型半導体領域ＰＲなど）や、ゲート電極ＧＥ１，ＧＥ２などに接続されている。これにより、配線Ｍ１は、プラグＶ１を介して、半導体基板ＳＢ１に形成された種々の半導体領域やゲート電極ＧＥ１，ＧＥ２などに電気的に接続される。
【００４３】
ビア部Ｖ２は、導電体からなり、配線Ｍ２と配線Ｍ１との間に形成されて、配線Ｍ２と配線Ｍ１とを接続している。ビア部Ｖ２は、配線Ｍ２と一体的に形成することもできる。また、ビア部Ｖ３は、導電体からなり、配線Ｍ３と配線Ｍ２との間に形成されて、配線Ｍ３と配線Ｍ２とを接続している。ビア部Ｖ３は、配線Ｍ３と一体的に形成することもできる。また、ビア部Ｖ４は、導電体からなり、配線Ｍ４と配線Ｍ３との間に形成されて、配線Ｍ４と配線Ｍ３とを接続している。ビア部Ｖ４は、配線Ｍ４と一体的に形成することもできる。また、ビア部Ｖ５は、導電体からなり、配線Ｍ５と配線Ｍ４との間に形成されて、配線Ｍ５と配線Ｍ４とを接続している。ビア部Ｖ５は、配線Ｍ５と一体的に形成することもできる。
【００４４】
各配線Ｍ１，Ｍ２，Ｍ３，Ｍ４，Ｍ５は、層間絶縁膜上に形成した導電膜をパターニングする手法や、あるいは、層間絶縁膜に形成した溝に導電膜を埋め込む手法（いわゆるダマシン法）などにより、形成することができる。
【００４５】
また、図３では、半導体基板ＳＢ１上に形成される配線層の数が５層の場合（配線Ｍ１，Ｍ２，Ｍ３，Ｍ４，Ｍ５の計５層の場合）を示しているが、配線層の数は５層に限定されず、種々変更可能である。
【００４６】
半導体基板ＳＢ１上に、トランスＴＲ１の一次コイル（コイルＣＬ１ａ）と二次コイル（コイルＣＬ２ａ）とが形成されている。コイルＣＬ１ａとコイルＣＬ２ａとは、同層に形成されているのではなく、互いに異なる層に形成されており、コイルＣＬ１ａとコイルＣＬ２ａとの間には、絶縁層が介在している。また、下層側のコイルＣＬ１ａは、半導体基板ＳＢ１に接して形成されているのではなく、半導体基板ＳＢ１上に形成された層間絶縁膜上に、コイルＣＬ１ａが形成されている。
【００４７】
以下、コイルＣＬ１ａ，ＣＬ２ａについて、図３を参照して更に具体的に説明する。
【００４８】
コイルＣＬ１ａとコイルＣＬ２ａとは、半導体基板ＳＢ１上に形成された複数の配線層のうちのいずれかの配線層により、それぞれ形成されている。すなわち、コイルＣＬ１ａとコイルＣＬ２ａとは、配線Ｍ１，Ｍ２，Ｍ３，Ｍ４，Ｍ５のいずれかと同層に形成されている。但し、コイルＣＬ１ａが形成される配線層と、コイルＣＬ２ａが形成される配線層とは、互いに異なる配線層とされている。コイルＣＬ２ａは、コイルＣＬ１ａの上方に形成されているため、コイルＣＬ１ａが形成される配線層よりも上層の配線層により、コイルＣＬ２ａが形成されている。
【００４９】
図３の場合は、第５配線層によりコイルＣＬ２ａが形成され（すなわち配線Ｍ５と同層にコイルＣＬ２ａが形成され）、第３配線層によりコイルＣＬ１ａが形成されている（すなわち配線Ｍ３と同層にコイルＣＬ１ａが形成されている）が、これに限定されるものではない。例えば、コイルＣＬ１ａは、コイルＣＬ２ａよりも下層であればよく、第３配線層よりも上層または下層の配線層により形成することもできる。一方、コイルＣＬ２ａは、最上層の配線層（ここでは第５配線層）により形成することが好ましく、これにより、コイルＣＬ２ａをパッド（パッド電極、ボンディングパッド）に接続しやすくなる。
【００５０】
コイルＣＬ１ａを第３配線層により形成した場合は、コイルＣＬ１ａは、配線Ｍ３と同層の導電層により同工程で形成することができる。例えば、配線Ｍ３をダマシン法を用いて形成する場合には、コイルＣＬ１ａも配線Ｍ２と同工程でダマシン法を用いて形成でき、この場合、配線Ｍ３およびコイルＣＬ１ａは、層間絶縁膜の溝に埋め込まれた導電膜（例えば銅を主体とする導電膜）により形成される。また、例えば、層間絶縁膜上に形成した導電膜をパターニングすることで配線Ｍ３を形成する場合は、その導電膜をパターニングすることで、配線Ｍ３およびコイルＣＬ１ａを形成することができる。
【００５１】
コイルＣＬ２ａを第５配線層により形成した場合は、コイルＣＬ２ａは、配線Ｍ５と同層の導電層により同工程で形成することができる。例えば、層間絶縁膜上に形成した導電膜をパターニングすることで配線Ｍ５を形成する場合は、その導電膜をパターニングすることで、配線Ｍ５およびコイルＣＬ２ａを形成することができる。また、最上層の配線層（ここでは配線Ｍ５）により、パッド（パッド電極、ボンディングパッド）を形成することができる。
【００５２】
コイルＣＬ２ａとコイルＣＬ１ａとの間には、絶縁層（層間絶縁膜ＩＬを構成する複数の層間絶縁膜のうちの１層以上の層間絶縁膜に対応）が介在している。例えば、コイルＣＬ２ａを第５配線層により形成し、コイルＣＬ１ａを第３配線層により形成した場合は、第３配線層よりも上層でかつ第５配線層よりも下層の層間絶縁膜（すなわち第３配線層と第５配線層との間の層間絶縁膜）が、コイルＣＬ２ａとコイルＣＬ１ａとの間に介在することになる。このため、コイルＣＬ２ａとコイルＣＬ１ａとは、導体では繋がっておらず、電気的には絶縁された状態となっている。但し、上述のように、コイルＣＬ２ａとコイルＣＬ１ａとは磁気的に結合している。
【００５３】
半導体チップＣＰ１の最上層には、絶縁性の保護膜（表面保護膜）ＰＡ１が形成されており、この保護膜ＰＡ１により、配線Ｍ５およびコイルＣＬ２ａが覆われて保護されている。保護膜ＰＡ１は、例えば、ポリイミド樹脂などの樹脂膜により形成することができる。
【００５４】
但し、パッドが、それぞれ保護膜ＰＡ１の開口部から露出されている。半導体チップＣＰ１において、パッドは、配線Ｍ５およびコイルＣＬ２ａと同層の導電層により形成され、コイルＣＬ２ａまたは配線Ｍ５と一体的に形成されている。コイルＣＬ２ａに接続されているパッドは、ボンディングワイヤＢＷなどの導電性の接続部材を介して、半導体チップＣＰ２のパッドに電気的に接続される。
【００５５】
また、半導体チップＣＰ２についても、半導体チップＣＰ１と類似した構成とすることができる。
【００５６】
すなわち、図３に示されるように、半導体チップＣＰ２を構成する単結晶シリコンなどからなる半導体基板ＳＢ２に、ＭＩＳＦＥＴなどの半導体素子が形成されている。なお、他の形態として、半導体基板ＳＢ１として、ＳＯＩ基板などを用いることもできる。
【００５７】
例えば、半導体基板ＳＢ２にｐ型ウエルＰＷおよびｎ型ウエルＮＷが形成され、ｐ型ウエルＰＷ上にゲート絶縁膜ＧＩを介してｎチャネル型ＭＩＳＦＥＴ用のゲート電極ＧＥ１が形成され、ｎ型ウエルＮＷ上にゲート絶縁膜ＧＩを介してｐチャネル型ＭＩＳＦＥＴ用のゲート電極ＧＥ２が形成されている。ｐ型ウエルＰＷ内には、ｎチャネル型ＭＩＳＦＥＴのソース・ドレイン用のｎ型半導体領域ＳＤ１が形成され、ｎ型ウエルＮＷ内には、ｐチャネル型ＭＩＳＦＥＴのソース・ドレイン用のｐ型半導体領域ＳＤ２が形成されている。また、ｐ型ウエルＰＷの上層部の一部には、ｐ型ウエルＰＷに接するようにｐ型半導体領域ＰＲが形成され、また、ｎ型ウエルＮＷの上層部の一部には、ｎ型ウエルＮＷに接するようにｎ型半導体領域ＮＲが形成されている。また、半導体基板ＳＢ２に更に抵抗素子（図示せず）や容量素子（図示せず）などを形成することもできる。
【００５８】
半導体基板ＳＢ２上には、複数の層間絶縁膜と複数の配線層とにより多層配線構造が形成されている。
【００５９】
具体的には、半導体基板ＳＢ２上に、複数の層間絶縁膜（図３では、複数の層間絶縁膜を一括して層間絶縁膜ＩＬとして示している）が形成され、この複数の層間絶縁膜に、プラグＶ１、配線Ｍ１，Ｍ２，Ｍ３，Ｍ４，Ｍ５およびビア部Ｖ２，Ｖ３，Ｖ４，Ｖ５がそれぞれ形成されている。なお、図３では、半導体基板ＳＢ２上に形成される配線層の数が５層の場合（配線Ｍ１〜Ｍ５の計５層の場合）を示しているが、配線層の数は５層に限定されるものではない。
【００６０】
また、図３の断面には示されていないが、半導体基板ＳＢ２上に、上記コイルＣＬ１ｂと上記コイルＣＬ２ｂとが形成されている。半導体チップＣＰ２におけるコイルＣＬ１ｂおよびコイルＣＬ２ｂの構成は、半導体チップＣＰ１におけるコイルＣＬ１ａおよびコイルＣＬ２ａとそれぞれほぼ同様とすることができるため、ここでは、コイルＣＬ１ｂ，ＣＬ２ｂについての図示および説明は省略する。
【００６１】
半導体チップＣＰ２の最上層には、絶縁性の保護膜ＰＡ１が形成されており、この保護膜ＰＡ１により、配線Ｍ５および上記コイルＣＬ２ｂ（図３では図示せず）が覆われて保護されている。そして、半導体チップＣＰ２において、配線Ｍ５または上記コイルＣＬ２ａに接続されたパッドが保護膜ＰＡ１の開口部から露出されている。
【００６２】
半導体チップＣＰ１内に上記送信回路ＴＸ１およびコイルＣＬ１ａ，ＣＬ２ａが形成されており、半導体チップＣＰ１内に形成されている送信回路ＴＸ１は、半導体チップＣＰ１内の内部配線（配線Ｍ１〜Ｍ５）を介して、コイルＣＬ１ａに電気的に接続されている。これにより、送信回路ＴＸ１から半導体チップＣＰ１内の内部配線（配線Ｍ１〜Ｍ５）を介してコイルＣＬ１ａに、送信用の信号を送信することができる。半導体チップＣＰ１におけるコイルＣＬ２ａに接続されているパッドは、ボンディングワイヤＢＷなどの導電性の接続部材を介して、半導体チップＣＰ２のパッドに電気的に接続され、更に半導体チップＣＰ２の内部配線（Ｍ１〜Ｍ５）を介して、半導体チップＣＰ２内に形成されている受信回路ＲＸ１に電気的に接続される。これにより、コイルＣＬ１ａから電磁誘導によりコイルＣＬ２ａが受け取った信号（受信信号）を、ボンディングワイヤＢＷ（接続部材）および半導体チップＣＰ２の内部配線（Ｍ１〜Ｍ５）を介して、半導体チップＣＰ２内の受信回路ＲＸ１に送信することができる。
【００６３】
同様に、半導体チップＣＰ１内に上記送信回路ＴＸ２および上記コイルＣＬ１ｂ，ＣＬ２ｂが形成されており、半導体チップＣＰ２内に形成されている送信回路ＴＸ２は、半導体チップＣＰ２内の内部配線（配線Ｍ１〜Ｍ５）を介して、半導体チップＣＰ２内の上記コイルＣＬ１ｂに電気的に接続されている。これにより、送信回路ＴＸ２から半導体チップＣＰ２内の内部配線（配線Ｍ１〜Ｍ５）を介してコイルＣＬ１ｂに、送信用の信号を送信することができる。半導体チップＣＰ２における上記コイルＣＬ２ｂに接続されているパッドは、ボンディングワイヤＢＷなどの導電性の接続部材を介して、半導体チップＣＰ１のパッドに電気的に接続され、更に半導体チップＣＰ１の内部配線（Ｍ１〜Ｍ５）を介して、半導体チップＣＰ１内に形成されている受信回路ＲＸ２に電気的に接続される。これにより、上記コイルＣＬ１ａから電磁誘導により上記コイルＣＬ２ａが受け取った信号（受信信号）を、ボンディングワイヤＢＷ（接続部材）および半導体チップＣＰ１の内部配線（Ｍ１〜Ｍ５）を介して、半導体チップＣＰ１内の受信回路ＲＸ１に送信することができる。
【００６４】
図４は、本実施の形態の半導体チップＣＰ１，ＣＰ２の断面構造の他の例を概念的に示す断面図である。
【００６５】
図４の場合が図３の場合と主に相違している点は、図４の場合、半導体チップＣＰ１において、保護膜ＰＡ１の一部分上に更に絶縁層として樹脂膜ＲＳが形成されており、この樹脂膜ＲＳ上にコイルＣＬ２ａが形成されていることである。樹脂膜ＲＳ上には、コイルＣＬ２ａを覆うように、保護膜（保護用の樹脂膜）ＰＡ２が形成されている。樹脂膜ＲＳは、例えばポリイミド膜などとすることができる。また、保護膜ＰＡ２は、例えばポリイミド膜などとすることができる。図４の場合、コイルＣＬ２ａは、最上層の内部配線層であった第５層配線（配線Ｍ５）よりも更に上層に形成されており、この場合、コイルＣＬ２ａは、例えば、樹脂膜ＲＳ上に導電膜を形成してから、その導電膜をパターニングすることなどにより、形成することができる。
【００６６】
保護膜ＰＡ２により、コイルＣＬ２ａが覆われて保護されているが、保護膜ＰＡ２の開口部から、コイルＣＬ２ａに接続されているパッドが露出されている。コイルＣＬ２ａに接続されているパッドは、コイルＣＬ２ａと同層の導電層により形成されており、コイルＣＬ２ａと一体的に形成されている。コイルＣＬ２ａに接続されているパッドは、ボンディングワイヤＢＷなどの導電性の接続部材を介して、半導体チップＣＰ２のパッドに電気的に接続される。
【００６７】
コイルＣＬ１ａは、コイルＣＬ２ａの下方に形成されるが、樹脂膜ＲＳを設けてこの樹脂膜ＲＳ上にコイルＣＬ２ａを形成した場合は、樹脂膜ＲＳの下方にコイルＣＬ１ａが形成される。図４の場合は、第５層配線によりコイルＣＬ１ａが形成されている（すなわち配線Ｍ５と同層にコイルＣＬ１ａが形成されている）が、これに限定されるものではない。すなわち、コイルＣＬ１ａは、コイルＣＬ２ａおよび樹脂膜ＲＳよりも下層であればよく、第５配線層またはそれよりも下層の配線層により形成することができる。
【００６８】
また、樹脂膜ＲＳは、層間絶縁膜ＩＬ上（あるいは保護膜ＰＡ１上）において、コイル（ＣＬ２ａ）を形成する領域に局所的に形成することもできる。
【００６９】
図４の場合は、樹脂膜ＲＳを形成する必要があるが、樹脂膜ＲＳは塗布法で形成できるため、工程時間は短い。
【００７０】
一方、図３の場合は、コイルＣＬ２ａとコイルＣＬ１ａとの間の耐圧（絶縁耐圧）は、層間絶縁膜（ＩＬ）により確保し、樹脂膜ＲＳおよび保護膜ＰＡ２に相当するものを形成しない分、製造工程数や製造コストを低減することができる。
【００７１】
また、図４の場合において、半導体チップＣＰ２にも樹脂膜ＲＳおよび保護膜ＰＡ２に相当するものを設け、その樹脂膜ＲＳ上に上記コイルＣＬ２ｂを形成することもできる。
【００７２】
＜コイルの構成について＞
次に、半導体チップＣＰ１内に形成されたトランスＴＲ１（を構成するコイル）の詳細構成について説明する。
【００７３】
図５〜図７は、本実施の形態の半導体チップＣＰ１の要部平面図である。図８〜図１０は、本実施の形態の半導体チップＣＰ１の要部断面図である。図１１は、半導体チップＣＰ１内に形成されたトランスＴＲ１の回路構成を示す回路図である。
【００７４】
なお、図５と図６と図７とは、半導体チップＣＰ１における同じ平面領域が示されているが、層が異なっており、図６は図５よりも下層が示され、図７は図６よりも下層が示されている。具体的には、図５には、半導体チップＣＰ１に形成されたトランスＴＲ１の二次側のコイル（コイルＣＬ５，ＣＬ６）が示され、図６には、半導体チップＣＰ１に形成されたトランスＴＲ１の一次側のコイル（コイルＣＬ７，ＣＬ８）が示され、図７には、半導体チップＣＰ１に形成されたトランスＴＲ１の一次側のコイルの引き出し用の配線（引出配線ＨＷ２，ＨＷ３）が示されている。また、一次側のコイル（ＣＬ７，ＣＬ８）とその引き出し用の配線（引出配線ＨＷ２，ＨＷ３）との相対的な位置関係が分かりやすいように、図６では引出配線ＨＷ２，ＨＷ３を点線で示し、図７では図６において実線で示されているパターン（すなわちコイル配線ＣＷ７，ＣＷ８と接続配線ＨＷ４とダミー配線ＤＷ３，ＤＷ４）を点線で示してある。また、図５〜図７のＡ１−Ａ１線での断面図が図８に対応し、図５〜図７のＡ２−Ａ２線での断面図が図９に対応し、図５〜図７のＡ３−Ａ３線での断面図が図１０に対応している。
【００７５】
上述のように、半導体チップＣＰ１内にトランスＴＲ１用の一次コイルと二次コイルとが形成され、一次コイルと二次コイルのうち、一次コイルが下側に、二次コイルが上側に形成されている。すなわち、一次コイルの上方に二次コイルが配置され、二次コイルの下方に一次コイルが配置されている。
【００７６】
ここで、一次コイルと二次コイルとをそれぞれ２つのコイルで構成し、すなわち、トランスＴＲ１を２つのトランスで構成し、この２つのトランスを差動で動作させると、ノイズ耐性が高くなる。
【００７７】
そこで、本実施の形態では、図１１に示されるように、トランスＴＲ１の一次コイル（上記コイルＣＬ１ａに相当するもの）を、直列に接続されたコイルＣＬ７とコイルＣＬ８とで形成し、トランスＴＲ１の二次コイル（上記コイルＣＬ２ａに相当するもの）を、パッドＰＤ５とパッドＰＤ６との間に直列に接続されたコイルＣＬ５とコイルＣＬ６とで形成した構成を採用している。この場合、コイルＣＬ７とコイルＣＬ５とが磁気結合（誘導結合）され、コイルＣＬ８とコイルＣＬ６とが磁気結合（誘導結合）される。直列に接続されたコイルＣＬ７，ＣＬ８は送信回路ＴＸ１に接続されている。また、コイルＣＬ５とコイルＣＬ６との間にパッドＰＤ７が電気的に接続されている。これらコイルＣＬ５，ＣＬ６，ＣＬ７，ＣＬ８とパッドＰＤ５，ＰＤ６，ＰＤ７と送信回路ＴＸ１とは、半導体チップＣＰ１内に形成されている。半導体チップＣＰ１のパッドＰＤ５，ＰＤ６，ＰＤ７は、上記ボンディングワイヤＢＷのような導電性の接続部材と半導体チップＣＰ２の内部配線（配線Ｍ１〜Ｍ５）を介して、半導体チップＣＰ２内の受信回路ＲＸ１に接続される。
【００７８】
このため、半導体チップＣＰ１において、送信回路ＴＸ１から一次コイルであるコイルＣＬ７とコイルＣＬ８に送信用の信号を送って電流を流すと、コイルＣＬ７とコイルＣＬ８に流れる電流の変化に応じて、二次コイルであるコイルＣＬ５とコイルＣＬ６に誘導起電力が生じて誘導電流が流れる。コイルＣＬ５とコイルＣＬ６に生じる誘導起電力または誘導電流は、パッドＰＤ５，ＰＤ６，ＰＤ７から、上記ボンディングワイヤＢＷのような導電性の接続部材と半導体チップＣＰ２の内部配線（配線Ｍ１〜Ｍ５）を介して半導体チップＣＰ２内の受信回路ＲＸ１で検知することができる。これにより、半導体チップＣＰ１の送信回路ＴＸ１からの信号を、電磁誘導により、コイルＣＬ７，ＣＬ８，ＣＬ５，ＣＬ６を介して、半導体チップＣＰ２の受信回路ＲＸ１に伝達することができる。パッドＰＤ７には、半導体チップＣＰ２から固定電位(グランド電位、ＧＮＤ電位、電源電位など）が供給されるため、コイルＣＬ５の誘導起電力または誘導電流と、コイルＣＬ６の誘導起電力または誘導電流とを検出して差動で制御（動作）することができる。
【００７９】
以下、図５〜図１０を参照して、これらコイルＣＬ５，ＣＬ６，ＣＬ７，ＣＬ８とパッドＰＤ５，ＰＤ６，ＰＤ７の具体的な構成について説明する。
【００８０】
まず、二次コイルであるコイルＣＬ５，ＣＬ６とそれに接続されたパッド（パッド電極、ボンディングパッド）ＰＤ５，ＰＤ６，ＰＤ７の具体的な構成について説明する。
【００８１】
図５および図８〜図１１に示されるように、パッドＰＤ５とパッドＰＤ６との間に、２つのコイル（インダクタ）ＣＬ５，ＣＬ６が直列に接続されている。そして、コイルＣＬ５とコイルＣＬ６との間に、パッドＰＤ７が電気的に接続されている。
【００８２】
コイルＣＬ５とコイルＣＬ６とは、半導体チップＣＰ１内において、同層に形成されており、コイルＣＬ５は、渦巻き状（コイル状、ループ状）に周回するコイル配線ＣＷ５により形成され、コイルＣＬ６は、渦巻き状（コイル状、ループ状）に周回するコイル配線ＣＷ６により形成されている。また、コイルＣＬ５およびコイルＣＬ６は、それぞれ平面的に形成されている。コイルＣＬ５およびコイルＣＬ６は、それぞれインダクタとみなすこともできる。
【００８３】
また、図６および図８〜図１１に示されるように、２つのコイル（インダクタ）ＣＬ７，ＣＬ８が直列に接続されている。図６および図８に示されるように、コイルＣＬ７とコイルＣＬ８とは、半導体チップＣＰ１内において、同層に形成されており、コイルＣＬ７は、渦巻き状（コイル状、ループ状）に周回するコイル配線ＣＷ７により形成され、コイルＣＬ８は、渦巻き状（コイル状、ループ状）に周回するコイル配線ＣＷ８により形成されている。また、コイルＣＬ７およびコイルＣＬ８は、それぞれ平面的に形成されている。コイルＣＬ７およびコイルＣＬ８は、それぞれインダクタとみなすこともできる。
【００８４】
図８〜図１０からも分かるように、半導体チップＣＰ１内において、コイルＣＬ７，ＣＬ８は、コイルＣＬ５，ＣＬ６よりも下層に形成されている。つまり、半導体チップＣＰ１内において、コイルＣＬ５とコイルＣＬ６とは、互いに同層に形成され、コイルＣＬ７とコイルＣＬ８とは、互いに同層に形成されているが、コイルＣＬ７，ＣＬ８は、コイルＣＬ５，ＣＬ６よりも下層に配置され、コイルＣＬ５，ＣＬ６は、コイルＣＬ７，ＣＬ８よりも上層に配置されている。
【００８５】
そして、コイルＣＬ７はコイルＣＬ５の直下に配置され、コイルＣＬ８はコイルＣＬ６の直下に配置されている。すなわち、コイルＣＬ７は、平面視でコイルＣＬ５と重なるように配置され、コイルＣＬ８は、平面視でコイルＣＬ６と重なるように配置されている。換言すれば、コイルＣＬ５はコイルＣＬ７の直上に配置され、コイルＣＬ６はコイルＣＬ８の直上に配置されている。すなわち、コイルＣＬ５は、平面視でコイルＣＬ７と重なるように配置され、コイルＣＬ６は、平面視でコイルＣＬ８と重なるように配置されている。
【００８６】
コイルＣＬ５およびコイルＣＬ６は、トランスＴＲ１の二次コイルであり、上記コイルＣＬ２ａに対応するものである。また、コイルＣＬ７およびコイルＣＬ８は、トランスＴＲ１の一次コイルであり、上記コイルＣＬ１ａに対応するものである。コイルＣＬ５とコイルＣＬ７とが磁気的に結合し、コイルＣＬ６とコイルＣＬ８とが磁気的に結合している。すなわち、コイルＣＬ５とコイルＣＬ７とは、導体では繋がっていないが、磁気的に結合しており、コイルＣＬ６とコイルＣＬ８とは、導体では繋がっていないが、磁気的に結合している。一方、コイルＣＬ５とコイルＣＬ６とは導体で繋がっており、コイルＣＬ７とコイルＣＬ８とは導体で繋がっている。
【００８７】
なお、図８〜図１０の断面図は、上記図４の構造を適用した場合が示されており、樹脂膜ＲＳ上に二次コイル（コイルＣＬ５，ＣＬ６）が形成され、樹脂膜ＲＳの下に一次コイル（コイルＣＬ７，ＣＬ８）が形成されているが、上記図３の構造を適用することもできる。
【００８８】
パッドＰＤ５，ＰＤ６，ＰＤ７は、コイルＣＬ５，ＣＬ６（コイル配線ＣＷ５，ＣＷ６）と同層の導電層により形成されている。コイル配線ＣＷ５，ＣＷ６および引出配線ＨＷ１は、半導体チップＣＰ１の最上層の保護膜（図８〜図１０の場合は保護膜ＰＡ２）により覆われているが、パッドＰＤ５，ＰＤ６，ＰＤ７は、この保護膜（ＰＡ２）に設けられた開口部ＯＰから露出されている。図５では、この開口部ＯＰを点線で示してある。また、パッドＰＤ５，ＰＤ６，ＰＤ７の表面には、ニッケル（Ｎｉ）膜とニッケル膜上の金（Ａｕ）膜との積層膜などからなる下地金属膜ＵＭを形成することもでき、これにより、ボンディングワイヤＢＷなどの接続部材をパッドＰＤ５，ＰＤ６，ＰＤ７に接続しやすくなっている。
【００８９】
コイルＣＬ５，ＣＬ６およびパッドＰＤ５，ＰＤ６，ＰＤ７について、図５および図８〜図１０を参照して更に説明する。
【００９０】
図５および図８〜図１０に示されるように、パッドＰＤ５は、コイルＣＬ５の渦巻の内側に配置されており、このパッドＰＤ５にコイルＣＬ５の一端が接続されている。すなわち、パッドＰＤ５に接続されたコイル配線ＣＷ５が、このパッドＰＤ５の周囲を複数回、周回することにより、コイルＣＬ５が形成されている。図５の場合は、パッドＰＤ５に接続されたコイル配線ＣＷ５が、このパッドＰＤ５の周囲を右回り（時計回り）に周回して、コイルＣＬ５が形成されている。コイル配線ＣＷ５同士は交差しないため、パッドＰＤ５に接続されたコイル配線ＣＷ５は、パッドＰＤ５の周囲を右回り（時計回り）に周回する度に、パッドＰＤ５から遠い側に徐々にずれていく。
【００９１】
また、パッドＰＤ６は、コイルＣＬ６の渦巻の内側に配置されており、このパッドＰＤ６にコイルＣＬ６の一端が接続されている。すなわち、パッドＰＤ６に接続されたコイル配線ＣＷ６が、このパッドＰＤ６の周囲を複数回、周回することにより、コイルＣＬ６が形成されている。図５の場合は、パッドＰＤ６に接続されたコイル配線ＣＷ６が、このパッドＰＤ６の周囲を右回り（時計回り）に周回して、コイルＣＬ６が形成されている。コイル配線ＣＷ６同士は交差しないため、パッドＰＤ６に接続されたコイル配線ＣＷ６は、パッドＰＤ６の周囲を右回り（時計回り）に周回する度に、パッドＰＤ６から遠い側に徐々にずれていく。
【００９２】
ここで、「右回り」は、「時計回り」と同義であり、「左回り」は、「反時計回り」と同義である。また、コイルまたはコイル配線の巻方向（渦巻きの向き）を言うときは、そのコイルまたはコイル配線を上方から見た場合に、渦の内側から外側に向かう際の巻方向を指すものとし、上方から見て、渦の内側から外側に向かう際に時計回りに見えるものを「右巻き」と称し、渦の内側から外側に向かう際に反時計回りに見えるものを「左巻き」と称することとする。例えば、半導体チップＣＰ１のコイルＣＬ５の巻方向を言うときは、半導体チップＣＰ１の上方から半導体チップＣＰ１の表面側（パッドが形成されている側が表面側）を見たときに（図５および図６はこれに対応している）、コイルＣＬ５の渦の内側から外側に向かう際に時計回りに見えるものを「右巻き」、反時計回りに見えるものを「左巻き」と称する。
【００９３】
図５のコイルＣＬ５は、上方から見て、コイルＣＬ５の渦の内側から外側に向かう際に時計回りに見えるので、コイルＣＬ５（コイル配線ＣＷ５）の巻方向は、右巻きと言うことができる。また、図５のコイルＣＬ６は、上方から見て、コイルＣＬ６の渦の内側から外側に向かう際に時計回りに見えるので、コイルＣＬ６（コイル配線ＣＷ６）の巻方向は、右巻きと言うことができる。
【００９４】
コイルＣＬ５（コイル配線ＣＷ５）の巻数（ターン数）とコイルＣＬ６（コイル配線ＣＷ６）の巻数（ターン数）とは、必要に応じて変更可能である。但し、コイルＣＬ５（コイル配線ＣＷ５）の巻数と、コイルＣＬ６（コイル配線ＣＷ６）の巻数とは、同じであることが好ましい。また、コイルＣＬ５の大きさ（直径）と、コイルＣＬ６の大きさ（直径）とは、同じであることが好ましい。また、コイルＣＬ５の自己インダクタンスと、コイルＣＬ６の自己インダクタンスとは、同じであることが好ましい。
【００９５】
コイルＣＬ５とコイルＣＬ６との間において、コイルＣＬ５（コイル配線ＣＷ５）の他端（パッドＰＤ５に接続される側とは反対側の端部）とコイルＣＬ６（コイル配線ＣＷ６）の他端（パッドＰＤ６に接続される側とは反対側の端部）とは、引出配線（引出用配線）ＨＷ１に接続されている。このため、コイルＣＬ５（コイル配線ＣＷ５）の上記他端とコイルＣＬ６（コイル配線ＣＷ６）の上記他端とは、引出配線ＨＷ１を介して電気的に接続されている。
【００９６】
ここで、コイルＣＬ５（コイル配線ＣＷ５）の上記他端は、コイルＣＬ５（コイル配線ＣＷ５）の外側（渦巻きの外側）の端部に対応しており、コイルＣＬ６（コイル配線ＣＷ６）の上記他端は、コイルＣＬ６（コイル配線ＣＷ６）の外側（渦巻きの外側）の端部に対応している。すなわち、コイルＣＬ５（コイル配線ＣＷ５）は、互いに反対側の端部である内側（渦巻きの内側）の端部と外側（渦巻きの外側）の端部とを有しており、そのうちの内側の端部がパッドＰＤ５に接続され、外側の端部が引出配線ＨＷ１に接続されている。また、コイルＣＬ６（コイル配線ＣＷ６）は、互いに反対側の端部である内側（渦巻きの内側）の端部と外側（渦巻きの外側）の端部とを有しており、そのうちの内側の端部がパッドＰＤ６に接続され、外側の端部が引出配線ＨＷ１に接続されている。
【００９７】
この引出配線ＨＷ１は、コイルＣＬ５（コイル配線ＣＷ５）およびコイルＣＬ６（コイル配線ＣＷ６）と同層に形成されており、図５に示されるように、平面視において、コイルＣＬ５とコイルＣＬ６との間から、パッドＰＤ７にかけて延在している。図５に示されるように、パッドＰＤ７は、平面視での位置を見ると、コイルＣＬ５とコイルＣＬ６との間には位置しておらず、従って、パッドＰＤ５とパッドＰＤ６との間にも位置していない。
【００９８】
引出配線ＨＷ１は、コイルＣＬ５（コイル配線ＣＷ５）の外側（渦巻きの外側）の端部とコイルＣＬ６（コイル配線ＣＷ６）の外側（渦巻きの外側）の端部とを、電気的に接続するとともに、これをパッドＰＤ７に引き出すための配線である。もし、パッドＰＤ７がコイルＣＬ５とコイルＣＬ６との間に配置されていたとしたら、この引出配線ＨＷ１は無くともよく、コイルＣＬ５（コイル配線ＣＷ５）の外側の端部とコイルＣＬ６（コイル配線ＣＷ６）の外側の端部とを、パッドＰＤ７に直接繋ぐことができる。しかしながら、図５のように、パッドＰＤ７は、平面視でコイルＣＬ５とコイルＣＬ６との間には位置していないため、コイルＣＬ５とコイルＣＬ６との間に延在する部分の引出配線ＨＷ１にコイルＣＬ５（コイル配線ＣＷ５）の外側の端部とコイルＣＬ６（コイル配線ＣＷ６）の外側の端部とを接続するとともに、この引出配線ＨＷ１をパッドＰＤ７まで引き出している。
【００９９】
引出配線ＨＷ１は、コイルＣＬ５とコイルＣＬ６との間において、コイルＣＬ５とコイルＣＬ６とを結ぶ方向（この方向はパッドＰＤ５とパッドＰＤ６とを結ぶ方向にも対応する）に対して交差する方向（より特定的には略直交する方向）に延在するとともに、更にパッドＰＤ７に向かってパッドＰＤ７に接続されるまで延在している。また、パッドＰＤ５，ＰＤ６，ＰＤ７のそれぞれの大きさ（辺の長さ）は、ほぼ同じとすることができる。
【０１００】
引出配線ＨＷ１の幅Ｗ１は、コイル配線ＣＷ５，ＣＷ６の各幅Ｗ２よりも大きい（すなわちＷ１＞Ｗ２）ことが好ましく、また、パッドＰＤ７の辺の長さ（寸法）Ｌ１よりも小さい（すなわちＷ１＜Ｌ１）ことが好ましい。コイル配線ＣＷ５，ＣＷ６は、占有面積を増やさずに巻数（ターン数）をかせぐために配線幅を細くすることが有効であるが、引出配線ＨＷ１は、コイルの巻数とは関係が無いため、引出配線ＨＷ１の配線幅を大きくすることにより、抵抗（配線抵抗）を低減することができる。このため、コイル配線ＣＷ５，ＣＷ６の各幅は、引出配線ＨＷ１の幅よりも小さくすることにより、コイルＣＬ５，ＣＬ６の占有面積の抑制と巻数の増加とを図ることができる。また、引出配線ＨＷ１の幅は、コイル配線ＣＷ５，ＣＷ６の各幅よりも大きくすることにより、引出配線ＨＷ１の抵抗を低減することができる。また、引出配線ＨＷ１の幅を、パッドＰＤ７の辺の長さよりも小さくすることにより、コイルＣＬ５とコイルＣＬ６との間の距離（間隔）Ｌ２を短くすることができる。このコイルＣＬ５とコイルＣＬ６との間の距離（間隔）Ｌ２は、パッドＰＤ７の辺の長さ（寸法）Ｌ１よりも小さい（Ｌ２＜Ｌ１）ことが好ましい。
【０１０１】
また、コイル配線ＣＷ５の最外周の外側と、コイル配線ＣＷ６の最外周の外側とに、ダミー配線ＤＷ１，ＤＷ２をそれぞれ配置することが好ましい。ダミー配線ＤＷ１，ＤＷ２は、コイル配線ＣＷ５，ＣＷ６と同層に形成されているが、コイル配線ＣＷ５，ＣＷ６とは接続されていないダミーの配線であり、孤立パターンとすることができる。コイル配線ＣＷ５，ＣＷ６は、配線としては使用しないダミーの配線であるため、浮遊電位（フローティング電位）とすることができる。
【０１０２】
ダミー配線ＤＷ１は、コイルＣＬ５とコイルＣＬ６とが互いに対向する領域（引出配線ＨＷ１が延在する領域に対応）を除き、コイル配線ＣＷ５の最外周に沿うように、コイル配線ＣＷ５の最外周から離間して形成されている。また、ダミー配線ＤＷ２は、コイルＣＬ５とコイルＣＬ６とが互いに対向する領域（引出配線ＨＷ１が延在する領域に対応）を除き、コイル配線ＣＷ６の最外周に沿うように、コイル配線ＣＷ６の最外周から離間して形成されている。コイル配線ＣＷ５の最外周とダミー配線ＤＷ１との間の間隔は、周回するコイル配線ＣＷ５同士の間隔と概ね同じとすることができ、また、コイル配線ＣＷ６の最外周とダミー配線ＤＷ２との間の間隔は、周回するコイル配線ＣＷ６同士の間隔と概ね同じとすることができる。
【０１０３】
コイル配線ＣＷ５，ＣＷ６は、例えば、絶縁膜上に形成した導電膜をフォトリソグラフィ工程およびエッチング工程を利用してパターニングすることで、形成することができる。しかしながら、フォトリソグラフィ工程でフォトレジストパターンを形成する場合、最外周のフォトレジストパターンは形状が崩れやすい（例えば狙いよりも細いパターンになったりする）ため、このフォトレジストパターンを用いて導電膜をエッチングしてコイルを形成した場合、コイルの最外周の形状も崩れてしまう虞がある。
【０１０４】
それに対して、コイル配線ＣＷ５，ＣＷ６の最外周の外側にダミー配線ＤＷ１，ＤＷ２を設けるようにすれば、フォトレジストパターンの形状が崩れやすいのは、ダミー配線ＤＷ１，ＤＷ２形成用のフォトレジストパターンとなり、コイル配線ＣＷ５，ＣＷ６を形成するためのフォトレジストパターンは、最外周を含めて、形状が崩れることなく的確に形成することができる。このため、コイル配線ＣＷ５，ＣＷ６は、最外周を含め、形状が崩れることなく的確に形成することができる。また、ダミー配線ＤＷ１，ＤＷ２は、形状が崩れたとしても、配線としては使用しないダミーの配線パターンであるため、問題はない。
【０１０５】
また、ダミー配線ＤＷ１，ＤＷ２とそれぞれ同様のダミー配線ＤＷ３，ＤＷ４を、一次コイルであるコイルＣＬ７，ＣＬ８（コイル配線ＣＷ７，ＣＷ８）の最外周の外側に設けることもでき、その場合も、上述したのと同様な効果を得ることができる。すなわち、図６に示されるように、ダミー配線ＤＷ３は、コイルＣＬ７とコイルＣＬ８とが互いに対向する領域（接続配線ＨＷ４が延在する領域に対応）を除き、コイル配線ＣＷ７の最外周に沿うように、コイル配線ＣＷ７の最外周から離間して形成される。また、ダミー配線ＤＷ４は、コイルＣＬ７とコイルＣＬ８とが互いに対向する領域（接続配線ＨＷ４が延在する領域に対応）を除き、コイル配線ＣＷ８の最外周に沿うように、コイル配線ＣＷ８の最外周から離間して形成される。
【０１０６】
また、コイルＣＬ５，ＣＬ６を、樹脂膜ＲＳ上に形成した場合は、図５に示されるように、平面視において、コイルＣＬ５，ＣＬ６（コイル配線ＣＷ５，ＣＷ６）の角を、鈍角（９０°より大きい角）にすることが好ましい。これは、樹脂膜、特にポリイミド膜は、金属パターンの直角や鋭角に弱いためである。コイルＣＬ５，ＣＬ６（コイル配線ＣＷ５，ＣＷ６）の角を、鈍角（９０°より大きい角）にすることで、コイルＣＬ５，ＣＬ６の下地の樹脂膜ＲＳや、コイルＣＬ５，ＣＬ６を覆う樹脂膜（保護膜ＰＡ１または保護膜ＰＡ２）の信頼性を向上させることができる。また、このことは、コイルＣＬ５，ＣＬ６の下地の樹脂膜ＲＳまたはコイルＣＬ５，ＣＬ６を覆う樹脂膜（保護膜ＰＡ１または保護膜ＰＡ２）がポリイミド膜の場合に、特に効果が大きい。図５の場合は、コイルＣＬ５，ＣＬ６（コイル配線ＣＷ５，ＣＷ６）の平面形状は、略八角形であるため、コイルＣＬ５，ＣＬ６（コイル配線ＣＷ５，ＣＷ６）の角は、約１３５°となっている。
【０１０７】
次に、コイルＣＬ７，ＣＬ８について、図６〜図１０を参照して更に説明する。
【０１０８】
図６からも分かるように、コイルＣＬ７の渦巻の内側にパッドは配置されていない。コイルＣＬ７（コイル配線ＣＷ７）の内側（渦巻きの内側）の端部は、ビア部を介して、コイル配線ＣＷ７よりも下層に配置された引出配線ＨＷ２に電気的に接続されている。このビア部は、コイル配線ＣＷ７と引出配線ＨＷ２との間に位置して、コイル配線ＣＷ７と引出配線ＨＷ２とを接続するものであり、上記ビア部Ｖ２，Ｖ３，Ｖ４，Ｖ５のいずれかに対応し、図１０の場合はビア部Ｖ５に対応している。このビア部は、コイル配線ＣＷ７とは別工程で形成するか、あるいは、コイル配線ＣＷ７と同工程でコイル配線ＣＷ７と一体的に形成することもできる。
【０１０９】
引出配線ＨＷ２には、引出配線ＨＷ２と同層の配線、または引出配線ＨＷ２よりも上層の配線、あるいは、引出配線ＨＷ２よりも下層の配線が接続され、半導体チップＣＰ１の内部配線を介して、半導体チップＣＰ１内に形成された送信回路ＴＸ１に対応するものに接続される。
【０１１０】
ビア部を介して引出配線ＨＷ２に接続されるコイル配線ＣＷ７が、複数回、周回することにより、コイルＣＬ７が形成されている。なお、パッドＰＤ５の直下の領域（位置）ではコイル配線ＣＷ７は周回していないことが好ましく、パッドＰＤ５の直下の領域（位置）を囲むようにコイル配線ＣＷ７が周回している。
【０１１１】
図６の場合は、ビア部を介して引出配線ＨＷ２に接続されるコイル配線ＣＷ７が、上記パッドＰＤ５の直下の領域（位置）の周囲を右回り（時計回り）に周回して、コイルＣＬ７が形成されている。コイル配線ＣＷ７同士は交差しないため、ビア部を介して引出配線ＨＷ２に接続されるコイル配線ＣＷ７は、上記パッドＰＤ５の直下の領域（位置）の周囲を右回り（時計回り）に周回する度に、渦巻きの中心から遠い側に徐々にずれていく。
【０１１２】
また、コイルＣＬ８の渦巻の内側にパッドは配置されていない。コイルＣＬ８（コイル配線ＣＷ８）の内側（渦巻きの内側）の端部は、ビア部を介して、コイル配線ＣＷ８よりも下層に配置された引出配線ＨＷ３に電気的に接続されている。このビア部は、コイル配線ＣＷ８と引出配線ＨＷ３との間に位置して、コイル配線ＣＷ８と引出配線ＨＷ３とを接続するものであり、上記ビア部Ｖ２，Ｖ３，Ｖ４，Ｖ５のいずれかに対応し、図１０の場合はビア部Ｖ５に対応している。このビア部は、コイル配線ＣＷ８とは別工程で形成するか、あるいは、コイル配線ＣＷ８と同工程でコイル配線ＣＷ８と一体的に形成することもできる。
【０１１３】
引出配線ＨＷ３には、引出配線ＨＷ３と同層の配線、または引出配線ＨＷ３よりも上層の配線、あるいは、引出配線ＨＷ３よりも下層の配線が接続され、半導体チップＣＰ１の内部配線を介して、半導体チップＣＰ１内に形成された送信回路ＴＸ１に接続される。
【０１１４】
ビア部を介して引出配線ＨＷ３に接続されるコイル配線ＣＷ８が、複数回、周回することにより、コイルＣＬ８が形成されている。なお、記パッドＰＤ６の直下の領域（位置）ではコイル配線ＣＷ８は周回していないことが好ましく、パッドＰＤ６の直下の領域（位置）を囲むようにコイル配線ＣＷ８が周回している。
【０１１５】
図６の場合は、ビア部を介して引出配線ＨＷ３に接続されるコイル配線ＣＷ８が、上記パッドＰＤ６の直下の領域（位置）の周囲を右回り（時計回り）に周回して、コイルＣＬ８が形成されている。コイル配線ＣＷ８同士は交差しないため、ビア部を介して引出配線ＨＷ３に接続されるコイル配線ＣＷ８は、上記パッドＰＤ６の直下の領域（位置）の周囲を右回り（時計回り）に周回する度に、渦巻きの中心から遠い側に徐々にずれていく。
【０１１６】
コイルＣＬ７（コイル配線ＣＷ７）の巻数（ターン数）とコイルＣＬ８（コイル配線ＣＷ８）の巻数（ターン数）とは、必要に応じて変更可能である。但し、コイルＣＬ７（コイル配線ＣＷ７）の巻数と、コイルＣＬ８（コイル配線ＣＷ８）の巻数とは、同じであることが好ましい。また、コイルＣＬ７の大きさ（直径）と、コイルＣＬ８の大きさ（直径）とは、同じであることが好ましい。また、コイルＣＬ７の自己インダクタンスと、コイルＣＬ８の自己インダクタンスとは、同じであることが好ましい。また、磁気結合したコイルＣＬ５，ＣＬ７の相互インダクタンスと、磁気結合したコイルＣＬ６，ＣＬ８の相互インダクタンスとは、同じであることが好ましい。
【０１１７】
コイルＣＬ７とコイルＣＬ８との間において、コイルＣＬ７（コイル配線ＣＷ７）の外側の端部と、コイルＣＬ８（コイル配線ＣＷ８）の外側の端部とは、接続配線（接続用配線）ＨＷ４に接続されている。すなわち、コイルＣＬ７（コイル配線ＣＷ７）の内側（渦巻きの内側）の端部と外側（渦巻きの外側）の端部のうち、内側の端部は、ビア部を介してコイル配線ＣＷ７よりも下層の引出配線ＨＷ２に接続され、外側の端部は、コイル配線ＣＷ７と同層の接続配線ＨＷ４に接続されている。また、コイルＣＬ８（コイル配線ＣＷ８）の内側（渦巻きの内側）の端部と外側（渦巻きの外側）の端部のうち、内側の端部は、ビア部を介してコイル配線ＣＷ８よりも下層の引出配線ＨＷ３に接続され、外側の端部は、コイル配線ＣＷ８と同層の接続配線ＨＷ４に接続されている。このため、コイルＣＬ７（コイル配線ＣＷ７）の一方の端部（外側の端部）とコイルＣＬ８（コイル配線ＣＷ８）の一方の端部（外側の端部）とは、接続配線ＨＷ４を介して電気的に接続されている。
【０１１８】
なお、コイルＣＬ７あるいはコイル配線ＣＷ７において、内側（渦巻きの内側）の端部と外側（渦巻きの外側）の端部とは、互いに反対側の端部であり、また、コイルＣＬ８あるいはコイル配線ＣＷ８において、内側（渦巻きの内側）の端部と外側（渦巻きの外側）の端部とは、互いに反対側の端部である。
【０１１９】
接続配線ＨＷ４は、コイルＣＬ７（コイル配線ＣＷ７）およびコイルＣＬ８（コイル配線ＣＷ８）と同層に形成されており、平面視において、コイルＣＬ７（コイル配線ＣＷ７）とコイルＣＬ８（コイル配線ＣＷ８）との間に延在している（位置している）。
【０１２０】
接続配線ＨＷ４は、コイルＣＬ７（コイル配線ＣＷ７）の外側の端部とコイルＣＬ８（コイル配線ＣＷ８）の外側の端部とを、電気的に接続するための配線である。接続配線ＨＷ４は、コイルＣＬ７とコイルＣＬ８との間に、コイルＣＬ７とコイルＣＬ８とを結ぶ方向（コイルＣＬ７の渦巻きの中心とコイルＣＬ８の渦巻きの中心とを結ぶ方向に対応）に対して交差する方向（より特定的には略直交する方向）に延在している。
【０１２１】
接続配線ＨＷ４を設けずに、コイルＣＬ７（コイル配線ＣＷ７）の外側の端部とコイルＣＬ８（コイル配線ＣＷ８）の外側の端部とを、直接繋ぐこともできる。但し、図６のように、平面視でコイルＣＬ７とコイルＣＬ８との間に、コイル配線ＣＷ７，ＣＷ８の各配線幅よりも配線幅が大きい接続配線ＨＷ４を設ければ、配線抵抗を低減することができる。
【０１２２】
接続配線ＨＷ４は、上記引出配線ＨＷ１の直下に設けることが好ましい。但し、上記引出配線ＨＷ１は、上記パッドＰＤ７に接続する必要があるため、コイルＣＬ５とコイルＣＬ６との間に延在する部分だけでなく、コイルＣＬ５とコイルＣＬ６との間から更にパッドＰＤ７に到達するまで延在させる（引き出す）必要があった。一方、接続配線ＨＷ４については、コイルＣＬ７とコイルＣＬ８との間に設ければよく、コイル配線ＣＷ７，ＣＷ８以外の配線を接続配線ＨＷ４から引き出さなくてよい。
【０１２３】
直列に接続されたコイルＣＬ７およびコイルＣＬ８が、トランスＴＲ１の一次側の上記コイルＣＬ１ａに対応し、直列に接続されたコイルＣＬ５およびコイルＣＬ６が、トランスＴＲ１の二次側の上記コイルＣＬ２ａに対応している。引出配線ＨＷ２，ＨＷ３は、半導体チップＣＰ１の内部配線（Ｍ１〜Ｍ５）を介して、半導体チップＣＰ１内に形成された送信回路ＴＸ１に接続されている。上記パッドＰＤ５，ＰＤ６，ＰＤ７は、それらのパッドＰＤ５，ＰＤ６，ＰＤ７に接続される上記ボンディングワイヤＢＷのような導電性の接続部材と半導体チップＣＰ２の内部配線（Ｍ１〜Ｍ５）を介して、半導体チップＣＰ２内に形成された受信回路ＲＸ１に接続される。
【０１２４】
このため、送信回路ＴＸ１から引出配線ＨＷ２，ＨＷ３に送信用の信号が送られると、引出配線ＨＷ２と引出配線ＨＷ３との間に直列に接続されているコイルＣＬ７およびコイルＣＬ８に電流が流れる。この際、コイルＣＬ７とコイルＣＬ８とは直列に接続されているため、コイルＣＬ７に流れる電流と、コイルＣＬ８に流れる電流とは、実質的に同じ大きさである。コイルＣＬ５とコイルＣＬ７とは、導体によっては繋がっていないが、磁気的に結合しており、また、コイルＣＬ６とコイルＣＬ８とは、導体によっては繋がっていないが、磁気的に結合している。このため、一次側のコイルＣＬ７およびコイルＣＬ８に電流が流れると、その電流の変化に応じて、二次側のコイルＣＬ５およびコイルＣＬ６に誘導起電力が発生して誘導電流が流れるようになっている。
【０１２５】
次に、一次側のコイルＣＬ７，ＣＬ８に流れる電流について更に説明する。
【０１２６】
一次コイルであるコイルＣＬ７，ＣＬ８に電流が流れるには、引出配線ＨＷ２からコイルＣＬ７およびコイルＣＬ８を通って引出配線ＨＷ３に電流が流れる場合と、引出配線ＨＷ３からコイルＣＬ８およびコイルＣＬ７を通って引出配線ＨＷ２に電流が流れる場合の２つのケースがある。
【０１２７】
引出配線ＨＷ２からコイルＣＬ７およびコイルＣＬ８を通って引出配線ＨＷ３に電流が流れる場合は、コイルＣＬ７，ＣＬ８に流れる電流は、次のようになる。すなわち、コイルＣＬ７においては、コイル配線ＣＷ７の内側の端部（ビア部を介して引出配線ＨＷ２に接続された端部）側から、コイル配線ＣＷ７を通って、コイル配線ＣＷ７の外側の端部（接続配線ＨＷ４に接続された端部）側に電流が流れる。つまり、コイルＣＬ７では、渦の内側から外側に向かって電流が流れる。一方、コイルＣＬ８においては、コイル配線ＣＷ８の外側の端部（接続配線ＨＷ４に接続された端部）側から、コイル配線ＣＷ８を通って、コイル配線ＣＷ８の内側の端部（ビア部を介して引出配線ＨＷ３に接続された端部）側に電流が流れる。つまり、コイルＣＬ８では、渦の外側から内側に向かって電流が流れる。
【０１２８】
一方、引出配線ＨＷ３からコイルＣＬ８およびコイルＣＬ７を通って引出配線ＨＷ２に電流が流れる場合は、コイルＣＬ８，ＣＬ７に流れる電流は、次のようになる。すなわち、コイルＣＬ８においては、コイル配線ＣＷ８の内側の端部（ビア部を介して引出配線ＨＷ３に接続された端部）側から、コイル配線ＣＷ８を通って、コイル配線ＣＷ８の外側の端部（接続配線ＨＷ４に接続された端部）側に電流が流れる。つまり、コイルＣＬ８では、渦の内側から外側に向かって電流が流れる。一方、コイルＣＬ７においては、コイル配線ＣＷ７の外側の端部（接続配線ＨＷ４に接続された端部）側から、コイル配線ＣＷ７を通って、コイル配線ＣＷ７の内側の端部（ビア部を介して引出配線ＨＷ２に接続された端部）側に電流が流れる。つまり、コイルＣＬ７では、渦の外側から内側に向かって電流が流れる。
【０１２９】
従って、コイルＣＬ７（コイル配線ＣＷ７）において、内側の端部側から外側の端部側に電流が流れる場合（すなわちコイルＣＬ７において渦の内側から外側に向かって電流が流れる場合）は、コイルＣＬ８（コイル配線ＣＷ８）においては、必然的に、外側の端部側から内側の端部側に電流が流れる（すなわち渦の外側から内側に向かって電流が流れる）ことになる。一方、コイルＣＬ７（コイル配線ＣＷ７）において、外側の端部側から内側の端部側に電流が流れる場合（すなわちコイルＣＬ７において渦の外側から内側に向かって電流が流れる場合）は、コイルＣＬ８（コイル配線ＣＷ８）においては、必然的に、内側の端部側から外側の端部側に電流が流れる（すなわち渦の内側から外側に向かって電流が流れる）ことになる。
【０１３０】
ここで、コイルＣＬ７およびコイルＣＬ８の巻方向（渦巻きの向き）に着目すると、コイルＣＬ７，ＣＬ８はどちらも右巻きであり、コイルＣＬ７，ＣＬ８を上方から見ると、内側の端部（引出配線ＨＷ２，ＨＷ３に接続される側の端部）から外側の端部（接続配線ＨＷ４に接続される側の端部）に向かって右回り（時計回り）に周回している。このため、コイルＣＬ７において、内側の端部側からコイル配線ＣＷ７を通って外側の端部側に電流が流れる場合は、コイルＣＬ７を右回り（時計回り）に電流が流れることになり、一方、外側の端部側からコイル配線ＣＷ７を通って内側の端部側に電流が流れる場合は、コイルＣＬ７を左回り（反時計回り）に電流が流れることになる。また、同様に、コイルＣＬ８においても、内側の端部側からコイル配線ＣＷ８を通って外側の端部側に電流が流れる場合は、コイルＣＬ８を右回り（時計回り）に電流が流れることになり、一方、外側の端部側からコイル配線ＣＷ８を通って内側の端部側に電流が流れる場合は、コイルＣＬ８を左回り（反時計回り）に電流が流れることになる。
【０１３１】
コイルＣＬ７に電流が流れると、コイルＣＬ７の内側（渦巻きの内側）において、コイルＣＬ７を貫くような磁束（図６の紙面に略垂直な方向の磁束）が発生する。また、コイルＣＬ８に電流が流れると、コイルＣＬ８の内側（渦巻きの内側）において、コイルＣＬ８を貫くような磁束（図６の紙面に略垂直な方向の磁束）が発生する。このとき、コイルに右回り（時計回り）に電流が流れる場合と、コイルに左回り（反時計回り）に電流が流れる場合とで、発生する磁束の向きは反対である。
【０１３２】
上述のように、コイルＣＬ７（コイル配線ＣＷ７）において、内側の端部側から外側の端部側に電流が流れる場合は、必然的に、コイルＣＬ８（コイル配線ＣＷ８）においては、外側の端部側から内側の端部側に電流が流れるが、そのときは、コイルＣＬ７では右回り（時計回り）に電流が流れ、コイルＣＬ８では左回り（反時計回り）に電流が流れることになる。この際、コイルＣＬ７の内側を貫く磁束の向きと、コイルＣＬ８の内側を貫く磁束の向きとは、互いに逆向きになる。具体的には、コイルＣＬ７では、右回り（時計回り）に電流が流れることで、コイルＣＬ７の内側（渦巻きの内側）において、図６の紙面を表側から裏側に貫く方向の磁束が発生し、コイルＣＬ８では、左回り（反時計回り）に電流が流れることで、コイルＣＬ８の内側（渦巻きの内側）において、図６の紙面を裏側から表側に貫く方向の磁束が発生する。
【０１３３】
また、上述のように、コイルＣＬ７（コイル配線ＣＷ７）において、外側の端部側から内側の端部側に電流が流れる場合は、必然的に、コイルＣＬ８（コイル配線ＣＷ８）においては、内側の端部側から外側の端部側に電流が流れるが、そのときは、コイルＣＬ７では左回り（反時計回り）に電流が流れ、コイルＣＬ８では右回り（時計回り）に電流が流れることになる。この際、コイルＣＬ７の内側を貫く磁束の向きと、コイルＣＬ８の内側を貫く磁束の向きとは、互いに逆向きになる。具体的には、コイルＣＬ７では、左回り（反時計回り）に電流が流れることで、コイルＣＬ７の内側（渦巻きの内側）において、図６の紙面を裏側から表側に貫く方向の磁束が発生し、コイルＣＬ８では、右回り（時計回り）に電流が流れることで、コイルＣＬ８の内側（渦巻きの内側）において、図６の紙面を表側から裏側に貫く方向に磁束が発生する。
【０１３４】
つまり、直列に接続されたコイルＣＬ７およびコイルＣＬ８に電流が流れると、コイルＣＬ７とコイルＣＬ８とで電流の流れる向きが反対であり、それによって、コイルＣＬ７とコイルＣＬ８とで、互いに反対向きの磁束が発生することになる。
【０１３５】
ここで、コイルの電流の向き（または電流の流れる向き）とは、そのコイル（またはコイル配線）を上方から見て、そのコイルを右回り（時計回り）に電流が流れるか、左回り（反時計回り）に電流が流れるかを指す。このため、２つのコイルについて、コイルの電流の向きが同じ（または電流の流れる向きが同じ）と言う場合は、その２つのコイルを上方から見て、その２つのコイルの両方ともが右回り（時計回り）に電流が流れるか、あるいは、その２つのコイルの両方ともが左回り（反時計回り）に電流が流れることに対応する。また、２つのコイルについて、コイルの電流の向きが反対（または電流の流れる向きが反対）と言う場合は、その２つのコイルを上方から見て、その２つのコイルのうち、一方のコイルは右回り（時計回り）に電流が流れ、他方のコイルは左回り（反時計回り）に電流が流れることに対応する。
【０１３６】
コイルＣＬ５とコイルＣＬ７とは、磁気的に結合しているため、一次側のコイルＣＬ７に流れる電流によって生じる磁束が変化すると、その磁束の変化を打ち消すような誘導起電力が二次側のコイルＣＬ５に発生して、誘導電流が流れる。同様に、コイルＣＬ６とコイルＣＬ８とは、磁気的に結合しているため、一次側のコイルＣＬ８に流れる電流によって生じる磁束が変化すると、その磁束の変化を打ち消すような誘導起電力が二次側のコイルＣＬ６に発生して、誘導電流が流れる。
【０１３７】
上述のように、直列に接続されたコイルＣＬ７およびコイルＣＬ８に電流が流れる場合、コイルＣＬ７とコイルＣＬ８とで電流の流れる向きが反対であり、発生する磁束の向きも、コイルＣＬ７とコイルＣＬ８とで反対である。そして、コイルＣＬ７とコイルＣＬ８とは直列に接続されているため、コイルＣＬ７に流れる電流が減少するときは、コイルＣＬ８に流れる電流も減少し、コイルＣＬ７に流れる電流が増加するときは、コイルＣＬ８に流れる電流も増加する。このため、二次側のコイルＣＬ５，ＣＬ６に誘導電流が流れる場合、コイルＣＬ５に流れる電流の向きと、コイルＣＬ６に流れる電流の向きとは、反対になる。
【０１３８】
まず、引出配線ＨＷ２側からコイルＣＬ７およびコイルＣＬ８を通って引出配線ＨＷ３側に電流を流す場合を仮定する。この場合、一次側のコイルＣＬ７，ＣＬ８においては、コイルＣＬ７に右回りの電流が、コイルＣＬ８に左回りの電流が流れることになる。このとき、一次コイル（ＣＬ７，ＣＬ８）に流れる電流を増加させている間は、二次コイル（ＣＬ５，ＣＬ６）側では、コイルＣＬ５に左回りの誘導電流が、コイルＣＬ６に右回りの誘導電流が流れ、一方、一次コイル（ＣＬ７，ＣＬ８）に流れる電流を減少させている間は、二次コイル（ＣＬ５，ＣＬ６）側では、コイルＣＬ５に右回りの誘導電流が、コイルＣＬ６に左回りの誘導電流が流れる。
【０１３９】
次に、引出配線ＨＷ３側からコイルＣＬ８およびコイルＣＬ７を通って引出配線ＨＷ２側に電流を流す場合を仮定する。この場合、一次側のコイルＣＬ７，ＣＬ８においては、コイルＣＬ８に右回りの電流が、コイルＣＬ７に左回りの電流が流れることになる。このとき、一次コイル（ＣＬ７，ＣＬ８）に流れる電流を増加させている間は、二次コイル（ＣＬ５，ＣＬ６）側では、コイルＣＬ６に左回りの誘導電流が、コイルＣＬ５に右回りの誘導電流が流れ、一方、一次コイル（ＣＬ７，ＣＬ８）に流れる電流を減少させている間は、二次コイル（ＣＬ５，ＣＬ６）側では、コイルＣＬ６に右回りの誘導電流が、コイルＣＬ５に左回りの誘導電流が流れる。
【０１４０】
つまり、二次側のコイルＣＬ５，ＣＬ６に誘導電流が流れる際に、コイルＣＬ５に流れる電流（誘導電流）の向きと、コイルＣＬ６に流れる電流（誘導電流）の向きとは、反対（逆）になる。このため、二次側のコイルＣＬ５，ＣＬ６に誘導電流が流れる際に、コイルＣＬ５に流れる誘導電流によってコイルＣＬ５を貫くように発生する磁束の向きと、コイルＣＬ６に流れる誘導電流によってコイルＣＬ６を貫くように発生する磁束の向きとは、反対（逆）になる。
【０１４１】
コイルＣＬ５とコイルＣＬ６とは、パッドＰＤ５とパッドＰＤ６との間に直列に接続されている。ここで、コイルＣＬ５およびコイルＣＬ６の巻方向（渦巻きの方向）に着目すると、コイルＣＬ５，ＣＬ６のどちらも、内側の端部から外側の端部に向かって右回り（時計回り）に周回している。つまり、コイルＣＬ５とコイルＣＬ６とは、どちらも右巻きである。
【０１４２】
このため、コイルＣＬ５において、コイルＣＬ５を右回り（時計回り）に電流が流れる場合は、内側の端部側（すなわちパッドＰＤ５側）からコイル配線ＣＷ５を通って外側の端部側（すなわち引出配線ＨＷ１側）に電流が流れることになる。一方、コイルＣＬ５において、コイルＣＬ５を左回り（反時計回り）に電流が流れる場合は、外側の端部側（すなわち引出配線ＨＷ１側）からコイル配線ＣＷ５を通って内側の端部側（すなわちパッドＰＤ５側）に電流が流れることになる。また、コイルＣＬ６において、コイルＣＬ６を右回り（時計回り）に電流が流れる場合は、内側の端部側（すなわちパッドＰＤ６側）からコイル配線ＣＷ６を通って外側の端部側（すなわち引出配線ＨＷ１側）に電流が流れることになる。一方、コイルＣＬ６において、コイルＣＬ６を左回り（反時計回り）に電流が流れる場合は、外側の端部側（すなわち引出配線ＨＷ１側）からコイル配線ＣＷ６を通って内側の端部側（すなわちパッドＰＤ６側）に電流が流れることになる。
【０１４３】
従って、二次コイルであるコイルＣＬ５，ＣＬ６に誘導電流が流れるときには、コイルＣＬ５に右回りに電流が流れ、かつコイルＣＬ６に左回りに電流が流れる場合と、コイルＣＬ５に左回りに電流が流れ、かつコイルＣＬ６に右回りに電流が流れる場合との２つのケースがある。そして、コイルＣＬ５に右回りに電流が流れ、かつコイルＣＬ６に左回りに電流が流れる場合は、パッドＰＤ５から、コイルＣＬ５、引出配線ＨＷ１、およびコイルＣＬ６を経てパッドＰＤ６に電流が流れことになる。一方、コイルＣＬ５に左回りに電流が流れ、かつコイルＣＬ６に右回りに電流が流れる場合は、パッドＰＤ６から、コイルＣＬ６、引出配線ＨＷ１、およびコイルＣＬ５を経てパッドＰＤ５に電流が流れることになる。なお、パッドＰＤ７には固定電位(グランド電位、ＧＮＤ電位、電源電位など）が供給されるため、コイルＣＬ５とコイルＣＬ６との間の引出配線ＨＷ１は固定電位(グランド電位、ＧＮＤ電位、電源電位など）となっている。
【０１４４】
つまり、本実施の形態では、直列に接続されたコイルＣＬ７およびコイルＣＬ８に電流が流れるときに、コイルＣＬ７とコイルＣＬ８とで流れる電流の向きが反対になるように、コイルＣＬ７およびコイルＣＬ８の渦巻きの方向を設計している。すなわち、コイルＣＬ７，ＣＬ８は、引出配線ＨＷ２と引出配線ＨＷ３との間に直列に接続されている。そして、引出配線ＨＷ２からコイルＣＬ７，ＣＬ８を経て引出配線ＨＷ３に電流が流れる場合に、コイルＣＬ７とコイルＣＬ８とで流れる電流の向きが反対になり、かつ、引出配線ＨＷ３からコイルＣＬ８，ＣＬ７を経て引出配線ＨＷ２に電流が流れる場合に、コイルＣＬ７とコイルＣＬ８とで流れる電流の向きが反対になるように、コイルＣＬ７，ＣＬ８の渦巻きの方向を設計している。このため、コイルＣＬ７とコイルＣＬ８とで、巻き方向を同じにしている。図６ではコイルＣＬ７とコイルＣＬ８とを両方とも右巻きとしているが、他の形態として、コイルＣＬ７とコイルＣＬ８とを両方とも左巻きとすることもできる。
【０１４５】
また、二次コイルについても同様である。つまり、直列に接続されたコイルＣＬ５およびコイルＣＬ６に電流（誘導電流）が流れるときに、コイルＣＬ５とコイルＣＬ６とで流れる電流（誘導電流）の向きが反対になるように、コイルＣＬ５およびコイルＣＬ６の渦巻きの方向を設計している。すなわち、コイルＣＬ５，ＣＬ６は、パッドＰＤ５とパッドＰＤ６との間に直列に接続されている。そして、パッドＰＤ５からコイルＣＬ５，ＣＬ６を経てパッドＰＤ６側に電流が流れる場合に、コイルＣＬ５とコイルＣＬ６とで流れる電流の向きが反対になり、かつ、パッドＰＤ６からコイルＣＬ６，ＣＬ５を経てパッドＰＤ５側に電流が流れる場合に、コイルＣＬ５とコイルＣＬ６とで流れる電流の向きが反対になるように、コイルＣＬ５，ＣＬ６の渦巻きの方向を設計している。このため、コイルＣＬ５とコイルＣＬ６とで、巻き方向を同じにしている。図５ではコイルＣＬ５とコイルＣＬ６とを両方とも右巻きとしているが、他の形態として、コイルＣＬ５とコイルＣＬ６とを両方とも左巻きとすることもできる。
【０１４６】
このように、コイルＣＬ５とコイルＣＬ６とは、互いに反対方向に電流が流れるように設計され、また、コイルＣＬ７とコイルＣＬ８とは、互いに反対方向に電流が流れるように設計されている。これにより、トランスＴＲ１を介して送信回路ＴＸ１から受信回路ＲＸ１に信号を伝達する際に、一次側では、コイルＣＬ７に流れる電流の向きとコイルＣＬ８に流れる電流の向きとが、互いに反対向きとなり、かつ、二次側では、コイルＣＬ５に流れる電流（誘導電流）の向きとコイルＣＬ６に流れる電流（誘導電流）の向きとが、互いに反対向きとなる。こうすることで、トランスＴＲ１を介して送信回路ＴＸ１から受信回路ＲＸ１に信号を伝達する際に、磁気結合されたコイルＣＬ５およびコイルＣＬ７を貫くように発生する磁束の向きと、磁気結合されたコイルＣＬ６およびコイルＣＬ８を貫くように発生する磁束の向きとを、互いに反対向きとすることができる。
【０１４７】
また、半導体チップＣＰ２の上記トランスＴＲ２についても、半導体チップＣＰ１のトランスＴＲ１と同様に形成することができる。このため、半導体チップＣＰ２においても、上記コイルＣＬ１ｂとして上記コイルＣＬ７，ＣＬ８を形成し、上記コイルＣＬ２ｂとして上記コイルＣＬ５，ＣＬ６を形成し、コイルＣＬ５，ＣＬ６に接続された上記パッドＰＤ５，ＰＤ６，ＰＤ７を形成することができる。
【０１４８】
＜検討例について＞
図１２および図１３は、第１検討例の半導体チップの要部平面図であり、それぞれ上記図５および図６に相当するものである。
【０１４９】
図１２および図１３に示されるように、第１検討例の半導体チップは、上記コイルＣＬ５に相当するコイルＣＬ１０５と、上記コイルＣＬ６に相当するコイルＣＬ１０６とを同層に有し、それよりも下層において、上記コイルＣＬ７に相当するコイルＣＬ１０７と、上記コイルＣＬ８に相当するコイルＣＬ１０８とを同層に有している。コイルＣＬ１０７は、コイルＣＬ１０５の直下に配置され、コイルＣＬ１０５とコイルＣＬ１０７とは導体では繋がっていないが、磁気的に結合している。また、コイルＣＬ１０８は、コイルＣＬ１０６の直上に配置され、コイルＣＬ１０６とコイルＣＬ１０８とは導体では繋がっていないが、磁気的に結合している。
【０１５０】
第１検討例においては、コイルＣＬ１０５およびコイルＣＬ１０６は、上記パッドＰＤ５に相当するパッドＰＤ１０５と上記パッドＰＤ６に相当するパッドＰＤ１０６との間に直列に接続されている。そして、コイルＣＬ１０５とコイルＣＬ１０６との間に、上記パッドＰＤ７に相当するパッドＰＤ１０７が電気的に接続されている。上記パッドＰＤ５と同様に、パッドＰＤ１０５はコイルＣＬ１０５の渦巻の内側に配置され、上記パッドＰＤ６と同様に、パッドＰＤ１０６はコイルＣＬ１０６の渦巻の内側に配置されている。しかしながら、上記パッドＰＤ７は上記コイルＣＬ５とコイルＣＬ６との間には配置されていないのに対して、パッドＰＤ１０７は、コイルＣＬ１０５とコイルＣＬ１０６との間に配置されている。コイルＣＬ１０５とコイルＣＬ１０６との間にパッドＰＤ１０７が配置されている分、コイルＣＬ１０５とコイルＣＬ１０６との距離（間隔）は離れている。
【０１５１】
コイルＣＬ１０５の内側の端部は、パッドＰＤ１０５に接続され、コイルＣＬ１０５の外側の端部は、パッドＰＤ１０７に接続されている。また、コイルＣＬ１０６の内側の端部は、パッドＰＤ１０６に接続され、コイルＣＬ１０６の外側の端部は、パッドＰＤ１０７に接続されている。
【０１５２】
コイルＣＬ１０５の巻方向は、上記コイルＣＬ５の巻方向と同じ右巻きであるが、コイルＣＬ１０６の巻方向は、上記コイルＣＬ６の巻方向とは反対の左巻きである。
【０１５３】
コイルＣＬ１０７の渦巻の内側にパッドは配置されておらず、コイルＣＬ１０７の内側の端部は、ビア部を介して、上記引出配線ＨＷ２に相当する引出配線ＨＷ１０２に電気的に接続されている。また、コイルＣＬ１０８の渦巻の内側にパッドは配置されておらず、コイルＣＬ１０８の内側の端部は、ビア部を介して、上記引出配線ＨＷ３に相当する引出配線ＨＷ１０３に電気的に接続されている。
【０１５４】
コイルＣＬ１０７の外側の端部と、コイルＣＬ１０８の外側の端部とは、コイルＣＬ１０７とコイルＣＬ１０８との間に設けられた接続配線ＨＷ１０４に接続され、この接続配線ＨＷ１０４を介して電気的に接続されている。
【０１５５】
コイルＣＬ１０７の巻方向は、上記コイルＣＬ７の巻方向と同じ右巻きであるが、コイルＣＬ１０８の巻方向は、上記コイルＣＬ８とは反対の左巻きである。
【０１５６】
このような第１検討例の場合、一次側のコイルＣＬ１０７およびコイルＣＬ１０８に電流が流れると、その電流の変化に応じて、二次側のコイルＣＬ１０５およびコイルＣＬ１０６に誘導起電力が発生して誘導電流が流れる。これを利用して、コイルＣＬ１０７，ＣＬ１０８に接続された送信回路（この送信回路はコイルＣＬ１０５〜ＣＬ１０８が形成された半導体チップ内に形成されている）から、パッドＰＤ１０５，ＰＤ１０６，ＰＤ１０７に接続された受信回路（この受信回路はコイルＣＬ１０５〜ＣＬ１０８が形成された半導体チップ以外の半導体チップに形成されている）に信号を伝達することができる。
【０１５７】
しかしながら、第１検討例の場合、コイルＣＬ１０５〜ＣＬ１０８を介して送信回路から受信回路に信号を伝達する際に、一次側では、コイルＣＬ１０７に流れる電流の向きとコイルＣＬ１０８に流れる電流の向きとが、互いに同じ向きとなり、かつ、二次側では、コイルＣＬ１０５に流れる電流（誘導電流）の向きとコイルＣＬ１０６に流れる電流（誘導電流）の向きとが、互いに同じ向きとなる。これについて、更に説明する。
【０１５８】
一次コイルであるコイルＣＬ１０７，ＣＬ１０８に電流が流れるには、引出配線ＨＷ１０２からコイルＣＬ１０７およびコイルＣＬ１０８を通って引出配線ＨＷ１０３に電流が流れる場合と、引出配線ＨＷ１０３からコイルＣＬ１０８およびコイルＣＬ１０７を通って引出配線ＨＷ１０２に電流が流れる場合の２つのケースがある。そして、コイルＣＬ１０７の巻方向とコイルＣＬ１０８の巻方向は互いに逆向きであり、図１３の場合は、コイルＣＬ１０７は右巻きでコイルＣＬ１０８は左巻きである。このため、引出配線ＨＷ１０２からコイルＣＬ１０７，ＣＬ１０８を通って引出配線ＨＷ１０３に電流が流れる場合は、右巻きのコイルＣＬ１０７では、渦の内側から外側に電流が流れるため、コイルＣＬ１０７を右回り（時計回り）に電流が流れ、左巻きのコイルＣＬ１０８では、渦の外側から内側に電流が流れるため、コイルＣＬ１０８を右回り（時計回り）に電流が流れることになる。また、引出配線ＨＷ１０３からコイルＣＬ１０８，ＣＬ１０７を通って引出配線ＨＷ１０２に電流が流れる場合は、左巻きのコイルＣＬ１０８では、渦の内側から外側に電流が流れるため、コイルＣＬ１０８を左回り（反時計回り）に電流が流れ、右巻きのコイルＣＬ１０７では、渦の外側から内側に電流が流れるため、コイルＣＬ１０７を左回り（反時計回り）に電流が流れることになる。
【０１５９】
従って、直列に接続されたコイルＣＬ１０７およびコイルＣＬ１０８に電流が流れると、コイルＣＬ１０７とコイルＣＬ１０８とで電流の流れる向きは同じになり、それによって、コイルＣＬ１０７とコイルＣＬ１０８とで、互いに同じ向きの磁束が発生することになる。
【０１６０】
コイルＣＬ１０５とコイルＣＬ１０７とは、磁気的に結合しているため、一次側のコイルＣＬ１０７に流れる電流によって生じる磁束が変化すると、その磁束の変化を打ち消すような誘導起電力が二次側のコイルＣＬ１０５に発生して、誘導電流が流れる。同様に、コイルＣＬ１０６とコイルＣＬ１０８とは、磁気的に結合しているため、一次側のコイルＣＬ１０８に流れる電流によって生じる磁束が変化すると、その磁束の変化を打ち消すような誘導起電力が二次側のコイルＣＬ１０６に発生して、誘導電流が流れる。
【０１６１】
このため、コイルＣＬ１０７，コイルＣＬ１０８に電流が流れると、コイルＣＬ１０７とコイルＣＬ１０８とで電流の流れる向きは同じになり、コイルＣＬ１０７とコイルＣＬ１０８とで、互いに同じ向きの磁束が発生することから、コイルＣＬ１０５に生じる誘導電流の向きと、コイルＣＬ１０６に生じる誘導電流の向きとは同じになる。つまり、コイルＣＬ１０５に右回り（時計回り）の誘導電流が流れるときには、コイルＣＬ１０６にも右回り（時計周り）の誘導電流が流れ、コイルＣＬ１０５に左回り（反時計周り）の誘導電流が流れるときには、コイルＣＬ１０６にも左回り（反時計周り）の誘導電流が流れる。コイルＣＬ１０５，ＣＬ１０６に右回り（時計回り）の誘導電流が流れる場合、右巻きのコイルＣＬ１０５では渦の内側（パッドＰＤ１０５側）から外側（パッドＰＤ１０７側）に電流が流れ、左巻のコイルＣＬ１０６では渦の外側（パッドＰＤ１０７側）から内側（パッドＰＤ１０６側）に電流が流れることになる。また、コイルＣＬ１０５，ＣＬ１０６に左回り（反時計回り）の誘導電流が流れる場合、左巻きのコイルＣＬ１０６では渦の内側（パッドＰＤ１０６側）から外側（パッドＰＤ１０７側）に電流が流れ、右巻のコイルＣＬ１０５では渦の外側（パッドＰＤ１０７側）から内側（パッドＰＤ１０５側）に電流が流れることになる。
【０１６２】
このように、第１検討例では、コイルＣＬ１０５〜ＣＬ１０８を介して送信回路から受信回路に信号を伝達する際に、一次側では、コイルＣＬ１０７に流れる電流の向きとコイルＣＬ１０８に流れる電流の向きとが、互いに同じ向きとなり、かつ、二次側では、コイルＣＬ１０５に流れる電流（誘導電流）の向きとコイルＣＬ１０６に流れる電流（誘導電流）の向きとが、互いに同じ向きとなる。このため、コイルＣＬ１０５〜ＣＬ１０８を介して送信回路から受信回路に信号を伝達する際に、磁気結合されたコイルＣＬ１０５およびコイルＣＬ１０７を貫くように発生する磁束の向きと、磁気結合されたコイルＣＬ１０６およびコイルＣＬ１０８を貫くように発生する磁束の向きとが、互いに同じ向きになる。
【０１６３】
このような第１検討例の場合、次のような課題があることが、本発明者の検討により分かった。
【０１６４】
二次コイル側では、コイルＣＬ１０５に流れる電流（誘導電流）の向きとコイルＣＬ１０６に流れる電流（誘導電流）の向きとが、互いに同じ向きとなる。このため、コイルＣＬ１０５に流れる誘導電流によりコイルＣＬ１０５を貫くように発生する磁束の向きと、コイルＣＬ１０６に流れる誘導電流によりコイルＣＬ１０６を貫くように発生する磁束の向きとが同じになる。しかしながら、コイルＣＬ１０５とコイルＣＬ１０６とで、流れる誘導電流の向きが同じであると、コイルＣＬ１０５，ＣＬ１０６同士は、互いに磁束（磁界）を打ち消し合うように作用してしまう。
【０１６５】
すなわち、コイルＣＬ１０５に流れる誘導電流によりコイルＣＬ１０５の外部に生じる磁束（磁界）が、コイルＣＬ１０６に流れる誘導電流により生じるコイルＣＬ１０６を貫く磁束（磁界）を打ち消すように作用してしまう。また、コイルＣＬ１０６に流れる誘導電流によりコイルＣＬ１０６の外部に生じる磁束（磁界）が、コイルＣＬ１０５に流れる誘導電流により生じるコイルＣＬ１０５を貫く磁束（磁界）を打ち消すように作用してしまう。
【０１６６】
また、一次コイル側では、コイルＣＬ１０７に流れる電流の向きとコイルＣＬ１０８に流れる電流の向きとが、互いに同じ向きとなる。このため、コイルＣＬ１０７に流れる電流によりコイルＣＬ１０７を貫くように発生する磁束の向きと、コイルＣＬ１０８に流れる電流によりコイルＣＬ１０８を貫くように発生する磁束の向きとが同じになる。しかしながら、コイルＣＬ１０７とコイルＣＬ１０８とで、流れる電流の向きが同じであると、コイルＣＬ１０７，ＣＬ１０８同士は、互いに磁束（磁界）を打ち消し合うように作用してしまう。
【０１６７】
すなわち、コイルＣＬ１０７に流れる電流によりコイルＣＬ１０７の外部に生じる磁束（磁界）が、コイルＣＬ１０８に流れる電流により生じるコイルＣＬ１０８を貫く磁束（磁界）を打ち消すように作用してしまう。また、コイルＣＬ１０８に流れる電流によりコイルＣＬ１０８の外部に生じる磁束（磁界）が、コイルＣＬ１０７に流れる誘導電流により生じるコイルＣＬ１０７を貫く磁束（磁界）を打ち消すように作用してしまう。
【０１６８】
このため、コイルＣＬ１０５〜ＣＬ１０８を介して送信回路から受信回路に信号を伝達する際のロス（損失）が増加し、二次側のコイルＣＬ１０５，ＣＬ１０６から受信回路が受け取る信号の強度が低下してしまう。これは、半導体装置の性能を低下させることにつながる。
【０１６９】
＜本実施の形態の主要な特徴と効果について＞
本実施の形態の半導体チップＣＰ１は、半導体基板（ＳＢ１）上に絶縁層（ＲＳ，ＩＬ）を介して形成された、コイルＣＬ５、コイルＣＬ６、コイルＣＬ７、コイルＣＬ８、パッドＰＤ５、パッドＰＤ６およびパッドＰＤ７を有している。コイルＣＬ５およびコイルＣＬ６は、電気的にパッドＰＤ５とパッドＰＤ６との間に直列に接続され、コイルＣＬ５とコイルＣＬ６との間にパッドＰＤ７が電気的に接続されている。コイルＣＬ７およびコイルＣＬ８は電気的に直列に接続されている。コイルＣＬ５は、コイルＣＬ７の上方に配置され、コイルＣＬ５とコイルＣＬ７とは、導体では接続されずに磁気的に結合されており、コイルＣＬ６は、コイルＣＬ８の上方に配置され、コイルＣＬ６とコイルＣＬ８とは、導体では接続されずに磁気的に結合されている。そして、直列に接続されたコイルＣＬ７およびコイルＣＬ８に電流を流したときに、コイルＣＬ５およびコイルＣＬ６に流れる誘導電流の向きは、コイルＣＬ５とコイルＣＬ６とで反対向きである。
【０１７０】
本実施の形態では、コイルＣＬ５およびコイルＣＬ６に誘導電流が流れるときに、流れる誘導電流の向きが、コイルＣＬ５とコイルＣＬ６とで反対向きになるようにしている。すなわち、コイルＣＬ５，ＣＬ６のうちの一方で、右回り（時計回り）に誘導電流が流れ、他方で左回り（反時計回り）に誘導電流が流れるようにしている。このため、コイルＣＬ５，ＣＬ６に誘導電流が流れるときに、コイルＣＬ５に流れる誘導電流によりコイルＣＬ５を貫くように発生する磁束の向きと、コイルＣＬ６に流れる誘導電流によりコイルＣＬ６を貫くように発生する磁束の向きとが反対向きになる。これにより、コイルＣＬ５，ＣＬ６同士が、互いに磁束（磁界）を打ち消し合うように作用するのを抑制または防止できる。
【０１７１】
すなわち、コイルＣＬ５を貫く磁束（磁界）とコイルＣＬ６を貫く磁束（磁界）とが逆向きであれば、コイルＣＬ５を貫く磁束（磁界）とコイルＣＬ６を貫く磁束（磁界）とが、ループ状に繋がることができる（すなわちループ状に閉じることができる）。このため、コイルＣＬ５に流れる誘導電流により生じる磁束（磁界）と、コイルＣＬ６に流れる誘導電流により生じる磁束（磁界）とが、互いに打ち消し合うのを抑制または防止することができる。
【０１７２】
つまり、上記第１検討例のように、コイルＣＬ１０５，ＣＬ１０６に誘導電流が流れるときに、コイルＣＬ１０５の誘導電流によりコイルＣＬ１０５を貫くように発生する磁束の向きと、コイルＣＬ１０６の誘導電流によりコイルＣＬ１０６を貫くように発生する磁束の向きとが同じ向きの場合は、コイルＣＬ１０５，ＣＬ１０６同士が、互いに磁束（磁界）を打ち消し合うように作用する。それに対して、本実施の形態では、コイルＣＬ５，ＣＬ６に誘導電流が流れるときに、コイルＣＬ５の誘導電流によりコイルＣＬ５を貫くように発生する磁束の向きと、コイルＣＬ６の誘導電流によりコイルＣＬ６を貫くように発生する磁束の向きとが逆向きになるようにしたことで、コイルＣＬ５，ＣＬ６同士が、互いに磁束（磁界）を打ち消し合うように作用するのを抑制または防止できる。このため、本実施の形態では、一次コイル（ＣＬ７，ＣＬ８）から二次コイル（ＣＬ５，ＣＬ６）に誘導電流を用いて信号を伝達する際に、二次コイル（ＣＬ５，ＣＬ６）によって検知する信号強度（受信信号強度）を向上することができる。従って、半導体チップの性能を向上させることができ、ひいては半導体チップを含む半導体装置の性能を向上させることができる。
【０１７３】
また、本実施の形態では、コイルＣＬ７，ＣＬ８については、直列に接続されたコイルＣＬ７およびコイルＣＬ８に電流を流したときに、コイルＣＬ７とコイルＣＬ８とで流れる電流の向きが反対向きになるようにしている。すなわち、コイルＣＬ７，ＣＬ８のうちの一方で、右回り（時計回り）に電流が流れ、他方で左回り（反時計回り）に電流が流れるようにしている。このため、コイルＣＬ７，ＣＬ８に電流が流れるときに、コイルＣＬ７に流れる電流によりコイルＣＬ７を貫くように発生する磁束の向きと、コイルＣＬ８に流れる電流によりコイルＣＬ８を貫くように発生する磁束の向きとが反対向きとなる。これにより、コイルＣＬ７，ＣＬ８同士が、互いに磁束（磁界）を打ち消し合うように作用するのを抑制または防止できる。
【０１７４】
また、直列に接続されたコイルＣＬ７およびコイルＣＬ８に電流を流したときに、コイルＣＬ７とコイルＣＬ８とで流れる電流の向きが反対向きになるようにしておくと、コイルＣＬ５およびコイルＣＬ６に誘導電流が流れるときに、コイルＣＬ５とコイルＣＬ６とで、流れる誘導電流の向きが反対向きになる。これにより、コイルＣＬ７の電流によりコイルＣＬ７を貫くように発生する磁束の向きと、コイルＣＬ８の電流によりコイルＣＬ８を貫くように発生する磁束の向きとが、互いに逆向きになるとともに、コイルＣＬ５の誘導電流によりコイルＣＬ５を貫くように発生する磁束の向きと、コイルＣＬ６の誘導電流によりコイルＣＬ６を貫くように発生する磁束の向きとが、互いに逆向きになる。こうすることで、コイルＣＬ５，ＣＬ６からなるトランスとコイルＣＬ７，ＣＬ８からなるトランスとが、互いに磁束（磁界）を打ち消し合うように作用するのを抑制または防止することができる。このため、本実施の形態では、一次コイル（ＣＬ７，ＣＬ８）から二次コイル（ＣＬ５，ＣＬ６）に誘導電流を用いて信号を伝達する際に、二次コイル（ＣＬ５，ＣＬ６）によって検知する信号強度（受信信号強度）を的確に向上することができる。従って、半導体チップの性能を的確に向上させることができ、ひいては半導体チップを含む半導体装置の性能を的確に向上させることができる。
【０１７５】
また、本実施の形態では、パッドＰＤ５は、コイルＣＬ５（コイル配線ＣＷ５）の内側（渦巻きの内側）に配置され、パッドＰＤ６は、コイルＣＬ６（コイル配線ＣＷ６）の内側（渦巻きの内側）に配置されている。
【０１７６】
パッドＰＤ５をコイルＣＬ５（コイル配線ＣＷ５）の外側に配置した場合には、コイルＣＬ５の内側の端部とパッドＰＤ５とを接続するための引出配線（この引出配線はコイル配線ＣＷ５を横切る）をコイルＣＬ５の下層に設ける必要が生じる。しかしながら、そのような引出配線を形成すると、その引出配線とコイルＣＬ７との間の絶縁耐圧がトランスの耐圧として支配的となり、トランスの耐圧が小さくなる虞がある。
【０１７７】
それに対して、本実施の形態では、パッドＰＤ５をコイルＣＬ５（コイル配線ＣＷ５）の内側に配置することで、引出配線（パッドＰＤ５とコイルＣＬ５とを接続するための引出配線）を形成せずに、コイルＣＬ５の内側の端部をパッドＰＤ５に接続することができる。このため、コイルＣＬ５（コイル配線ＣＷ５）の下層にパッドＰＤ５用の引出配線を形成しなくてよいため、コイルＣＬ５とコイルＣＬ７との間の絶縁耐圧がトランスの耐圧として支配的となり、トランスの耐圧を向上させることができる。また、パッドＰＤ５用の引出配線を形成しなくてよいことで、引出配線に接続するためのビア部を形成しなくてよいため、製造コストや製造時間も抑制できる。
【０１７８】
また、本実施の形態では、パッドＰＤ６をコイルＣＬ６（コイル配線ＣＷ６）の内側に配置することで、引出配線（パッドＰＤ６とコイルＣＬ６とを接続するための引出配線）を形成せずに、コイルＣＬ６の内側の端部をパッドＰＤ６に接続することができる。このため、コイルＣＬ６（コイル配線ＣＷ６）の下層にパッドＰＤ６用の引出配線を形成しなくてよいため、コイルＣＬ６とコイルＣＬ８との間の絶縁耐圧がトランスの耐圧として支配的となり、トランスの耐圧を向上させることができる。また、パッドＰＤ６用の引出配線を形成しなくてよいことで、引出配線に接続するためのビア部を形成しなくてよいため、製造コストや製造時間も抑制できる。
【０１７９】
また、本実施の形態では、コイルＣＬ５とコイルＣＬ６とは同層に形成され、また、コイルＣＬ７とコイルＣＬ８とは同層に形成されている。そして、コイルＣＬ７，ＣＬ８は、コイルＣＬ５，ＣＬ６よりも下層に形成されている。コイルＣＬ５，ＣＬ６とコイルＣＬ７，ＣＬ８とのうち、パッドＰＤ５，ＰＤ６，ＰＤ７に接続すべきコイルＣＬ５，ＣＬ６を上層側に配置することで、コイルＣＬ５，ＣＬ６をパッドＰＤ５，ＰＤ６，ＰＤ７に接続しやすくなる。また、コイルＣＬ５とコイルＣＬ６とを同層に形成し、コイルＣＬ７とコイルＣＬ８とを同層に形成することで、コイルＣＬ５，ＣＬ７の相互インダクタンスとコイルＣＬ６，ＣＬ８の相互インダクタンスとを一致させやすくなる。このため、コイルＣＬ５，ＣＬ６，ＣＬ７，ＣＬ８を介して信号の伝達を的確に行いやすくなる。また、コイルＣＬ５，ＣＬ６，ＣＬ７，ＣＬ８を形成するのに必要な層数を抑制することができる。このため、半導体チップを設計しやすくなる。また、半導体チップの小型化にも有利になる。
【０１８０】
また、本実施の形態では、パッドＰＤ７は、コイルＣＬ５とコイルＣＬ６との間以外の領域に配置されている。そして、コイルＣＬ５とコイルＣＬ６とをパッドＰＤ７に接続するための引出配線ＨＷ１が形成されており、引出配線ＨＷ１は、コイルＣＬ５とコイルＣＬ６との間から、パッドＰＤ７まで延在している。これにより、コイルＣＬ５とコイルＣＬ６とをパッドＰＤ７に的確に接続することができる。
【０１８１】
また、引出配線ＨＷ１の幅Ｗ１は、コイルＣＬ５およびコイルＣＬ６の配線幅（すなわちコイル配線ＣＷ５の幅Ｗ２およびコイル配線ＣＷ６の幅Ｗ２）よりも大きくする（Ｗ１＞Ｗ２）ことが好ましい。これにより、コイルＣＬ５，ＣＬ６の巻き数に影響せずに、引出配線ＨＷ１の抵抗を低減することができる。
【０１８２】
図１４および図１５は、本実施の形態の半導体チップＣＰ１の第１変形例を示す要部平面図であり、それぞれ上記図５および図６に相当するものである。
【０１８３】
図１４および図１５に示される第１変形例が、図５および図６の本実施の形態と相違しているのは、平面視において、パッドＰＤ７がコイルＣＬ５とコイルＣＬ６との間に配置されていることである。このため、図１４および図１５の第１変形例では、パッドＰＤ５とパッドＰＤ７とパッドＰＤ６とが、この順で一列に（一直線上に）配置されている。
【０１８４】
図１４および図１５の第１変形例では、コイルＣＬ５とコイルＣＬ６との間にパッドＰＤ７が配置されている分、図５および図６の場合に比べて、コイルＣＬ５とコイルＣＬ６との間の距離（間隔）が離れている。また、コイルＣＬ７はコイルＣＬ５の直下に配置され、コイルＣＬ８はコイルＣＬ６の直下に配置されているため、図１４および図１５の第１変形例では、コイルＣＬ５とコイルＣＬ６との間にパッドＰＤ７が配置されている分、図５および図６の場合に比べて、コイルＣＬ７とコイルＣＬ８との間の距離（間隔）も離れている。また、図１４および図１５の第１変形例では、パッドＰＤ７がコイルＣＬ５とコイルＣＬ６との間に配置されているため、上記引出配線ＨＷ１は不要であり、コイルＣＬ５の外側（渦の外側）の端部は、パッドＰＤ７に直接的に接続され、コイルＣＬ６の外側（渦の外側）の端部は、パッドＰＤ７に直接的に接続されている。また、図１４および図１５の第１変形例では、図５および図６の場合に比べて、コイルＣＬ７とコイルＣＬ８との間の距離が離れている分、接続配線ＨＷ４の寸法（幅）が大きくなっている。
【０１８５】
これ以外については、図１４および図１５の第１変形例は、図５および図６の本実施の形態と基本的には同じであるので、ここではその繰り返しの説明は省略する。
【０１８６】
図５および図６の場合と同様に、図１４および図１５の第１変形例の場合も、コイルＣＬ５およびコイルＣＬ６に誘導電流が流れるときに、流れる誘導電流の向きが、コイルＣＬ５とコイルＣＬ６とで反対向きになる。すなわち、コイルＣＬ５，ＣＬ６のうちの一方で、右回り（時計回り）に誘導電流が流れ、他方で左回り（反時計回り）に誘導電流が流れる。このため、コイルＣＬ５，ＣＬ６に誘導電流が流れるときに、コイルＣＬ５に流れる誘導電流によりコイルＣＬ５を貫くように発生する磁束の向きと、コイルＣＬ６に流れる誘導電流によりコイルＣＬ６を貫くように発生する磁束の向きとが反対向き（逆向き）になる。これにより、コイルＣＬ５，ＣＬ６同士が、互いに磁束（磁界）を打ち消し合うように作用するのを抑制または防止できる。
【０１８７】
また、図５および図６の場合と同様に、図１４および図１５の第１変形例の場合も、コイルＣＬ７，ＣＬ８については、直列に接続されたコイルＣＬ７およびコイルＣＬ８に電流を流したときに、コイルＣＬ７とコイルＣＬ８とで流れる電流の向きが反対向き（逆向き）になる。すなわち、コイルＣＬ７，ＣＬ８のうちの一方で、右回り（時計回り）に電流が流れ、他方で左回り（反時計回り）に電流が流れるようにしている。このため、コイルＣＬ７，ＣＬ８に電流が流れるときに、コイルＣＬ７に流れる電流によりコイルＣＬ７を貫くように発生する磁束の向きと、コイルＣＬ８に流れる電流によりコイルＣＬ８を貫くように発生する磁束の向きとが反対向き（逆向き）となる。これにより、コイルＣＬ７，ＣＬ８同士が、互いに磁束（磁界）を打ち消し合うように作用するのを抑制または防止できる。
【０１８８】
このため、図１４および図１５の第１変形例の場合も、上記図１２および図１３の第１検討例の場合に比べて、一次コイル（ＣＬ７，ＣＬ８）から二次コイル（ＣＬ５，ＣＬ６）に誘導電流を用いて信号を伝達する際に、二次コイル（ＣＬ５，ＣＬ６）によって検知する信号強度（受信信号強度）を向上することができる。
【０１８９】
しかしながら、半導体チップにコイルＣＬ５，ＣＬ６およびパッドＰＤ５，ＰＤ６，ＰＤ７をレイアウトする場合、コイルＣＬ５とコイルＣＬ６との間にパッドＰＤ７を配置する制約があると、半導体チップのレイアウト設計が行いにくくなる。コイルＣＬ５とコイルＣＬ６との間にパッドＰＤ７を配置する制約無しに、パッドＰＤ７の配置位置をコイルＣＬ５とコイルＣＬ６との間以外の領域に自由に設定できれば、半導体チップ全体を設計する上で、設計の自由度が上がり、半導体チップの設計を行いやすくなる。
【０１９０】
例えば、図１４および図１５の第１変形例のように、コイルＣＬ５とコイルＣＬ６との間にパッドＰＤ７を配置する場合、コイルＣＬ５，ＣＬ６およびパッドＰＤ５，ＰＤ６，ＰＤ７の配置領域として、コイルＣＬ５とパッドＰＤ７とコイルＣＬ６とが並んだ方向に、長い寸法の配置領域が必要になる。しかしながら、半導体チップ全体を設計する上で、コイルＣＬ５，ＣＬ６およびパッドＰＤ５，ＰＤ６，ＰＤ７の配置領域として、そのように一方向に長い配置領域を設けることは避けたい場合もある。また、コイルＣＬ５とコイルＣＬ６との間にパッドＰＤ７を配置する制約があると、パッドＰＤ５とパッドＰＤ７とパッドＰＤ６とがこの順に一列に配列することになる。しかしながら、これらパッドＰＤ５，ＰＤ６，ＰＤ７に上記ボンディングワイヤＢＷのような接続部材を接続する上で、パッドＰＤ５，ＰＤ６，ＰＤ７の配列について、パッドＰＤ５とパッドＰＤ７とパッドＰＤ６とがこの順に一列に配列した形態以外の形態にしたい場合もある。
【０１９１】
このため、本発明者は、図１４および図１５の第１変形例のようにコイルＣＬ５とコイルＣＬ６との間にパッドＰＤ７を配置するのではなく、パッドＰＤ７を、コイルＣＬ５とコイルＣＬ６との間以外の領域に配置することを検討した。パッドＰＤ７をコイルＣＬ５とコイルＣＬ６との間以外の領域に配置する場合は、コイルＣＬ５とコイルＣＬ６との間にパッドＰＤ７が配置されない分、図１４および図１５の第１変形例の場合よりも、コイルＣＬ５とコイルＣＬ６との間の距離を短くすることが好ましい。
【０１９２】
図１４および図１５の第１変形例の場合は、コイルＣＬ５とコイルＣＬ６との間にパッドＰＤ７が配置されているため、コイルＣＬ５とコイルＣＬ６との間の距離（間隔）Ｌ２は、パッドＰＤ７の辺の長さＬ１と同じかそれ以上になる（Ｌ２≧Ｌ１）。コイルＣＬ５，ＣＬ６およびパッドＰＤ５，ＰＤ６の配置位置は図１４と同じままで、パッドＰＤ７の位置だけをコイルＣＬ５とコイルＣＬ６との間以外の位置に移した場合は、パッドＰＤ７の配置領域が必要になる分、コイルＣＬ５，ＣＬ６およびパッドＰＤ５，ＰＤ６，ＰＤ７の配置領域と必要な面積が増大するため、半導体チップの小型化（小面積化）に不利となる。すなわち、コイルＣＬ５とコイルＣＬ６との間の領域が無駄になってしまう分、半導体チップの小型化（小面積化）に不利となる。
【０１９３】
このため、パッドＰＤ７を、コイルＣＬ５とコイルＣＬ６との間以外の領域に配置する場合は、コイルＣＬ５とコイルＣＬ６との間にパッドＰＤ７を配置しなくて済んだ分、コイルＣＬ５とコイルＣＬ６とを互いに近づけて配置し、図１４の場合よりも、コイルＣＬ５とコイルＣＬ６との間の距離（間隔）を短くすることが好ましい。従って、パッドＰＤ７を、コイルＣＬ５とコイルＣＬ６との間以外の領域に配置する場合は、コイルＣＬ５とコイルＣＬ６との間の距離（間隔）Ｌ２は、パッドＰＤ７の辺の長さＬ１よりも小さくする（Ｌ２＜Ｌ１）ことが好ましい。図５の場合は、この条件を満たしている。これにより、コイルＣＬ５，ＣＬ６およびパッドＰＤ５，ＰＤ６，ＰＤ７の配置に要する面積を抑制できるため、半導体チップの小型化（小面積化）に有利となる。
【０１９４】
つまり、パッドＰＤ７をコイルＣＬ５とコイルＣＬ６との間以外の領域に配置する場合は、コイルＣＬ５とコイルＣＬ６との間にパッドＰＤ７が配置できなくなるまで近づけた間隔でコイルＣＬ５とコイルＣＬ６とを配置することが好ましい。すなわち、コイルＣＬ５の中心とコイルＣＬ６の中心とを結ぶ方向に平行な方向でみたときのコイルＣＬ５とコイルＣＬ６との間の間隔（図５の場合はＬ２がこの間隔になる）が、コイルＣＬ５の中心とコイルＣＬ６の中心とを結ぶ方向に平行な方向でみたときのパッドＰＤ７の寸法（図５の場合はＬ１がこの寸法になる）よりも小さくなることが好ましい。
【０１９５】
また、コイルＣＬ７はコイルＣＬ５の直下に配置され、コイルＣＬ８はコイルＣＬ６の直下に配置されるため、コイルＣＬ５とコイルＣＬ６との間の距離（間隔）Ｌ２は、コイルＣＬ７とコイルＣＬ８との間の距離（間隔）Ｌ３と実質的に同じである（Ｌ２＝Ｌ３）。なお、コイルＣＬ５，ＣＬ６間の距離Ｌ２とコイルＣＬ７，ＣＬ８間の距離（間隔）Ｌ３は、それぞれ、平面視での距離（間隔）に対応している。
【０１９６】
図１６は、コイル間の距離（間隔）と結合係数との相関を示すグラフである。図１７および図１８は、図１６のグラフを得るシミュレーションに用いたコイルパターンを示す平面図である。図１６のグラフは、図１７および図１８のコイルパターンを基にシミュレーションして得られたものである。
【０１９７】
図１７のコイルパターンは、上記図１２のコイルパターンを模したものである。すなわち、図１７のコイルＣＬ２０５は、上記図１２のコイルＣＬ１０５を模したものであり、図１７のコイルＣＬ２０６は、上記図１２のコイルＣＬ１０６を模したものであり、図１７のパッドパターンＰＤ２０５は、上記図１２のパッドＰＤ１０５を模したものであり、図１７のパッドパターンＰＤ２０６は、上記図１２のパッドＰＤ１０６を模したものである。コイルＣＬ２０５は、上記コイルＣＬ１０５と同様に右巻きであり、コイルＣＬ２０６は、上記コイルＣＬ１０６と同様に左巻である。また、コイルＣＬ２０５およびコイルＣＬ２０６の直下には、上記コイルＣＬ１０７，ＣＬ１０８を模した２つのコイル（直列に接続された２つのコイル）が配置されているが、それについては、図示を省略している。コイルＣＬ２０５の直下のコイル（図示せず）は、コイルＣＬ２０５と同じ大きさで同じ巻き数であり、巻き方向は上記コイルＣＬ１０７と同様に右巻きである。コイルＣＬ２０６の直下のコイル（図示せず）は、コイルＣＬ２０６と同じ大きさで同じ巻き数であり、巻き方向は上記コイルＣＬ１０８と同様に左巻きである。
【０１９８】
図１８のコイルパターンは、上記図５のコイルパターンを模したものである。すなわち、図１８のコイルＣＬ３０５は、上記図５のコイルＣＬ５を模したものであり、図１８のコイルＣＬ３０６は、上記図５のコイルＣＬ６を模したものであり、図１８のパッドパターンＰＤ３０５は、上記図５のパッドＰＤ５を模したものであり、図１８のパッドパターンＰＤ３０６は、上記図５のパッドＰＤ６を模したものである。コイルＣＬ３０５は、上記コイルＣＬ５と同様に右巻きであり、コイルＣＬ３０６は、上記コイルＣＬ６と同様に右巻である。また、コイルＣＬ３０５およびコイルＣＬ３０６の直下には、上記コイルＣＬ７，ＣＬ８を模した２つのコイル（直列に接続された２つのコイル）が配置されているが、それについては、図示を省略している。コイルＣＬ３０５の直下のコイル（図示せず）は、コイルＣＬ３０５と同じ大きさで同じ巻き数であり、巻き方向は上記コイルＣＬ７と同様に右巻きである。コイルＣＬ３０６の直下のコイル（図示せず）は、コイルＣＬ３０６と同じ大きさで同じ巻き数であり、巻き方向は上記コイルＣＬ８と同様に右巻きである。
【０１９９】
なお、図１７のコイルＣＬ２０５，ＣＬ２０６と、図１８のコイルＣＬ３０５，ＣＬ３０６とは、コイルの巻方向以外（コイルの巻き数や寸法など）はほぼ同じである。各コイルＣＬ２０５，ＣＬ２０６，ＣＬ３０５，ＣＬ３０６は、内径を１３０μｍとし、コイル配線の配線間隔を１１μｍとし、巻き数を３巻とし、コイル間距離Ｌ２０１，Ｌ３０１については約０μｍ、約５０μｍ、約１００μｍの３種類として、結合係数のシミュレーションを行った。
【０２００】
図１７のコイルパターンの場合、コイルＣＬ２０５，ＣＬ２０６の直下の２つのコイルに電流が流れることに伴い、コイルＣＬ２０５，ＣＬ２０６に誘導電流が流れるときに、流れる誘導電流の向きが、コイルＣＬ２０５とコイルＣＬ２０６とで同じ向きになる。すなわち、コイルＣＬ２０５を貫く磁束の向きと、ＣＬ２０６を貫く磁束の向きとが同じになる。これを前提に、一次コイル（コイルＣＬ２０５，ＣＬ２０６の直下のコイル）と二次コイル（コイルＣＬ２０５，ＣＬ２０６）との結合係数をシミュレーションして調べた結果が、図１６のグラフに、黒い丸印（●）で示してある。ここで、コイルＣＬ２０５とコイルＣＬ２０６との間の距離（間隔）Ｌ２０１を、３種類（約０μｍ、５０μｍ、１００μｍ）の値で変えた場合について、それぞれ一次コイルと二次コイルとの結合係数を調べ、図１６のグラフの横軸に、このコイルＣＬ２０５とコイルＣＬ２０６との間の距離Ｌ２０１をとり、図１６のグラフの縦軸に結合係数をとってプロットしてある。
【０２０１】
また、図１８のコイルパターンの場合、コイルＣＬ３０５，ＣＬ３０６の直下の２つのコイルに電流が流れることに伴い、コイルＣＬ３０５，ＣＬ３０６に誘導電流が流れるときに、流れる誘導電流の向きが、コイルＣＬ３０５とコイルＣＬ３０６とで反対向きになる。すなわち、コイルＣＬ３０５を貫く磁束の向きと、ＣＬ３０６を貫く磁束の向きとが反対になる。これを前提に、一次コイル（コイルＣＬ３０５，ＣＬ３０６の直下のコイル）と二次コイル（コイルＣＬ３０５，ＣＬ３０６）との結合係数をシミュレーションして調べた結果が、図１６のグラフに、白い丸印（○）で示してある。ここで、コイルＣＬ３０５とコイルＣＬ３０６との間の距離（間隔）Ｌ３０１を、３種類（約０μｍ、５０μｍ、１００μｍ）の値で変えた場合について、それぞれ一次コイルと二次コイルとの結合係数を調べ、図１６のグラフの横軸に、このコイルＣＬ３０５とコイルＣＬ３０６との間の距離Ｌ３０１をとり、図１６のグラフの縦軸に結合係数をとってプロットしてある。
【０２０２】
図１６のグラフからわかるように、コイル間の距離（Ｌ２０１，Ｌ３０１）が同じ場合で比べると、図１７のコイルパターンの場合（図１６のグラフの黒い丸印に対応）よりも図１８のコイルパターンの場合（図１６のグラフの白い丸印に対応）の方が、一次コイルと二次コイルの結合係数が大きくなる。すなわち、図１７の場合のようにコイルＣＬ２０５，ＣＬ２０６に流れる誘導電流の向きが、コイルＣＬ２０５とコイルＣＬ２０６とで同じ向きになる場合よりも、図１８の場合のようにコイルＣＬ３０５，ＣＬ３０６に流れる誘導電流の向きが、コイルＣＬ３０５とコイルＣＬ３０６とで逆向きになる場合の方が、一次コイルと二次コイルの結合係数が大きくなる。結合係数が大きくなることは、一次コイルと二次コイルとを介して信号を伝達する際に、二次コイル側で検知する信号強度（受信信号強度）を大きくすることにつながる。また、コイルの巻き数を多くすると、結合強度は大きくなるが、これはコイルの面積増大につながり、半導体チップの小型化（小面積化）に不利となる。このため、図１７のコイルパターンの場合（誘導電流の向きがコイルＣＬ２０５とコイルＣＬ２０６とで同じ向きになる場合）よりも、図１８のコイルパターンの場合（誘導電流の向きがコイルＣＬ３０５とコイルＣＬ３０６とで逆向きになる場合）の方が、結合係数が稼げる分、コイルの面積を抑制しても必要な結合係数を確保できるため、半導体チップの小型化（小面積化）に有利である。
【０２０３】
また、図１６のグラフからわかるように、図１７のコイルパターンの場合（誘導電流の向きがコイルＣＬ２０５とコイルＣＬ２０６とで同じ向きになる場合）は、コイルＣＬ２０５とコイルＣＬ２０６との間の距離Ｌ２０１が短くなる（すなわちコイルＣＬ２０５とコイルＣＬ２０６とを近づける）と、一次コイルと二次コイルの結合係数が更に小さくなる。これは、図１７のコイルパターンの場合（誘導電流の向きがコイルＣＬ２０５とコイルＣＬ２０６とで同じ向きになる場合）は、コイルＣＬ２０５とコイルＣＬ２０６とが近づくほど、互いに磁束を打ち消し合う作用が大きくなるためと考えられる。このため、上記図１２および図１３の第１検討例において、上記パッドＰＤ１０７をコイルＣＬ１０５とコイルＣＬ１０６との間以外の領域に移動させ、かつ、コイルＣＬ１０５とコイルＣＬ１０６とを互いに近づけた（図５および図６と同程度に近づけた）場合を仮定すると、一次コイルと二次コイルの結合係数は、上記図１２および図１３の場合よりも、更に小さくなってしまう。
【０２０４】
それに対して、図１８のコイルパターンの場合（誘導電流の向きがコイルＣＬ３０５とコイルＣＬ３０６とで反対向きになる場合）は、コイルＣＬ３０５とコイルＣＬ３０６との間の距離Ｌ３０１が短くなる（すなわちコイルＣＬ３０５とコイルＣＬ３０６とを近づける）と、一次コイルと二次コイルの結合係数が大きくなる。このため、上記図５および図６のように、パッドＰＤ７をコイルＣＬ５とコイルＣＬ６との間以外の領域に配置し、かつ、コイルＣＬ５とコイルＣＬ６とを互いに近づけた場合の方が、上記図１４および図１５の第１変形例の場合よりも、一次コイルと二次コイルの結合係数は、更に大きくなる。
【０２０５】
このため、パッドＰＤ７がコイルＣＬ５とコイルＣＬ６との間に配置されているかどうかにかかわらず、コイルＣＬ５，ＣＬ６に流れる誘導電流の向きが、コイルＣＬ５とコイルＣＬ６とで反対向きになるようにすることで、一次コイルと二次コイルの結合係数を大きくすることができる。しかしながら、パッドＰＤ７をコイルＣＬ５とコイルＣＬ６との間以外の領域に配置した場合は、コイルＣＬ５とコイルＣＬ６との間の距離を近づけることができるが、その場合、誘導電流の向きがコイルＣＬ５とコイルＣＬ６とで反対向きになるようにすることが、結合係数を確保するために特に重要になる。すなわち、もしも誘導電流の向きがコイルＣＬ５とコイルＣＬ６とで同じ向きであれば、コイルＣＬ５とコイルＣＬ６との間の距離を近づけることは、結合係数が更に小さくなることに繋がるのに対して、誘導電流の向きがコイルＣＬ５とコイルＣＬ６とで反対向きになるようにすれば、コイルＣＬ５とコイルＣＬ６との間の距離を近づけても、結合係数を大きくすることができる。
【０２０６】
このため、誘導電流の向きがコイルＣＬ５とコイルＣＬ６とで反対向きになるようにすることは、パッドＰＤ７の配置位置によらずに結合係数増大の効果があるが、パッドＰＤ７をコイルＣＬ５とコイルＣＬ６との間以外の領域に配置した場合に、特に効果が大きいと言える。
【０２０７】
上記図１４の第１変形例では、コイルＣＬ５とコイルＣＬ６との間にパッドＰＤ７を配置しているが、上記図５に示される本実施の形態では、パッドＰＤ７は、コイルＣＬ５とコイルＣＬ６との間以外の領域に配置している。このため、コイルＣＬ５とコイルＣＬ６との間にパッドＰＤ７を配置する制約が無いので、半導体チップの全体を設計する上で、設計の自由度が上がり、半導体チップの設計を行いやすくなる。また、上記図５に示される本実施の形態では、コイルＣＬ５とコイルＣＬ６との間の距離（間隔）は、パッドＰＤ７の辺の長さＬ１よりも小さくしている。このため、コイルＣＬ５，ＣＬ６およびパッドＰＤ５，ＰＤ６，ＰＤ７の配置に要する面積を抑制できるため、半導体チップの小型化（小面積化）に有利となる。
【０２０８】
＜半導体パッケージの構成例について＞
次に、本実施の形態の半導体パッケージの構成例について説明する。なお、半導体パッケージは半導体装置とみなすこともできる。
【０２０９】
図１９は、本実施の形態の半導体パッケージ（半導体装置）ＰＫＧを示す平面図であり、図２０は、半導体パッケージＰＫＧの断面図である。但し、図１９では、封止樹脂部ＭＲは透視し、封止樹脂部ＭＲの外形（外周）を二点鎖線で示してある。また、図１９のＢ１−Ｂ１線の断面図が図２０にほぼ対応している。
【０２１０】
図１９および図２０に示される半導体パッケージＰＫＧは、半導体チップＣＰ１，ＣＰ２を含む半導体パッケージである。以下、半導体パッケージＰＫＧの構成について、具体的に説明する。
【０２１１】
図１９および図２０に示される半導体パッケージＰＫＧは、半導体チップＣＰ１，ＣＰ２と、半導体チップＣＰ１，ＣＰ２をそれぞれ搭載するダイパッドＤＰ１，ＤＰ２と、導電体からなる複数のリードＬＤと、半導体チップＣＰ１，ＣＰ２間や半導体チップＣＰ１，ＣＰ２と複数のリードＬＤとの間を接続する複数のボンディングワイヤＢＷと、これらを封止する封止樹脂部ＭＲとを有している。
【０２１２】
封止樹脂部（封止部、封止樹脂、封止体）ＭＲは、例えば熱硬化性樹脂材料などの樹脂材料などからなり、フィラーなどを含むこともできる。封止樹脂部ＭＲにより、半導体チップＣＰ１，ＣＰ２、ダイパッドＤＰ１，ＤＰ２、複数のリードＬＤおよび複数のボンディングワイヤＢＷが封止され、電気的および機械的に保護される。封止樹脂部ＭＲは、その厚さと交差する平面形状（外形形状）は例えば矩形（四角形）とすることができる。
【０２１３】
半導体チップＣＰ１の素子形成側の主面である半導体チップＣＰ１の表面には、複数のパッド（パッド電極、ボンディングパッド）ＰＤが形成されている。半導体チップＣＰ１の各パッドＰＤは、半導体チップＣＰ１の内部に形成された半導体集積回路（例えば上記制御回路ＣＣなど）に電気的に接続されている。
【０２１４】
半導体チップＣＰ１の表面には、更に、上記パッドＰＤ５，ＰＤ６，ＰＤ７にそれぞれ対応するパッド（パッド電極、ボンディングパッド）ＰＤ５ａ，ＰＤ６ａ，ＰＤ７ａが形成されている。
【０２１５】
すなわち、半導体チップＣＰ１は、上記送信回路ＴＸ１とこの送信回路ＴＸ１に接続された上記コイルＣＬ７，ＣＬ８（一次コイル）と、このコイルＣＬ７，ＣＬ８にそれぞれ磁気的に結合された上記コイルＣＬ５，ＣＬ６（二次コイル）と、このコイルＣＬ５，ＣＬ６に接続された上記パッドＰＤ５，ＰＤ６，ＰＤ７とを有している。半導体チップＣＰ１が有するパッドＰＤ５がパッドＰＤ５ａに対応し、半導体チップＣＰ１が有するパッドＰＤ６がパッドＰＤ６ａに対応し、半導体チップＣＰ１が有するパッドＰＤ７がパッドＰＤ７ａに対応している。
【０２１６】
また、半導体チップＣＰ１は、上記受信回路ＲＸ２と、この受信回路ＲＸ２に接続された複数のパッド（パッド電極、ボンディングパッド）ＰＤ９とを更に有している。このため、半導体チップＣＰ１の表面には、パッドＰＤ，ＰＤ５ａ，ＰＤ６ａ，ＰＤ７ａ，ＰＤ９が形成されている。なお、半導体チップＣＰ１の複数のパッドＰＤ９のうち、半導体チップＣＰ２のパッドＰＤ７ｂにボンディングワイヤＢＷを介して接続されるパッドＰＤ９は、固定電位(グランド電位、ＧＮＤ電位、電源電位など）を供給するパッドである。
【０２１７】
半導体チップＣＰ２の素子形成側の主面である半導体チップＣＰ２の表面には、複数のパッドＰＤが形成されている。半導体チップＣＰ２の各パッドＰＤは、半導体チップＣＰ２の内部に形成された半導体集積回路（例えば上記駆動回路ＤＲなど）に電気的に接続されている。
【０２１８】
半導体チップＣＰ２の表面には、更に、上記パッドＰＤ５，ＰＤ６，ＰＤ７にそれぞれ対応するパッド（パッド電極、ボンディングパッド）ＰＤ５ｂ，ＰＤ６ｂ，ＰＤ７ｂが形成されている。
【０２１９】
すなわち、半導体チップＣＰ２は、上記送信回路ＴＸ２とこの送信回路ＴＸ２に接続された上記コイルＣＬ７，ＣＬ８（一次コイル）と、このコイルＣＬ７，ＣＬ８にそれぞれ磁気的に結合された上記コイルＣＬ５，ＣＬ６（二次コイル）と、このコイルＣＬ５，ＣＬ６に接続された上記パッドＰＤ５，ＰＤ６，ＰＤ７とを有している。半導体チップＣＰ２が有するパッドＰＤ５がパッドＰＤ５ｂに対応し、半導体チップＣＰ２が有するパッドＰＤ６がパッドＰＤ６ｂに対応し、半導体チップＣＰ２が有するパッドＰＤ７がパッドＰＤ７ｂに対応している。
【０２２０】
また、半導体チップＣＰ２は、上記受信回路ＲＸ１と、この受信回路ＲＸ１に接続された複数のパッド（パッド電極、ボンディングパッド）ＰＤ８とを更に有している。このため、半導体チップＣＰ２の表面には、パッドＰＤ，ＰＤ５ｂ，ＰＤ６ｂ，ＰＤ７ｂ，ＰＤ８が形成されている。なお、半導体チップＣＰ２の複数のパッドＰＤ８のうち、半導体チップＣＰ１のパッドＰＤ７ａにボンディングワイヤＢＷを介して接続されるパッドＰＤ８は、固定電位(グランド電位、ＧＮＤ電位、電源電位など）を供給するパッドである。
【０２２１】
なお、半導体チップＣＰ１において、パッドＰＤ，ＰＤ５ａ，ＰＤ６ａ，ＰＤ７ａ，ＰＤ９が形成された側の主面を半導体チップＣＰ１の表面と呼び、それとは反対側の主面を、半導体チップＣＰ１の裏面と呼ぶものとする。また、半導体チップＣＰ２において、パッドＰＤ，ＰＤ５ｂ，ＰＤ６ｂ，ＰＤ７ｂ，ＰＤ８が形成された側の主面を半導体チップＣＰ２の表面と呼び、それとは反対側の主面を、半導体チップＣＰ２の裏面と呼ぶものとする。
【０２２２】
半導体チップＣＰ１は、半導体チップＣＰ１の表面が上方を向くように、チップ搭載部であるダイパッドＤＰ１の上面上に搭載（配置）され、半導体チップＣＰ１の裏面がダイパッドＤＰ１の上面にダイボンド材（接着材）ＤＢを介して接着されて固定されている。
【０２２３】
半導体チップＣＰ２は、半導体チップＣＰ２の表面が上方を向くように、チップ搭載部であるダイパッドＤＰ２の上面上に搭載（配置）され、半導体チップＣＰ２の裏面がダイパッドＤＰ２の上面にダイボンド材（接着材）ＤＢを介して接着されて固定されている。
【０２２４】
ダイパッドＤＰ１とダイパッドＤＰ２とは、封止樹脂部ＭＲを構成する材料を間に介して離間しており、互いに電気的に絶縁されている。
【０２２５】
リードＬＤは、導電体で形成されており、好ましくは銅（Ｃｕ）または銅合金などの金属材料からなる。各リードＬＤは、リードＬＤのうちの封止樹脂部ＭＲ内に位置する部分であるインナリード部と、リードＬＤのうちの封止樹脂部ＭＲ外に位置する部分であるアウタリード部とからなり、リードＬＤのアウタリード部は、封止樹脂部ＭＲの側面から封止樹脂部ＭＲ外に突出している。隣り合うリードＬＤのインナリード部間は、封止樹脂部ＭＲを構成する材料により満たされている。各リードＬＤのアウタリード部は、半導体パッケージＰＫＧの外部接続用端子部（外部端子）として機能することができる。各リードＬＤのアウタリード部は、アウタリード部の端部近傍の下面が封止樹脂部ＭＲの下面よりも若干下に位置するように折り曲げ加工されている。
【０２２６】
半導体チップＣＰ１，ＣＰ２の表面の各パッドＰＤは、各リードＬＤのインナリード部に、導電性接続部材であるボンディングワイヤＢＷを介してそれぞれ電気的に接続されている。すなわち、半導体チップＣＰ１，ＣＰ２の表面の各パッドＰＤに一端が接続されたボンディングワイヤＢＷの他端は、各リードＬＤのインナリード部の上面に接続されている。また、半導体チップＣＰ１の表面のパッドＰＤ５ａ，ＰＤ６ａ，ＰＤ７ａは、半導体チップＣＰ２の表面のパッドＰＤ８にボンディングワイヤＢＷを介してそれぞれ電気的に接続されている。また、半導体チップＣＰ２の表面のパッドＰＤ５ｂ，ＰＤ６ｂ，ＰＤ７ｂは、半導体チップＣＰ１の表面のパッドＰＤ９にボンディングワイヤＢＷを介してそれぞれ電気的に接続されている。
【０２２７】
ボンディングワイヤＢＷは、導電性の接続部材（接続用部材）であるが、より特定的には導電性のワイヤであり、例えば金（Ａｕ）線または銅（Ｃｕ）線などの金属細線からなる。ボンディングワイヤＢＷは、封止樹脂部ＭＲ内に封止されており、封止樹脂部ＭＲから露出されない。
【０２２８】
ここで、半導体チップＣＰ１のパッドＰＤ５ａ，ＰＤ６ａ，ＰＤ７ａと半導体チップＣＰ２のパッドＰＤ８との間を接続するボンディングワイヤＢＷを、以下では、符号ＢＷ８を付してボンディングワイヤＢＷ８と称することとする。また、半導体チップＣＰ２のパッドＰＤ５ｂ，ＰＤ６ｂ，ＰＤ７ｂと半導体チップＣＰ１のパッドＰＤ９との間を接続するボンディングワイヤＢＷを、以下では、符号ＢＷ９を付してボンディングワイヤＢＷ９と称することとする。
【０２２９】
半導体チップＣＰ１と半導体チップＣＰ２との間は、ボンディングワイヤＢＷ８，ＢＷ９で接続されているが、それ以外のボンディングワイヤＢＷ（導電性の接続部材）では接続されていない。このため、半導体チップＣＰ１と半導体チップＣＰ２との間での電気信号の伝送は、半導体チップＣＰ１のパッドＰＤ５ａ，ＰＤ６ａ，ＰＤ７ａからボンディングワイヤＢＷ８を介して半導体チップＣＰ２のパッドＰＤ８に至る経路と、半導体チップＣＰ２のパッドＰＤ５ｂ，ＰＤ６ｂ，ＰＤ７ｂからボンディングワイヤＢＷ９を介して半導体チップＣＰ２のパッドＰＤ９に至る経路だけである。
【０２３０】
そして、半導体チップＣＰ１のパッドＰＤ５ａ，ＰＤ６ａ，ＰＤ７ａは、半導体チップＣＰ１内に形成された上記コイルＣＬ５，ＣＬ６（二次コイル）に接続されているが、このコイルＣＬ５，ＣＬ６は半導体チップＣＰ１内に形成された回路には導体（内部配線）を介しては繋がっておらず、半導体チップＣＰ１内の上記コイルＣＬ７，ＣＬ８（一次コイル）と磁気的に結合したものである。このため、半導体チップＣＰ１内に形成された回路（上記送信回路ＴＸ１など）から、半導体チップＣＰ１内の上記コイルＣＬ７，ＣＬ８（一次コイル）および上記コイルＣＬ５，ＣＬ６（二次コイル）を介して電磁誘導で伝達された信号だけが、パッドＰＤ５ａ，ＰＤ６ａ，ＰＤ７ａからボンディングワイヤＢＷ８を介して半導体チップＣＰ２（上記受信回路ＲＸ１）に入力される。
【０２３１】
また、半導体チップＣＰ２のパッドＰＤ５ｂ，ＰＤ６ｂ，ＰＤ７ｂは、半導体チップＣＰ２内に形成された上記コイルＣＬ５，ＣＬ６（二次コイル）に接続されているが、このコイルＣＬ５，ＣＬ６は半導体チップＣＰ２内に形成された回路には導体（内部配線）を介しては繋がっておらず、半導体チップＣＰ２内の上記コイルＣＬ７，ＣＬ８（一次コイル）と磁気的に結合したものである。このため、半導体チップＣＰ２内に形成された回路（上記送信回路ＴＸ２など）から、半導体チップＣＰ２内の上記コイルＣＬ７，ＣＬ８（一次コイル）および上記コイルＣＬ５，ＣＬ６（二次コイル）を介して電磁誘導で伝達された信号だけが、パッドＰＤ５ｂ，ＰＤ６ｂ，ＰＤ７ｂからボンディングワイヤＢＷ９を介して半導体チップＣＰ１（上記受信回路ＲＸ２）に入力される。
【０２３２】
半導体チップＣＰ１と半導体チップＣＰ２とは、電圧レベル（基準電位）が異なっている。例えば、駆動回路ＤＲは、モータなどの負荷ＬＯＤを駆動するが、具体的には、モータなどの負荷ＬＯＤのスイッチ（スイッチング素子）を駆動または制御し、スイッチの切り換えを行う。このため、この駆動対象のスイッチがオンになると、半導体チップＣＰ２の基準電位（電圧レベル）は、駆動対象のスイッチの電源電圧（動作電圧）にほぼ一致する電圧に上昇する場合があり、この電源電圧は、かなりの高電圧（例えば数百Ｖ〜数千Ｖ程度）である。このため、半導体チップＣＰ１と半導体チップＣＰ２とで、電圧レベル（基準電位）に大きな差が生じてしまう。つまり、駆動対象のスイッチのオン時には、半導体チップＣＰ２には、半導体チップＣＰ１に供給されている電源電圧（例えば数Ｖ〜数十Ｖ程度）よりも高い電圧（例えば数百Ｖ〜数千Ｖ程度）が供給されることになる。
【０２３３】
しかしながら、上述のように、半導体チップＣＰ１と半導体チップＣＰ２との間で電気的に伝わるのは、半導体チップＣＰ１内の一次コイル（ＣＬ７，ＣＬ８）および二次コイル（ＣＬ５，ＣＬ６）を介して電磁誘導で伝達された信号か、あるいは、半導体チップＣＰ２内の一次コイル（ＣＬ７，ＣＬ８）および二次コイル（ＣＬ５，ＣＬ６）を介して電磁誘導で伝達された信号だけである。このため、半導体チップＣＰ１の電圧レベル（基準電位）と半導体チップＣＰ２の電圧レベル（基準電位）が相違していても、半導体チップＣＰ２の電圧レベル（基準電位）が半導体チップＣＰ１に入力されたり、あるいは、半導体チップＣＰ１の電圧レベル（基準電位）が半導体チップＣＰ２に入力されることを、的確に防止することができる。すなわち、駆動対象のスイッチがオンになって半導体チップＣＰ２の基準電位（電圧レベル）が駆動対象のスイッチの電源電圧（例えば数百Ｖ〜数千Ｖ程度）にほぼ一致する電圧にまで上昇したとしても、この半導体チップＣＰ２の基準電位が半導体チップＣＰ１に入力されることを的確に防止することができる。このため、電圧レベル（基準電位）が異なる半導体チップＣＰ１，ＣＰ２間で電気信号の伝達を的確に行うことができる。また、半導体チップＣＰ１と半導体チップＣＰ２の信頼性を高めることができる。また、半導体パッケージＰＫＧの信頼性を向上させることができる。また、半導体パッケージＰＫＧを用いた電子装置の信頼性を向上させることができる。
【０２３４】
また、磁気的に結合したコイルを利用して半導体チップ間の信号の伝達を行っていることにより、半導体パッケージＰＫＧの小型化を図りつつ、信頼性を向上させることができる。
【０２３５】
ここで、半導体パッケージＰＫＧが搭載される製品用途例について説明する。例えば、自動車、洗濯機などの家電機器のモータ制御部、スイッチング電源、照明コントローラ、太陽光発電コントローラ、携帯電話器、あるいはモバイル通信機器などがある。
【０２３６】
例えば、自動車用途としては、半導体チップＣＰ１が、低電圧の電源電圧が供給される低圧チップであり、その際の供給電源電圧は、例えば５Ｖ程度である。一方、駆動回路ＤＲの駆動対象のスイッチの電源電圧は、例えば６００Ｖ〜１０００Ｖもしくはそれ以上の高電圧であり、スイッチのオン時には、この高電圧が半導体チップＣＰ２に供給され得る。
【０２３７】
なお、ここでは、半導体パッケージＰＫＧのパッケージ形態として、ＳＯＰ（Small Outline Package)の場合を例に挙げて説明したが、ＳＯＰ以外にも適用可能である。
【０２３８】
（実施の形態２）
本実施の形態２では、半導体チップ（ＣＰ１，ＣＰ２）における、二次コイル（上記コイルＣＬ５，ＣＬ６に対応するコイル）およびそれに接続されたパッド（上記パッドＰＤ５，ＰＤ６，ＰＤ７に対応するパッド）の種々のレイアウト例（配置例）について、図面を参照して説明する。本実施の形態２は、上記実施の形態１の変形例とみなすこともできる。
【０２３９】
図２１〜図３１は、本実施の形態２の半導体チップ（半導体装置）の要部平面図であり、上記実施の形態１の上記図５に対応するものである。
【０２４０】
なお、本実施の形態２では、図２１〜図３１のそれぞれの場合について、上記図５〜図１０の実施の形態１の場合と同様の部分については、その繰り返しの説明は省略し、上記図５〜図１０の実施の形態１の場合と相違する部分を中心に説明する。
【０２４１】
また、本実施の形態２では、二次コイルおよびそれに接続されたパッドのレイアウトについて説明することとし、一次コイル（上記コイルＣＬ７，ＣＬ８に対応するコイル）の図示および説明は省略するが、実際には、図２１〜図３１に示される各コイル（二次コイル）の直下に、そのコイル（二次コイル）と磁気的に結合されたコイル（一次コイル）が、それぞれ配置されている。一次コイルは二次コイルの直下に配置されるので、二次コイルのレイアウトが決まれば、必然的に一次コイルのレイアウトも決まるため、ここでは、二次コイルのレイアウトを説明することで、一次コイルのレイアウトの説明は省略する。また、本実施の形態２では、半導体チップＣＰ１におけるコイルおよびパッドのレイアウトとして説明するが、本実施の形態２で説明したレイアウトは、半導体チップＣＰ１，ＣＰ２のうちの一方または両方に適用することができる。
【０２４２】
まず、上記実施の形態１の上記図５における二次コイル（コイルＣＬ５，ＣＬ６）およびそれに接続されたパッド（パッドＰＤ５，ＰＤ６，ＰＤ７）のレイアウトと同様のレイアウトを有する図２１のレイアウトについて、説明する。なお、図２１〜図３１において、各パッド上に描いた点線は、パッドを露出する上記開口部ＯＰの位置を示したものである。
【０２４３】
図２１の場合、半導体チップＣＰ１において、二次コイルであるコイルＣＬ５，ＣＬ６は、半導体チップＣＰ１の辺ＳＨ１に沿うように配置されている。辺ＳＨ１は、矩形の半導体チップＣＰ１の外周を構成する四辺のうちの一辺である。ここで、辺ＳＨ１に平行な方向（すなわち辺ＳＨ１に沿った方向）をＸ方向とし、辺ＳＨ１に直交する方向をＹ方向とする。Ｘ方向とＹ方向とは、互いに直交する方向である。
【０２４４】
図２１の場合、半導体チップＣＰ１において、コイルＣＬ５およびコイルＣＬ６は、半導体チップＣＰ１の辺ＳＨ１の近傍に、この辺ＳＨ１に沿って配置されている。このため、コイルＣＬ５とコイルＣＬ６とは、Ｘ方向に並んでいる。上述のように、パッドＰＤ５は、コイルＣＬ５の内側（渦巻きの内側）に配置されてコイルＣＬ５の一端に接続され、パッドＰＤ６は、コイルＣＬ６の内側（渦巻きの内側）に配置されてコイルＣＬ６の一端に接続されている。コイルＣＬ５とコイルＣＬ６とがＸ方向に並んでいるため、パッドＰＤ５とパッドＰＤ６も、Ｘ方向に並んでいる。パッドＰＤ７は、Ｘ方向に並んだコイルＣＬ５とコイルＣＬ６との間の位置から、Ｙ方向に所定の距離だけずれた位置（辺ＳＨ１から離れる方向にずれた位置）に配置されている。パッドＰＤ７とコイルＣＬ５，ＣＬ６とは、引出配線ＨＷ１により接続されている。この引出配線ＨＷ１は、コイルＣＬ５とコイルＣＬ６との間からパッドＰＤ７まで延在している。この際、パッドＰＤ７がコイルＣＬ５，ＣＬ６とちょうど重ならなくなる距離だけ、コイルＣＬ５とコイルＣＬ６との間の位置からＹ方向にパッドＰＤ７がずれていれば、コイルＣＬ５，ＣＬ６およびパッドＰＤ５，ＰＤ６，ＰＤ７をレイアウトするのに要する面積を縮小することができる。
【０２４５】
図２１の場合、パッドＰＤ５とパッドＰＤ６とがＸ方向に並んでおり、パッドＰＤ７は、パッドＰＤ５とパッドＰＤ６との間の位置からＹ方向に所定の距離だけずれた位置（辺ＳＨ１から離れる方向にずれた位置）に配置されている。すなわち、パッドＰＤ５と辺ＳＨ１との間の距離（Ｙ方向の距離）と、パッドＰＤ６と辺ＳＨ１との間の距離（Ｙ方向の距離）とは、ほぼ同じである。一方、パッドＰＤ７と辺ＳＨ１との間の距離（Ｙ方向の距離）は、パッドＰＤ５と辺ＳＨ１との間の距離（Ｙ方向の距離）や、パッドＰＤ６と辺ＳＨ１との間の距離（Ｙ方向の距離）よりも大きくなっており、その差は、パッドＰＤ５，ＰＤ６の一辺の寸法以上である。
【０２４６】
図２１のレイアウトでは、コイルＣＬ５，ＣＬ６およびパッドＰＤ５，ＰＤ６，ＰＤ７をレイアウトするのに要する領域のＸ方向の寸法を、小さくすることができ、例えば、コイルＣＬ５のＸ方向の寸法とコイルＣＬ６のＸ方向の寸法との合計と同程度にすることができる。このため、半導体チップＣＰ１全体の設計をするうえで、コイルＣＬ５，ＣＬ６およびパッドＰＤ５，ＰＤ６，ＰＤ７をレイアウトするのに要する領域のＸ方向の寸法を小さくしたい場合に、有利である。
【０２４７】
また、図２１のレイアウトでは、パッドＰＤ５，ＰＤ６，ＰＤ７にそれぞれボンディングワイヤ（ＢＷ）のような接続用部材を接続する場合、パッドＰＤ５に接続するボンディングワイヤとパッドＰＤ６に接続するボンディングワイヤとの間に、パッドＰＤ７に接続するボンディングワイヤが位置することになる。このパッドＰＤ７が、パッドＰＤ５，ＰＤ６が並んだ位置からＹ方向にずれているため、パッドＰＤ５に接続するボンディングワイヤと、パッドＰＤ７に接続するボンディングワイヤと、パッドＰＤ６に接続するボンディングワイヤとが、互いに接触するのを防止しやすくなる。
【０２４８】
次に、図２２のレイアウトについて、説明する。
【０２４９】
図２２の場合、上記コイルＣＬ５，ＣＬ６およびパッドＰＤ５，ＰＤ６，ＰＤ７に相当するものが、コイルＣＬ５ｃ，ＣＬ６ｃおよびパッドＰＤ５ｃ，ＰＤ６ｃ，ＰＤ７ｃのセットと、コイルＣＬ５ｄ，ＣＬ６ｄおよびパッドＰＤ５ｄ，ＰＤ６ｄ，ＰＤ７ｄのセットの、合計２セットある。このうち、コイルＣＬ５ｃ，ＣＬ５ｄは、それぞれ上記コイルＣＬ５に相当するものであり、コイルＣＬ６ｃ，ＣＬ６ｄは、それぞれ上記コイルＣＬ６に相当するものである。また、パッドＰＤ５ｃ，ＰＤ５ｄは、それぞれ上記パッドＰＤ５に相当するものであり、パッドＰＤ６ｃ，ＰＤ６ｄは、それぞれ上記パッドＰＤ６に相当するものであり、パッドＰＤ７ｃ，ＰＤ７ｄは、それぞれ上記パッドＰＤ７に相当するものである。
【０２５０】
すなわち、図２２の場合、他の半導体チップ（ＣＰ２）への送信経路が２チャンネルある。２チャンネルのうちの１つは、コイルＣＬ５ｃ，ＣＬ６ｃの直下の一次コイル（ここでは図示しないが、上記コイルＣＬ７，ＣＬ８に相当するもの）と二次コイルであるコイルＣＬ５ｃ，ＣＬ６ｃとを介して、半導体チップＣＰ１内の送信回路から他の半導体チップ（ＣＰ２）内の受信回路へ信号を送信する経路である。２チャンネルのうちの他の１つは、コイルＣＬ５ｄ，ＣＬ６ｄの直下の一次コイル（ここでは図示しないが、上記コイルＣＬ７，ＣＬ８に相当するもの）と二次コイルであるコイルＣＬ５ｄ，ＣＬ６ｄとを介して、半導体チップＣＰ１内の送信回路から他の半導体チップ（ＣＰ２）内の受信回路へ信号を送信する経路である。
【０２５１】
このため、半導体チップＣＰ１において、コイルＣＬ５ｃ，ＣＬ６ｃおよびパッドＰＤ５ｃ，ＰＤ６ｃ，ＰＤ７ｃのセットと、コイルＣＬ５ｄ，ＣＬ６ｄおよびパッドＰＤ５ｄ，ＰＤ６ｄ，ＰＤ７ｄのセットとは、互いに独立して設けられている。
【０２５２】
図２２のレイアウトを以下に具体的に説明する。
【０２５３】
図２２の場合、半導体チップＣＰ１において、コイルＣＬ５ｃおよびコイルＣＬ６ｃは、半導体チップＣＰ１の辺ＳＨ１の近傍に、この辺ＳＨ１に沿って配置されている。このため、コイルＣＬ５ｃとコイルＣＬ６ｃとは、Ｘ方向に並んでいる。パッドＰＤ５ｃは、コイルＣＬ５ｃの内側（渦巻きの内側）に配置されてコイルＣＬ５ｃの一端に接続され、パッドＰＤ６ｃは、コイルＣＬ６ｃの内側（渦巻きの内側）に配置されてコイルＣＬ６ｃの一端に接続されている。コイルＣＬ５ｃとコイルＣＬ６ｃとがＸ方向に並んでいるため、パッドＰＤ５ｃとパッドＰＤ６ｃも、Ｘ方向に並んでいる。パッドＰＤ７ｃは、Ｘ方向に並んだコイルＣＬ５ｃとコイルＣＬ６ｃとの間の位置から、Ｙ方向に所定の距離だけずれた位置（辺ＳＨ１から離れる方向にずれた位置）に配置されている。パッドＰＤ７ｃとコイルＣＬ５ｃ，ＣＬ６ｃとは、上記引出配線ＨＷ１に対応する引出配線ＨＷ１ｃにより接続されている。この引出配線ＨＷ１ｃは、コイルＣＬ５ｃとコイルＣＬ６ｃとの間からパッドＰＤ７ｃまで延在している。
【０２５４】
また、コイルＣＬ５ｄ，ＣＬ６ｄおよびパッドＰＤ５ｄ，ＰＤ６ｄ，ＰＤ７ｄのセットに着目すると、コイルＣＬ５ｄとコイルＣＬ６ｄとは、Ｘ方向に並んでいる。パッドＰＤ５ｄは、コイルＣＬ５ｄの内側（渦巻きの内側）に配置されてコイルＣＬ５ｄの一端に接続され、パッドＰＤ６ｄは、コイルＣＬ６ｄの内側（渦巻きの内側）に配置されてコイルＣＬ６ｄの一端に接続されている。コイルＣＬ５ｄとコイルＣＬ６ｄとがＸ方向に並んでいるため、パッドＰＤ５ｄとパッドＰＤ６ｄも、Ｘ方向に並んでいる。パッドＰＤ７ｄは、Ｘ方向に並んだコイルＣＬ５ｄとコイルＣＬ６ｄとの間の位置から、Ｙ方向に所定の距離だけずれた位置（辺ＳＨ１に近づく方向にずれた位置）に配置されている。パッドＰＤ７ｄとコイルＣＬ５ｄ，ＣＬ６ｄとは、上記引出配線ＨＷ１に対応する引出配線ＨＷ１ｄにより接続されている。この引出配線ＨＷ１ｄは、コイルＣＬ５ｄとコイルＣＬ６ｄとの間からパッドＰＤ７ｄまで延在している。
【０２５５】
そして、パッドＰＤ５ｃとパッドＰＤ６ｃとパッドＰＤ７ｄとがＸ方向に並び、パッドＰＤ７ｃとパッドＰＤ５ｄとパッドＰＤ６ｄとがＸ方向に並んでいる。つまり、Ｘ方向に並ぶコイルＣＬ５ｃとコイルＣＬ６ｃの延長の位置（Ｘ方向の延長の位置）に、パッドＰＤ７ｄが配置され、Ｘ方向に並ぶコイルＣＬ６ｄとコイルＣＬ５ｄの延長の位置（Ｘ方向の延長の位置）に、パッドＰＤ７ｃが配置されている。また、コイルＣＬ６ｃの一部とコイルＣＬ５ｄの一部とは、Ｙ方向に対向している。
【０２５６】
このため、パッドＰＤ５ｃと辺ＳＨ１との間の距離（Ｙ方向の距離）と、パッドＰＤ６ｃと辺ＳＨ１との間の距離（Ｙ方向の距離）と、パッドＰＤ７ｄと辺ＳＨ１との間の距離（Ｙ方向の距離）とは、ほぼ同じである。また、パッドＰＤ６ｄと辺ＳＨ１との間の距離（Ｙ方向の距離）と、パッドＰＤ５ｄと辺ＳＨ１との間の距離（Ｙ方向の距離）と、パッドＰＤ７ｃと辺ＳＨ１との間の距離（Ｙ方向の距離）とは、ほぼ同じである。しかしながら、パッドＰＤ５ｄ，ＰＤ６ｄ，ＰＤ７ｃと辺ＳＨ１との間の距離（Ｙ方向の距離）は、パッドＰＤ５ｃ，ＰＤ６ｃ，ＰＤ７ｄと辺ＳＨ１との間の距離（Ｙ方向の距離）よりも大きくなっており、その差は、パッドＰＤ５ｃ，ＰＤ６ｃ，ＰＤ７ｄの一辺の寸法以上である。この際、コイルＣＬ５ｃ，ＣＬ６ｃとコイルＣＬ５ｄ，ＣＬ６ｄとがちょうど重ならなくなる距離だけ、パッドＰＤ５ｃ，６ｃ，７ｄの列と、パッドＰＤ７ｃ，ＰＤ５ｄ，ＰＤ６ｄの列とが、Ｙ方向にずれていれば、コイルＣＬ５ｃ，ＣＬ６ｃ，ＣＬ５ｄ，ＣＬ６ｄおよびパッドＰＤ５ｃ，ＰＤ６ｃ，ＰＤ７ｃ，ＰＤ５ｄ，ＰＤ６ｄ，ＰＤ７ｄをレイアウトするのに要する面積を縮小できる。また、Ｘ方向に並ぶパッドＰＤ５ｃ，ＰＤ６ｃ，ＰＤ７ｄのピッチ（間隔）と、Ｘ方向に並ぶパッドＰＤ７ｃ，ＰＤ５ｄ，ＰＤ６ｄのピッチ（間隔）とは、概ね同程度とすることもできる。
【０２５７】
半導体チップＣＰ１に、上記コイルＣＬ５，ＣＬ６およびパッドＰＤ５，ＰＤ６，ＰＤ７のセットを複数セット形成する場合、図２２のレイアウトを適用することで、それらコイルとパッドをレイアウトするのに要する領域のＸ方向の寸法を、小さくすることができる。このため、半導体チップＣＰ１全体の設計をするうえで、コイルＣＬ５，ＣＬ６およびパッドＰＤ５，ＰＤ６，ＰＤ７に相当するものをレイアウトするのに要する領域のＸ方向の寸法を小さくしたい場合に、有利である。
【０２５８】
また、図２２のレイアウトでは、パッドＰＤ５ｃ，ＰＤ６ｃ，ＰＤ７ｃ，ＰＤ５ｄ，ＰＤ６ｄ，ＰＤ７ｄにそれぞれボンディングワイヤ（ＢＷ）のような接続用部材を接続する場合、パッドＰＤ５ｃに接続するボンディングワイヤとパッドＰＤ６ｃに接続するボンディングワイヤとの間に、パッドＰＤ７ｃに接続するボンディングワイヤが位置することになる。また、パッドＰＤ７ｃに接続するボンディングワイヤとパッドＰＤ５ｄに接続するボンディングワイヤとの間に、パッドＰＤ６ｃに接続するボンディングワイヤが位置することになる。パッドＰＤ６ｃに接続するボンディングワイヤとパッドＰＤ７ｄに接続するボンディングワイヤとの間に、パッドＰＤ５ｄに接続するボンディングワイヤが位置することになる。パッドＰＤ５ｄに接続するボンディングワイヤとパッドＰＤ６ｄに接続するボンディングワイヤとの間に、パッドＰＤ７ｄに接続するボンディングワイヤが位置することになる。つまり、パッドＰＤ５ｃに接続するボンディングワイヤと、パッドＰＤ７ｃに接続するボンディングワイヤと、パッドＰＤ６ｃに接続するボンディングワイヤと、パッドＰＤ５ｄに接続するボンディングワイヤと、パッドＰＤ７ｄに接続するボンディングワイヤと、パッドＰＤ６ｄに接続するボンディングワイヤとが、この順に並ぶことになる。
【０２５９】
Ｙ方向へのずれを無視すると、パッドＰＤ５ｃとパッドＰＤ７ｃとパッドＰＤ６ｃとパッドＰＤ５ｄとパッドＰＤ７ｄとパッドＰＤ６ｄとが、この順でＹ方向に並ぶが、実際には、これらパッドＰＤ５ｃ，ＰＤ７ｃ，ＰＤ６ｃ，ＰＤ５ｄ，ＰＤ７ｄ，ＰＤ６ｄは２列に交互に並んでいる。すなわち、パッドＰＤ５ｃ，ＰＤ６ｃ，ＰＤ７ｄが一列に並び、パッドＰＤ５ｃ，ＰＤ６ｃ，ＰＤ７ｄの列からＹ方向にずれて、パッドＰＤ７ｃ，ＰＤ５ｄ，ＰＤ６ｄが一列に並んでいる。つまり、パッドＰＤ５ｃとパッドＰＤ７ｃとパッドＰＤ６ｃとパッドＰＤ５ｄとパッドＰＤ７ｄとパッドＰＤ６ｄとが、いわゆる千鳥配列で並んでいる。このため、パッドＰＤ５ｃに接続するボンディングワイヤと、パッドＰＤ７ｃに接続するボンディングワイヤと、パッドＰＤ６ｃに接続するボンディングワイヤと、パッドＰＤ５ｄに接続するボンディングワイヤと、パッドＰＤ７ｄに接続するボンディングワイヤと、パッドＰＤ６ｄに接続するボンディングワイヤとが、互いに接触するのを防止しやすくなる。
【０２６０】
次に、図２３のレイアウトについて、説明する。
【０２６１】
図２３の場合、コイルＣＬ５とコイルＣＬ６とは、Ｘ方向とＹ方向との間の斜め方向に並んでいる。そして、コイルＣＬ５の内側（渦巻きの内側）に配置されたパッドＰＤ５は、パッドＰＤ７とＸ方向に並んでおり、コイルＣＬ６の内側（渦巻きの内側）に配置されたパッドＰＤ６は、パッドＰＤ７とＹ方向に並んでいる。パッドＰＤ７とコイルＣＬ５，ＣＬ６とは、引出配線ＨＷ１により接続されており、この引出配線ＨＷ１は、コイルＣＬ５とコイルＣＬ６との間からパッドＰＤ７まで延在している。
【０２６２】
このような図２３のレイアウトは、半導体チップＣＰ１の主面において、半導体チップＣＰ１の角部近傍にコイルＣＬ５，ＣＬ６およびパッドＰＤ５，ＰＤ６，ＰＤ７を配置する場合に適用すれば、好ましい。すなわち、半導体チップＣＰ１の辺ＳＨ１と辺ＳＨ２とで形成される半導体チップＣＰ１の角部ＳＣ１の近傍にコイルＣＬ５，ＣＬ６およびパッドＰＤ５，ＰＤ６，ＰＤ７を配置する場合、角部ＳＣ１の近傍にパッドＰＤ７を配置し、辺ＳＨ１に沿ってパッドＰＤ５とパッドＰＤ７とが並ぶようにし、辺ＳＨ２に沿ってパッドＰＤ６とパッドＰＤ７とが並ぶようにする。このとき、辺ＳＨ１に沿って並ぶパッドＰＤ５とパッドＰＤ７とのうち、パッドＰＤ７の方が角部ＳＣ１に近くなるようにし、辺ＳＨ２に沿って並ぶパッドＰＤ６とパッドＰＤ７とのうち、パッドＰＤ７の方が角部ＳＣ１に近くなるようにしている。
【０２６３】
これにより、半導体チップＣＰ１の角部ＳＣ１の近傍にコイルＣＬ５，ＣＬ６およびパッドＰＤ５，ＰＤ６，ＰＤ７を効率的に配置することができる。ここで、辺ＳＨ１，ＳＨ２は、矩形の半導体チップＣＰ１の外周を構成する四辺のうちの二辺であり、辺ＳＨ１と辺ＳＨ２とは交差して角部ＳＣ１を形成している。辺ＳＨ１は、Ｘ方向に略平行であり、辺ＳＨ２は、Ｙ方向に略平行である。
【０２６４】
次に、図２４のレイアウトについて、説明する。
【０２６５】
図２４の場合、半導体チップＣＰ１において、コイルＣＬ５およびコイルＣＬ６は、半導体チップＣＰ１の辺ＳＨ１の近傍に、この辺ＳＨ１に沿って配置されている。このため、コイルＣＬ５とコイルＣＬ６とは、Ｘ方向に並んでいる。パッドＰＤ５は、コイルＣＬ５の内側（渦巻きの内側）に配置されてコイルＣＬ５の一端に接続され、パッドＰＤ６は、コイルＣＬ６の内側（渦巻きの内側）に配置されてコイルＣＬ６の一端に接続されている。コイルＣＬ５とコイルＣＬ６とがＸ方向に並んでいるため、パッドＰＤ５とパッドＰＤ６も、Ｘ方向に並んでいる。
【０２６６】
そして、パッドＰＤ５とパッドＰＤ６とパッドＰＤ７とがＸ方向に並んでいる。つまり、Ｘ方向に並ぶコイルＣＬ５とコイルＣＬ６の延長の位置（Ｘ方向の延長の位置）に、パッドＰＤ７が配置されている。図２４では、コイルＣＬ６に対してＸ方向に隣り合う位置にパッドＰＤ７が配置されているが、他の形態として、コイルＣＬ５に対してＸ方向に隣り合う位置にパッドＰＤ７を配置することもできる。パッドＰＤ７とコイルＣＬ５，ＣＬ６とは、引出配線ＨＷ１により接続されている。この引出配線ＨＷ１は、コイルＣＬ５とコイルＣＬ６との間からパッドＰＤ７まで延在している。
【０２６７】
図２４のレイアウトでは、パッドＰＤ５，ＰＤ６，ＰＤ７にそれぞれボンディングワイヤ（ＢＷ）のような接続用部材を接続する場合、パッドＰＤ５に接続するボンディングワイヤとパッドＰＤ６に接続するボンディングワイヤとパッドＰＤ７に接続するボンディングワイヤとが、この順にＸ方向に並ぶことになる。
【０２６８】
半導体チップＣＰ１のパッドＰＤ５，ＰＤ６，ＰＤ７に一端が接続された複数のボンディングワイヤの他端を接続する他の半導体チップ（ＣＰ２）の回路構成上、パッドＰＤ５とパッドＰＤ６との間にパッドＰＤ７を配置したくない場合もある。例えば、パッドＰＤ５とパッドＰＤ６との間にパッドＰＤ７を配置すると、半導体チップＣＰ１のこれらパッドＰＤ５，ＰＤ６，ＰＤ７と他の半導体チップ（ＣＰ２）のパッドとを、ボンディングワイヤなどの接続用部材で接続しにくくなる場合もある。このような場合、図２４のように、パッドＰＤ５とパッドＰＤ６との間にパッドＰＤ７が位置しないようにすることで、半導体チップＣＰ１のパッドＰＤ５，ＰＤ６，ＰＤ７と他の半導体チップ（ＣＰ２）のパッドとを、ボンディングワイヤなどの接続用部材で接続しやすくなる。また、パッドＰＤ５，ＰＤ６，ＰＤ７が一列に配列することで、パッドＰＤ５，ＰＤ６，ＰＤ７へボンディングワイヤを接続しやすくなる。
【０２６９】
次に、図２５のレイアウトについて、説明する。
【０２７０】
図２５の場合、コイルＣＬ５とコイルＣＬ６とは、Ｘ方向に並んでいる。パッドＰＤ５は、コイルＣＬ５の内側（渦巻きの内側）に配置されてコイルＣＬ５の一端に接続され、パッドＰＤ６は、コイルＣＬ６の内側（渦巻きの内側）に配置されてコイルＣＬ６の一端に接続されている。コイルＣＬ５とコイルＣＬ６とがＸ方向に並んでいるため、パッドＰＤ５とパッドＰＤ６も、Ｘ方向に並んでいる。そして、パッドＰＤ７は、コイルＣＬ６に対してＹ方向に隣り合う位置に配置されている。このため、パッドＰＤ７は、パッドＰＤ６とＹ方向に並んでいる。つまり、上記図２１の場合は、Ｘ方向に並ぶパッドＰＤ５とパッドＰＤ６との間の中央からＹ方向にずれた位置にパッドＰＤ７が配置されていたが、図２５の場合は、パッドＰＤ６の位置からＹ方向にずれた位置（パッドＰＤ７がコイルＣＬ６に重ならなくなるまでずれた位置）に、パッドＰＤ７が配置されている。パッドＰＤ７とコイルＣＬ５，ＣＬ６とは、引出配線ＨＷ１により接続されており、この引出配線ＨＷ１は、コイルＣＬ５とコイルＣＬ６との間からパッドＰＤ７まで延在している。
【０２７１】
このような図２５のレイアウトは、半導体チップＣＰ１の主面において、半導体チップＣＰ１の角部近傍にコイルＣＬ５，ＣＬ６およびパッドＰＤ５，ＰＤ６，ＰＤ７を配置する場合に適用すれば、好ましい。すなわち、半導体チップＣＰ１の辺ＳＨ１と辺ＳＨ２とで形成される半導体チップＣＰ１の角部ＳＣ１の近傍にコイルＣＬ５，ＣＬ６およびパッドＰＤ５，ＰＤ６，ＰＤ７を配置する場合、角部ＳＣ１の近傍にコイルＣＬ６を配置し、そのコイルＣＬ６の内側にパッドＰＤ６を配置する。そして、コイルＣＬ５はコイルＣＬ６とＸ方向に隣り合うように配置し、そのコイルＣＬ５の内側にパッドＰＤ５を配置し、パッドＰＤ７はコイルＣＬ６とＹ方向に隣り合うように配置する。これにより、辺ＳＨ１に沿ってパッドＰＤ６とパッドＰＤ５とが並び、辺ＳＨ２に沿ってパッドＰＤ６とパッドＰＤ７とが並ぶが、このとき、辺ＳＨ１に沿って並ぶパッドＰＤ６とパッドＰＤ５とのうち、パッドＰＤ６の方が角部ＳＣ１に近くなり、辺ＳＨ２に沿って並ぶパッドＰＤ６とパッドＰＤ７とのうち、パッドＰＤ６の方が角部ＳＣ１に近くなる。
【０２７２】
これにより、半導体チップＣＰ１の角部ＳＣ１の近傍にコイルＣＬ５，ＣＬ６およびパッドＰＤ５，ＰＤ６，ＰＤ７を効率的に配置することができる。
【０２７３】
なお、図２５において、コイルＣＬ５およびパッドＰＤ５の位置と、パッドＰＤ７の位置とを、入れ替えることもできる。
【０２７４】
次に、図２６のレイアウトについて、説明する。
【０２７５】
図２６の場合も、上記図２２の場合と同様に、上記コイルＣＬ５，ＣＬ６およびパッドＰＤ５，ＰＤ６，ＰＤ７に相当するのもが２セットあるが、上記図２２のパッドＰＤ７ｃとパッドＰＤ７ｄとが共通化されて、１つのパッドＰＤ７ｅとなっている。
【０２７６】
図２６の場合、半導体チップＣＰ１において、コイルＣＬ５ｃおよびコイルＣＬ６ｃは、半導体チップＣＰ１の辺ＳＨ１の近傍に、この辺ＳＨ１に沿って配置されている。パッドＰＤ５ｃは、コイルＣＬ５ｃの内側（渦巻きの内側）に配置されてコイルＣＬ５ｃの一端に接続され、パッドＰＤ６ｃは、コイルＣＬ６ｃの内側（渦巻きの内側）に配置されてコイルＣＬ６ｃの一端に接続されている。コイルＣＬ５ｃとコイルＣＬ６ｃとがＸ方向に並んでいるため、パッドＰＤ５ｃとパッドＰＤ６ｃも、Ｘ方向に並んでいる。
【０２７７】
また、図２６の場合、半導体チップＣＰ１において、コイルＣＬ５ｄおよびコイルＣＬ６ｄは、半導体チップＣＰ１の辺ＳＨ１の近傍に、この辺ＳＨ１に沿って配置されている。パッドＰＤ５ｄは、コイルＣＬ５ｄの内側（渦巻きの内側）に配置されてコイルＣＬ５ｄの一端に接続され、パッドＰＤ６ｄは、コイルＣＬ６ｄの内側（渦巻きの内側）に配置されてコイルＣＬ６ｄの一端に接続されている。コイルＣＬ５ｄとコイルＣＬ６ｄとがＸ方向に並んでいるため、パッドＰＤ５ｄとパッドＰＤ６ｄも、Ｘ方向に並んでいる。
【０２７８】
そして、コイルＣＬ５ｃとコイルＣＬ６ｃとコイルＣＬ５ｄとコイルＣＬ６ｄとがＸ方向に並んでおり、コイルＣＬ６ｃとコイルＣＬ５ｄとの間に、パッドＰＤ７ｅが配置されている。このため、パッドＰＤ５ｃとパッドＰＤ６ｃとパッドＰＤ７ｅとパッドＰＤ５ｄとパッドＰＤ６ｄとが、Ｘ方向に並んでいる。Ｘ方向に並ぶパッドＰＤ５ｃ，ＰＤ６ｃ，ＰＤ７ｅ，ＰＤ５ｄ，ＰＤ６ｄのピッチ（間隔）は、概ね同程度とすることもできる。
【０２７９】
パッドＰＤ７ｅは、上記引出配線ＨＷ１に対応する引出配線ＨＷ１ｅにより、コイルＣＬ５ｃ，ＣＬ６ｃ（のそれぞれの外側の端部）と接続され、また、コイルＣＬ５ｄ，ＣＬ６ｄ（のそれぞれの外側の端部）と接続されている。この引出配線ＨＷ１ｅは、コイルＣＬ５ｃとコイルＣＬ６ｃとの間からパッドＰＤ７ｅまでと、コイルＣＬ５ｄとコイルＣＬ６ｄとの間からパッドＰＤ７ｅまでとに、延在している。
【０２８０】
図２６の場合、コイルＣＬ５ｃとコイルＣＬ６ｃとの間に電気的に接続するパッドと、コイルＣＬ５ｄとコイルＣＬ６ｄとの間に電気的に接続するパッドとを、共通のパッドＰＤ７ｅとしたことで、上記図２２の場合のようにパッドＰＤ７ｃとパッドＰＤ７ｄとを別々に設けた場合と比べて、パッドの数を１つ減らすことができる。これにより、コイルＣＬ５ｃ，ＣＬ６ｃ，ＣＬ５ｄ，ＣＬ６ｄおよびパッドＰＤ５ｃ，ＰＤ６ｃ，ＰＤ７ｅ，ＰＤ５ｄ，ＰＤ６ｄをレイアウトするのに要する面積を縮小することができる。また、パッドＰＤ５ｃ，ＰＤ６ｃ，ＰＤ７ｅ，ＰＤ５ｄ，ＰＤ６ｄが一列に配列することで、これらのパッドＰＤ５ｃ，ＰＤ６ｃ，ＰＤ７ｅ，ＰＤ５ｄ，ＰＤ６ｄに、ボンディングワイヤなどの接続用部材を接続しやすくなる。
【０２８１】
また、パッドＰＤ７ｅをコイルＣＬ６ｃとコイルＣＬ５ｄとの間に配置したことにより、コイルＣＬ５ｃとコイルＣＬ６ｃとの間からパッドＰＤ７ｅまで延在する部分の引出配線ＨＷ１ｅの延在距離と、コイルＣＬ５ｄとコイルＣＬ６ｄとの間からパッドＰＤ７ｅまで延在する部分の引出配線ＨＷ１ｅの延在距離とを、ほぼ同じにすることができる。このため、パッドＰＤ７ｅをコイルＣＬ５ｃとコイルＣＬ６ｃとの間に電気的に接続するまでの引出配線ＨＷ１ｅの抵抗成分と、パッドＰＤ７ｅをコイルＣＬ５ｄとコイルＣＬ６ｄとの間に電気的に接続するまでの引出配線ＨＷ１ｅの抵抗成分とを、概ね同程度としやすいため、２つのチャンネルのバランスがよくなる。
【０２８２】
次に、図２７のレイアウトについて、説明する。
【０２８３】
図２７のレイアウトは、図２６のレイアウトの変形例である。
【０２８４】
図２７の場合、半導体チップＣＰ１において、コイルＣＬ５ｃとコイルＣＬ６ｃとコイルＣＬ５ｄとコイルＣＬ６ｄとがこの順序で、半導体チップＣＰ１の辺ＳＨ１の近傍に、この辺ＳＨ１に沿って配置されている。パッドＰＤ５ｃは、コイルＣＬ５ｃの内側に配置されてコイルＣＬ５ｃの一端に接続され、パッドＰＤ６ｃは、コイルＣＬ６ｃの内側に配置されてコイルＣＬ６ｃの一端に接続され、パッドＰＤ５ｄは、コイルＣＬ５ｄの内側に配置されてコイルＣＬ５ｄの一端に接続され、パッドＰＤ６ｄは、コイルＣＬ６ｄの内側に配置されてコイルＣＬ６ｄの一端に接続されている。コイルＣＬ５ｃとコイルＣＬ６ｃとコイルＣＬ５ｄとコイルＣＬ６ｄとがＸ方向に並んでいるため、パッドＰＤ５ｃとパッドＰＤ６ｃとパッドＰＤ５ｄとパッドＰＤ６ｄも、Ｘ方向に並んでいる。
【０２８５】
上記図２６の場合は、パッドＰＤ７ｅを、コイルＣＬ６ｃとコイルＣＬ５ｄとの間に配置していたが、図２７の場合は、パッドＰＤ７ｅを、コイルＣＬ６ｃとコイルＣＬ５ｄとの間には配置していない。すなわち、図２７の場合は、Ｘ方向に並ぶコイルＣＬ５ｃとコイルＣＬ６ｃとコイルＣＬ５ｄとコイルＣＬ６ｄとの延長の位置（Ｘ方向の延長の位置）に、コイルＣＬ６ｄに対してＸ方向に隣り合うように、パッドＰＤ７ｅが配置されている。なお、他の形態として、パッドＰＤ７ｅを、コイルＣＬ６ｄではなくコイルＣＬ５ｃに対してＸ方向に隣り合う位置に配置することもできる。
【０２８６】
図２７の場合は、コイルＣＬ６ｃとコイルＣＬ５ｄとの間にパッドＰＤ７ｅを配置していない分、上記図２６の場合に比べて、コイルＣＬ６ｃとコイルＣＬ５ｄとが互いに近づいている。図２７の場合は、パッドＰＤ５ｃとパッドＰＤ６ｃとパッドＰＤ５ｄとパッドＰＤ６ｄとパッドＰＤ７ｅとがＸ方向に並び、パッドＰＤ７ｅはその並びの端に配置されている。Ｘ方向に並ぶパッドＰＤ５ｃ，ＰＤ６ｃ，ＰＤ５ｄ，ＰＤ６ｄ，ＰＤ７ｅのピッチ（間隔）は、概ね同程度とすることもできる。
【０２８７】
パッドＰＤ７ｅは、上記引出配線ＨＷ１に対応する引出配線ＨＷ１ｅにより、コイルＣＬ５ｃ，ＣＬ６ｃ（のそれぞれの外側の端部）と接続され、また、コイルＣＬ５ｄ，ＣＬ６ｄ（のそれぞれの外側の端部）と接続されている。この引出配線ＨＷ１ｅは、コイルＣＬ５ｃとコイルＣＬ６ｃとの間からパッドＰＤ７ｅまでと、コイルＣＬ５ｄとコイルＣＬ６ｄとの間からパッドＰＤ７ｅまでとに、延在している。
【０２８８】
図２７の場合、コイルＣＬ５ｃとコイルＣＬ６ｃとの間に電気的に接続するパッドと、コイルＣＬ５ｄとコイルＣＬ６ｄとの間に電気的に接続するパッドとを、共通のパッドＰＤ７ｅとしたことで、上記図２２の場合のようにパッドＰＤ７ｃとパッドＰＤ７ｄとを別々に設けた場合と比べて、パッドの数を１つ減らすことができる。これにより、コイルＣＬ５ｃ，ＣＬ６ｃ，ＣＬ５ｄ，ＣＬ６ｄおよびパッドＰＤ５ｃ，ＰＤ６ｃ，ＰＤ７ｅ，ＰＤ５ｄ，ＰＤ６ｄをレイアウトするのに要する面積を縮小することができる。また、パッドＰＤ５ｃ，ＰＤ６ｃ，ＰＤ５ｄ，ＰＤ６ｄ，ＰＤ７ｅが一列に配列することで、これらのパッドＰＤ５ｃ，ＰＤ６ｃ，ＰＤ５ｄ，ＰＤ６ｄ，ＰＤ７ｅに、ボンディングワイヤなどの接続用部材を接続しやすくなる。
【０２８９】
また、パッドＰＤ７ｅを、パッドＰＤ５ｃ，ＰＤ６ｃ，ＰＤ５ｄ，ＰＤ６ｄの間に配置したくない要求（設計上要求など）がある場合、図２７のように、Ｘ方向に並ぶパッドＰＤ５ｃ，ＰＤ６ｃ，ＰＤ５ｄ，ＰＤ６ｄの延長の位置にパッドＰＤ７ｅを配置することで、対応することができる。
【０２９０】
次に、図２８のレイアウトについて、説明する。
【０２９１】
図２８のレイアウトは、図２６のレイアウトや図２７のレイアウトの変形例である。
【０２９２】
図２８の場合、半導体チップＣＰ１において、コイルＣＬ５ｃとコイルＣＬ６ｃとコイルＣＬ５ｄとコイルＣＬ６ｄとがこの順序で、半導体チップＣＰ１の辺ＳＨ１の近傍に、この辺ＳＨ１に沿って配置されている。パッドＰＤ５ｃは、コイルＣＬ５ｃの内側に配置されてコイルＣＬ５ｃの一端に接続され、パッドＰＤ６ｃは、コイルＣＬ６ｃの内側に配置されてコイルＣＬ６ｃの一端に接続され、パッドＰＤ５ｄは、コイルＣＬ５ｄの内側に配置されてコイルＣＬ５ｄの一端に接続され、パッドＰＤ６ｄは、コイルＣＬ６ｄの内側に配置されてコイルＣＬ６ｄの一端に接続されている。コイルＣＬ５ｃとコイルＣＬ６ｃとコイルＣＬ５ｄとコイルＣＬ６ｄとがＸ方向に並んでいるため、パッドＰＤ５ｃとパッドＰＤ６ｃとパッドＰＤ５ｄとパッドＰＤ６ｄも、Ｘ方向に並んでいる。
【０２９３】
上記図２６の場合は、パッドＰＤ７ｅを、コイルＣＬ６ｃとコイルＣＬ５ｄとの間に配置していたが、図２８の場合は、パッドＰＤ７ｅを、コイルＣＬ６ｃとコイルＣＬ５ｄとの間には配置していない。すなわち、図２８の場合は、Ｘ方向に並んだコイルＣＬ６ｃとコイルＣＬ５ｄとの間の位置から、Ｙ方向に所定の距離だけずれた位置（辺ＳＨ１から離れる方向にずれた位置）に、パッドＰＤ７ｅが配置されている。
【０２９４】
上記図２７の場合と同様に図２８の場合も、コイルＣＬ６ｃとコイルＣＬ５ｄとの間にパッドＰＤ７ｅを配置していない分、上記図２６の場合に比べて、コイルＣＬ６ｃとコイルＣＬ５ｄとが互いに近づいている。Ｘ方向に並ぶパッドＰＤ５ｃ，ＰＤ６ｃ，ＰＤ５ｄ，ＰＤ６ｄのピッチ（間隔）は、概ね同程度とすることもできる。
【０２９５】
パッドＰＤ７ｅは、上記引出配線ＨＷ１に対応する引出配線ＨＷ１ｅにより、コイルＣＬ５ｃ，ＣＬ６ｃ（のそれぞれの外側の端部）と接続され、また、コイルＣＬ５ｄ，ＣＬ６ｄ（のそれぞれの外側の端部）と接続されている。この引出配線ＨＷ１ｅは、コイルＣＬ５ｃとコイルＣＬ６ｃとの間からパッドＰＤ７ｅまでと、コイルＣＬ５ｄとコイルＣＬ６ｄとの間からパッドＰＤ７ｅまでとに、延在している。
【０２９６】
図２８の場合、パッドＰＤ５ｃとパッドＰＤ６ｃとパッドＰＤ５ｄとパッドＰＤ６ｄとがＸ方向に並んでおり、パッドＰＤ７ｅは、パッドＰＤ６ｃとパッドＰＤ５ｄとの間の位置からＹ方向に所定の距離だけずれた位置（辺ＳＨ１から離れる方向にずれた位置）に配置されている。すなわち、パッドＰＤ５ｃと辺ＳＨ１との間の距離（Ｙ方向の距離）と、パッドＰＤ６ｃと辺ＳＨ１との間の距離（Ｙ方向の距離）と、パッドＰＤ５ｄと辺ＳＨ１との間の距離（Ｙ方向の距離）と、パッドＰＤ６ｄと辺ＳＨ１との間の距離（Ｙ方向の距離）とは、ほぼ同じである。一方、パッドＰＤ７ｅと辺ＳＨ１との間の距離（Ｙ方向の距離）は、パッドＰＤ５ｃ，ＰＤ６ｃ，ＰＤ５ｄ，ＰＤ６ｄと辺ＳＨ１との間の距離（Ｙ方向の距離）よりも大きくなっており、その差は、パッドＰＤ５ｃ，ＰＤ６ｃ，ＰＤ５ｄ，ＰＤ６ｄの一辺の寸法以上である。
【０２９７】
図２８の場合、コイルＣＬ５ｃとコイルＣＬ６ｃとの間に電気的に接続するパッドと、コイルＣＬ５ｄとコイルＣＬ６ｄとの間に電気的に接続するパッドとを、共通のパッドＰＤ７ｃとしたことで、上記図２２の場合のようにパッドＰＤ７ｃとパッドＰＤ７ｄとを別々に設けた場合と比べて、パッドの数を１つ減らすことができる。これにより、コイルＣＬ５ｃ，ＣＬ６ｃ，ＣＬ５ｄ，ＣＬ６ｄおよびパッドＰＤ５ｃ，ＰＤ６ｃ，ＰＤ７ｅ，ＰＤ５ｄ，ＰＤ６ｄをレイアウトするのに要する面積を縮小することができる。
【０２９８】
また、図２８のレイアウトでは、コイルＣＬ５ｃ，ＣＬ６ｃ，ＣＬ５ｄ，ＣＬ６ｄおよびパッドＰＤ５ｃ，ＰＤ６ｃ，ＰＤ５ｄ，ＰＤ６ｄ，ＰＤ７ｅをレイアウトするのに要する領域のＸ方向の寸法を、小さくすることができ、例えば、コイルＣＬ５ｃ，ＣＬ６ｃ，ＣＬ５ｄ，ＣＬ６ｄのそれぞれのＸ方向の寸法の合計と同程度にすることができる。このため、半導体チップＣＰ１全体の設計をするうえで、コイルＣＬ５ｃ，ＣＬ６ｃ，ＣＬ５ｄ，ＣＬ６ｄおよびパッドＰＤ５ｃ，ＰＤ６ｃ，ＰＤ５ｄ，ＰＤ６ｄ，ＰＤ７ｅをレイアウトするのに要する領域のＸ方向の寸法を小さくしたい場合に、有利である。
【０２９９】
また、図２８のレイアウトでは、パッドＰＤ５ｃ，ＰＤ６ｃ，ＰＤ５ｄ，ＰＤ６ｄ，ＰＤ７ｅにそれぞれボンディングワイヤのような接続用部材を接続する場合、パッドＰＤ６ｃに接続するボンディングワイヤとパッドＰＤ５ｄに接続するボンディングワイヤとの間に、パッドＰＤ７ｅに接続するボンディングワイヤが位置することになる。このパッドＰＤ７ｅが、パッドＰＤ６ｃ，ＰＤ５ｄが並んだ位置からＹ方向にずれているため、パッドＰＤ６ｃに接続するボンディングワイヤと、パッドＰＤ７ｅに接続するボンディングワイヤと、パッドＰＤ５ｄに接続するボンディングワイヤとが、互いに接触するのを防止しやすくなる。
【０３００】
また、パッドＰＤ７ｅをコイルＣＬ６ｃとコイルＣＬ５ｄとの間からＹ方向にずれた位置に配置したことにより、コイルＣＬ５ｃとコイルＣＬ６ｃとの間からパッドＰＤ７ｅまで延在する部分の引出配線ＨＷ１ｅの延在距離と、コイルＣＬ５ｄとコイルＣＬ６ｄとの間からパッドＰＤ７ｅまで延在する部分の引出配線ＨＷ１ｅの延在距離とを、ほぼ同じにすることができる。このため、パッドＰＤ７ｅをコイルＣＬ５ｃとコイルＣＬ６ｃとの間に電気的に接続するまでの引出配線ＨＷ１ｅの抵抗成分と、パッドＰＤ７ｅをコイルＣＬ５ｄとコイルＣＬ６ｄとの間に電気的に接続するまでの引出配線ＨＷ１ｅの抵抗成分とを、概ね同程度としやすいため、２つのチャンネルのバランスがよくなる。
【０３０１】
次に、図２９のレイアウトについて、説明する。
【０３０２】
図２９のレイアウトは、図２８のレイアウトの変形例である。
【０３０３】
図２９のレイアウトが上記図２８のレイアウトと主として相違しているのは、パッドＰＤ７ｅの配置位置であるので、ここでは、パッドＰＤ７ｅ以外についての説明は省略する。
【０３０４】
上記図２８の場合は、Ｘ方向に４つ並んだコイルＣＬ５ｃ，ＣＬ６ｃ，ＣＬ５ｄ，ＣＬ６ｄのうち、中央側の２つのコイルであるコイルＣＬ６ｃとコイルＣＬ５ｄとの間の位置から、Ｙ方向にずれた位置にパッドＰＤ７ｅを配置していた。このため、上記図２８のレイアウトの場合、Ｙ方向へのずれを無視すると、コイルＣＬ５ｃ，ＣＬ６ｃ，ＣＬ５ｄ，ＣＬ６ｄの並びのほぼ中央にパッドＰＤ７ｅが位置することになる（実際にはパッドＰＤ７ｅはコイルＣＬ５ｃ，ＣＬ６ｃ，ＣＬ５ｄ，ＣＬ６ｄの並びからＹ方向にずれている）。
【０３０５】
一方、図２９のレイアウトの場合は、Ｘ方向に４つ並んだコイルＣＬ５ｃ，ＣＬ６ｃ，ＣＬ５ｄ，ＣＬ６ｄからＹ方向にずれた位置にパッドＰＤ７ｅが配置されている点は、上記図２８のレイアウトと共通であるが、パッドＰＤ７ｅのＸ方向の位置が上記図２８のレイアウトと相違している。すなわち、Ｙ方向へのずれを無視すると、上記図２８のレイアウトの場合、パッドＰＤ７ｅは、コイルＣＬ５ｃ，ＣＬ６ｃ，ＣＬ５ｄ，ＣＬ６ｄの並びのほぼ中央に位置していたが、図２９の場合は、パッドＰＤ７ｅは、コイルＣＬ５ｃ，ＣＬ６ｃ，ＣＬ５ｄ，ＣＬ６ｄの並びの中央からずれている。例えば、パッドＰＤ５ｃ，ＰＤ６ｃ，ＰＤ５ｄ，ＰＤ６ｄのいずれかの位置からＹ方向にずれた位置、コイルＣＬ５ｃとコイルＣＬ６ｃとの間の位置からＹ方向にずれた位置、あるいは、コイルＣＬ５ｄとコイルＣＬ６ｄとの間の位置からＹ方向にずれた位置などに、パッドＰＤ７ｅを配置することができる。
【０３０６】
図２９の場合、コイルＣＬ５ｃとコイルＣＬ６ｃとの間に電気的に接続するパッドと、コイルＣＬ５ｄとコイルＣＬ６ｄとの間に電気的に接続するパッドとを、共通のパッドＰＤ７ｅとしたことで、上記図２２の場合のようにパッドＰＤ７ｃとパッドＰＤ７ｄとを別々に設けた場合と比べて、パッドの数を１つ減らすことができる。これにより、コイルＣＬ５ｃ，ＣＬ６ｃ，ＣＬ５ｄ，ＣＬ６ｄおよびパッドＰＤ５ｃ，ＰＤ６ｃ，ＰＤ７ｅ，ＰＤ５ｄ，ＰＤ６ｄをレイアウトするのに要する面積を縮小することができる。
【０３０７】
また、図２９のレイアウトでは、コイルＣＬ５ｃ，ＣＬ６ｃ，ＣＬ５ｄ，ＣＬ６ｄおよびパッドＰＤ５ｃ，ＰＤ６ｃ，ＰＤ５ｄ，ＰＤ６ｄ，ＰＤ７ｅをレイアウトするのに要する領域のＸ方向の寸法を、小さくすることができ、例えば、コイルＣＬ５ｃ，ＣＬ６ｃ，ＣＬ５ｄ，ＣＬ６ｄのそれぞれのＸ方向の寸法の合計と同程度にすることができる。このため、半導体チップＣＰ１全体の設計をするうえで、コイルＣＬ５ｃ，ＣＬ６ｃ，ＣＬ５ｄ，ＣＬ６ｄおよびパッドＰＤ５ｃ，ＰＤ６ｃ，ＰＤ５ｄ，ＰＤ６ｄ，ＰＤ７ｅをレイアウトするのに要する領域のＸ方向の寸法を小さくしたい場合に、有利である。
【０３０８】
次に、図３０のレイアウトについて、説明する。
【０３０９】
これまでに説明したコイルＣＬ５，ＣＬ５ｃ，ＣＬ５ｄ，ＣＬ６，ＣＬ６ｃ，ＣＬ６ｄ，ＣＬ７，ＣＬ８は、八角形に周回するコイル配線により形成した場合を図示していたが、他の形態として、これらのコイルＣＬ５，ＣＬ５ｃ，ＣＬ５ｄ，ＣＬ６，ＣＬ６ｃ，ＣＬ６ｄ，ＣＬ７，ＣＬ８（を構成するコイル配線）の形状は、八角形以外とすることもできる。その一例を図３０に、更に他の一例を図３１に示している。
【０３１０】
図３０は、上記図１４（第１変形例）において、コイルＣＬ５，ＣＬ６（コイル配線ＣＷ５，ＣＷ６）の形状（周回形状）を八角形以外とした場合を模式的に示したものである。図３０にも示されるように、コイルＣＬ５（コイル配線ＣＷ５）とコイルＣＬ６（コイル配線ＣＷ６）とは、対称性を保つことができるのであれば、円形、四角形、八角形、あるいはそれ以外の形状などを用いることができる。
【０３１１】
図３１は、上記図５において、コイルＣＬ５，ＣＬ６（コイル配線ＣＷ５，ＣＷ６）の形状を八角形以外とした場合を模式的に示したものである。図３１にも示されるように、コイルＣＬ５（コイル配線ＣＷ５）とコイルＣＬ６（コイル配線ＣＷ６）とは、対称性を保つことができるのであれば、円形、四角形、八角形、あるいはそれ以外の形状などを用いることができる。
【０３１２】
なお、直列に接続されたコイルＣＬ５とコイルＣＬ６とは、自己インダクタンスが互いに同じであることが好ましい。このため、平面視において、コイルＣＬ５（コイル配線ＣＷ５）とコイルＣＬ６（コイル配線ＣＷ６）とは、点対称（コイルＣＬ５とコイルＣＬ６との間の中央の点に対して点対称）のパターン（形状）であることが好ましい。また、直列に接続されたコイルＣＬ７とコイルＣＬ８とは、自己インダクタンスが互いに同じであることが好ましい。このため、平面視において、コイルＣＬ７（コイル配線ＣＷ７）とコイルＣＬ８（コイル配線ＣＷ８）とは、点対称（コイルＣＬ７とコイルＣＬ８との間の中央の点に対して点対称）のパターン（形状）であることが好ましい。また、コイルＣＬ５の直下の上記コイルＣＬ７（コイル配線ＣＷ７）は、コイルＣＬ５（コイル配線ＣＷ５）と同パターンであることが好ましく、コイルＣＬ６の直下の上記コイルＣＬ８（コイル配線ＣＷ８）は、コイルＣＬ６（コイル配線ＣＷ６）と同パターンであることが好ましい。また、パッドＰＤ７は、直列に接続されたコイルＣＬ５とコイルＣＬ６との間の中央に電気的に接続されていることが、好ましい。
【０３１３】
（実施の形態３）
本実施の形態３は、上述のような電磁誘導を用いた信号伝達用のコイル（ＣＬ５，ＣＬ６，ＣＬ７，ＣＬ８に相当するコイル）を形成した半導体チップにおける内部配線について工夫したものである。
【０３１４】
上記実施の形態１で説明したように、上記図５〜図９のコイルＣＬ５，ＣＬ６とコイルＣＬ７，ＣＬ８とがそれぞれ磁気的に結合し、一次側のコイルＣＬ７，ＣＬ８に電流を流すと、その電流の電化に応じて二次側のコイルＣＬ５，ＣＬ６に誘導起電力が発生して誘導電流が流れることを利用して、コイルＣＬ５，ＣＬ６，ＣＬ７，ＣＬ８を介して信号を伝達することができる。つまり、電磁誘導を利用することで、コイルＣＬ５，ＣＬ６，ＣＬ７，ＣＬ８を介して信号を伝達することができる。このため、コイルが磁束（磁界）を発生させることを考慮して、半導体チップの内部配線を設計することが好ましい。
【０３１５】
コイルＣＬ５，ＣＬ６，ＣＬ７，ＣＬ８を内蔵する半導体チップについて、半導体チップＣＰ１の内部配線（上記配線Ｍ１〜Ｍ５に相当する配線）のレイアウトを設計する場合、コイルＣＬ５，ＣＬ６，ＣＬ７，ＣＬ８と平面視で重なる位置には内部配線を配置しないことが、特性上は望ましい。これは、一次側のコイルＣＬ７，ＣＬ８に電流を流したり、二次側のコイルＣＬ５，ＣＬ６に誘導電流が流れたりすると、コイルＣＬ５，ＣＬ６，ＣＬ７，ＣＬ８を貫くように磁束が発生するが、コイルＣＬ５，ＣＬ６，ＣＬ７，ＣＬ８と平面視で重なる位置に内部配線があると、その内部配線はこの磁束の影響を受けてしまうためである。具体的には、磁束の影響で内部配線に渦電流が発生してしまい、この渦電流が、内部配線に正常に電流が流れることを阻害し、配線抵抗の増大などを招いてしまう。
【０３１６】
このため、コイルＣＬ５，ＣＬ６，ＣＬ７，ＣＬ８と平面視で重なる位置には内部配線を配置しないように半導体チップの設計を行おうとすると、コイルＣＬ５，ＣＬ６，ＣＬ７，ＣＬ８と平面視で重なる領域は、内部配線の設置禁止領域となってしまうため、内部配線のレイアウトが行いにくくなり、また、半導体チップの面積の増大を招いてしまう。このため、設計上、コイルＣＬ５，ＣＬ６，ＣＬ７，ＣＬ８と平面視で重なる位置に内部配線を配置したい場合があり、そのような場合に、コイルＣＬ５，ＣＬ６，ＣＬ７，ＣＬ８による磁束の影響が内部配線でできるだけ生じないようにする技術について検討を行った。
【０３１７】
その結果、半導体チップにおいて、コイルＣＬ５，ＣＬ６，ＣＬ７，ＣＬ８と平面視で重なる位置に内部配線を配置する場合には、その内部配線にスリットを設けておくことが有効であることが分かった。スリットを設けることにより、全体の配線幅は変わらずに、スリットに挟まれた部分の配線幅が小さくなることで、コイルＣＬ５，ＣＬ６，ＣＬ７，ＣＬ８により生じた磁束による渦電流が発生しにくくなる。これは、配線を磁束が貫くとその配線に渦電流が発生するが、渦電流が発生しやすいのは配線の幅が大きい（広い）場合であり、配線の幅を小さく（狭く）するほど渦電流は発生しにくくなるためである。
【０３１８】
以下、図面を参照して具体的に説明する。
【０３１９】
図３２〜図３４は、本実施の形態３の半導体チップ（半導体装置）の要部平面図であり、図３５はその要部断面図であり、図３６は、その要部斜視図である。このうち、図３２は、上記実施の形態１の上記図５に対応するものであり、図３３は、上記実施の形態１の上記図６に対応するものである（但し図３２および図３３ではハッチングは付していない）。
【０３２０】
なお、図３２と図３３と図３４とは、半導体チップにおける同じ平面領域が示されているが、層が異なっており、図３３は図３２よりも下層が示され、図３４は図３３よりも下層が示されている。具体的には、図３２には、半導体チップに形成された上記トランスＴＲ１の二次側のコイル（コイルＣＬ５，ＣＬ６）が示され、図３３には、半導体チップに形成された上記トランスＴＲ１の一次側のコイル（コイルＣＬ７，ＣＬ８）が示され、図３４には、半導体チップＣＰ１に形成された上記トランスＴＲ１用のコイルに平面視で重なるように延在する配線ＷＲ１が示されている。また、図３２〜図３４のＡ１−Ａ１線での断面図が図３５に対応している。また、図３６には、コイル配線ＣＷ６と配線ＷＲ１との交差領域が示されている。
【０３２１】
また、図３２および図３３では、配線ＷＲ１の位置が分かりやすいように、配線ＷＲ１の外形（外周）の位置を二点鎖線で示してある。また、図３４では、コイルの位置が分かりやすいように、図３２のコイルＣＬ５，ＣＬ６の外形（外周）の位置を点線で示してある。平面視において、コイルＣＬ５，ＣＬ６の外形（外周）の位置とコイルＣＬ７，ＣＬ８の外形（外周）の位置とは実質的に一致しているため、図３４の点線は、図３３のコイルＣＬ７，ＣＬ８の外形（外周）の位置とみなすこともできる。また、図３３において、上記引出配線ＨＷ２，ＨＷ３については図示を省略してある。
【０３２２】
図３２〜図３６に示されるコイルＣＬ５（コイル配線ＣＷ５）、コイルＣＬ６（コイル配線ＣＷ６）、コイルＣＬ７（コイル配線ＣＷ７）、コイルＣＬ８（コイル配線ＣＷ８）、パッドＰＤ５，ＰＤ６，ＰＤ７、引出配線ＨＷ１および接続配線ＨＷ４については、上記実施の形態１で説明したので、ここではその繰り返しの説明は省略する。つまり、図３２〜図３６の構造が上記図５〜図１０の構造と相違しているのは、配線ＷＲ１が形成されていることであるため、以下では、主としての配線ＷＲ１について説明する。
【０３２３】
図３２〜図３６に示されるように、配線ＷＲ１が、コイルＣＬ６と平面視で重なる位置に形成されている。この配線ＷＲ１は、コイルＣＬ５，ＣＬ６とは異なる層で、かつコイルＣＬ７，ＣＬ８とも異なる層に、形成されている。すなわち、コイルＣＬ５，ＣＬ６とコイルＣＬ７，ＣＬ８のどちらとも異なる層に配線ＷＲ１が延在しており、この配線ＷＲ１の一部が、コイルＣＬ６と平面視で重なっている。
【０３２４】
配線ＷＲ１は、コイルＣＬ５，ＣＬ６とコイルＣＬ７，ＣＬ８のどちらとも異なる層に形成されているため、配線ＷＲ１が邪魔になることなく、コイルＣＬ５，ＣＬ６，ＣＬ７，ＣＬ８を形成することができる。また、上記図３または上記図４の構造を適用する場合、配線ＷＲ１は、コイルＣＬ１ａおよびコイルＣＬ２ａとは異なる層に形成され、かつ、上記配線Ｍ１〜Ｍ５のいずれかにより形成することができる。
【０３２５】
なお、一次コイルは二次コイルの直下に形成されているため、ある配線が二次コイルと平面視で重なっている場合は、その配線は一次コイルとも平面視で重なっている。具体的には、コイルＣＬ７は、コイルＣＬ５の直下に形成されているため、配線ＷＲ１がコイルＣＬ５と平面視で重なっている場合は、その配線ＷＲ１はコイルＣＬ７とも平面視で重なっていることになる。また、コイルＣＬ８は、コイルＣＬ６の直下に形成されているため、配線ＷＲ１がコイルＣＬ６と平面視で重なっている場合は、その配線ＷＲ１はコイルＣＬ８とも平面視で重なっていることになる。このため、コイルＣＬ６と平面視で重なる配線ＷＲ１は、必然的に、コイルＣＬ８と平面視で重なっていることになる。
【０３２６】
なお、コイルと平面視で重なる位置または領域とは、そのコイルを構成するコイル配線が周回している領域に平面視で重なる位置または領域だけでなく、そのコイルの渦の内側の領域と平面視で重なる位置または領域も含むものとする。このため、例えば、コイルＣＬ６に重なる位置または領域とは、コイル配線ＣＷ６が周回している領域に平面視で重なる位置または領域だけでなく、そのコイルＣＬ６の渦の内側の領域（すなわちパッドＰＤ６が配置されている領域）と平面視で重なる位置または領域も含んでいる。
【０３２７】
図３２〜図３６に示されるように、配線ＷＲ１は、コイルＣＬ６に平面視で重なるように延在しているが、コイルＣＬ６と平面視で重なる位置にスリット（開口部）ＳＬを有している。配線ＷＲ１において、スリットＳＬは、少なくとも１つ、好ましくは複数形成されており、各スリットＳＬは、配線ＷＲ１の延在方向に沿って形成されている。すなわち、配線ＷＲ１におけるスリットＳＬの延在方向は、その配線ＷＲ１の延在方向と一致している。スリットＳＬは、配線ＷＲ１の延在方向に沿った方向の寸法が、配線ＷＲ１の配線幅方向に沿った方向の寸法よりも大きい。スリットＳＬは、配線ＷＲ１の上面から下面まで貫通している開口部である。
【０３２８】
配線ＷＲ１は、全体の配線幅（幅）はＷ３であるが、スリットＳＬを形成したことで、スリットＳＬで区分け（分割）された配線部ＷＲ１ａの幅Ｗ４は、配線幅（幅）Ｗ３よりも小さくなる（すなわちＷ４＜Ｗ３）。すなわち、コイルＣＬ６と平面視で重なる領域では、配線ＷＲ１の延在方向に幅Ｗ４で延在する配線部ＷＲ１ａが、スリットＳＬを間に介して複数並んだ状態になっている。この配線部ＷＲ１ａ同士は、配線ＷＲ１におけるスリットＳＬが形成されていない箇所で連結されるため、互いに電気的に接続されている。
【０３２９】
本実施の形態とは異なり、もしも配線ＷＲ１にスリットＳＬが形成されていない場合、配線ＷＲ１がコイルＣＬ６に平面視で重なっていることから、コイルＣＬ６，ＣＬ８によって生じる磁束の影響で、配線ＷＲ１に渦電流が発生しやすくなる。渦電流が配線ＷＲ１に発生すると、配線ＷＲ１において、配線ＷＲ１の延在方向に正常に電流が流れることが阻害される虞がある。
【０３３０】
それに対して、本実施の形態３では、コイルＣＬ６に平面視で重なるように延在している配線ＷＲ１は、コイルＣＬ６と平面視で重なる位置にスリットＳＬを有している。このため、コイルＣＬ６と平面視で重なる位置において、配線ＷＲ１は、全体の配線幅Ｗ１よりも小さな幅Ｗ２を有する配線部ＷＲ１ａにスリットＳＬで区分けされている。個々の渦電流はスリットＳＬを挟んだ複数の配線部ＷＲ１ａに跨っては発生しないため、もしも渦電流が生じるのであれば、単独の配線部ＷＲ１ａ内に発生しなければならない。しかしながら、配線ＷＲ１にスリットＳＬを設けたことで、配線部ＷＲ１ａの幅が小さく（狭く）なっているため、配線部ＷＲ１ａを貫く磁束が発生しても、配線部ＷＲ１ａに渦電流は発生しにくくなる。すなわち、コイルＣＬ６に平面視で重なるように延在する配線ＷＲ１において、コイルＣＬ６と平面視で重なる領域では、配線ＷＲ１にスリットＳＬを設けることで、配線ＷＲ１をスリットＳＬで複数の配線部ＷＲ１ａに区分け（分割）し、幅が小さくなった配線部ＷＲ１ａで渦電流が発生しにくくなるようにしている。
【０３３１】
なお、ここでは、配線ＷＲ１がコイルＣＬ６と平面視で重なる場合について図示および説明したが、配線ＷＲ１がコイルＣＬ５と平面視で重なる場合や、コイルＣＬ５とコイルＣＬ６の両方と平面視で重なる場合も同様である。
【０３３２】
すなわち、配線ＷＲ１がコイルＣＬ５に平面視で重なるように延在している場合は、配線ＷＲ１は、コイルＣＬ５と平面視で重なる位置（領域）にスリットＳＬを有したものとされる。また、配線ＷＲ１がコイルＣＬ６に平面視で重なるように延在している場合は、配線ＷＲ１は、コイルＣＬ６と平面視で重なる位置（領域）にスリットＳＬを有したものとされる。また、配線ＷＲ１がコイルＣＬ５とコイルＣＬ６の両方に平面視で重なるように延在している場合（後述の図３７の配線ＷＲ１に対応）は、配線ＷＲ１は、コイルＣＬ５に平面視で重なる位置（領域）とコイルＣＬ６に平面視で重なる位置（領域）とにスリットＳＬを有したものとされる。つまり、半導体チップにおいて、コイルＣＬ５，ＣＬ６の一方または両方に平面視で重なるように延在する配線ＷＲ１を設ける場合、この配線ＷＲ１において、コイルＣＬ５，ＣＬ６との重なり領域にスリットＳＬを設けておくのである。なお、コイルＣＬ５，ＣＬ６の直下にコイルＣＬ７，ＣＬ８が配置されているため、配線ＷＲ１において、コイルＣＬ５，ＣＬ６に平面視で重なっている領域（位置）と、コイルＣＬ７，ＣＬ８に平面視で重なっている領域（位置）とは一致している。
【０３３３】
従って、本実施の形態３では、半導体チップにおいて、コイルＣＬ５，ＣＬ６，ＣＬ７，ＣＬ８のいずれかに平面視で重なるように延在する内部配線（但しコイルＣＬ５，ＣＬ６，ＣＬ７，ＣＬ８とは異なる層の内部配線）について、コイルＣＬ５，ＣＬ６，ＣＬ７，ＣＬ８のいずれかに平面視で重なっている領域（位置）には、スリットＳＬを設けるのである。
【０３３４】
このため、本実施の形態３では、配線ＷＲ１がコイルＣＬ５，ＣＬ６の一方または両方に平面視で重なるように延在し、コイルＣＬ５，ＣＬ６，ＣＬ７，ＣＬ８によって生じる磁束がこの配線ＷＲ１に影響したとしても、配線ＷＲ１において、コイルＣＬ５，ＣＬ６と平面視で重なる位置にスリットＳＬを設けたことで、配線ＷＲ１に渦電流が発生するのを抑制または防止できる。これにより、コイルＣＬ５，ＣＬ６，ＣＬ７，ＣＬ８による磁束に起因した渦電流が配線ＷＲ１に正常に電流が流れることを阻害するのを抑制または防止することができる。このため、配線抵抗の増大などを抑制または防止することができる。従って、半導体チップの性能を向上させることができる。
【０３３５】
また、半導体チップにおいて、磁気結合したコイルＣＬ５，コイルＣＬ７は設けるが、コイルＣＬ６，ＣＬ８は設けない場合は、そのコイルＣＬ５，ＣＬ７に平面視で重なる配線（但しコイルＣＬ５，ＣＬ７とは異なる層の配線）において、コイルＣＬ５，ＣＬ７に平面視で重なっている領域（位置）にスリットＳＬを形成すればよい。
【０３３６】
また、本実施の形態３とは異なり、コイルと平面視で重なる領域において、配線ＷＲ１にスリットＳＬを形成するのではなく、配線ＷＲ１の全体の幅（配線幅Ｗ３に相当する幅）を小さくすることも考えられるが、この場合、全体の幅を小さくしたことに伴う配線抵抗（インピーダンス）の増大につながってしまう。
【０３３７】
それに対して、本実施の形態３では、コイルと平面視で重なる領域において、配線ＷＲ１の全体の幅（配線幅Ｗ３に相当する幅）を小さくするのではなく、配線ＷＲ１にスリットＳＬを設けることにより、スリットＳＬで区分けされた配線部ＷＲ１ａの幅Ｗ４を配線ＷＲ１全体の配線幅Ｗ３よりも小さくする（すなわちＷ４＜Ｗ３）。スリットＳＬで区分けされた配線部ＷＲ１ａの幅Ｗ４が小さいことで、その配線部ＷＲ１ａを磁束が貫いたとしても、渦電流は発生しにくくなる。また、スリットＳＬで区分けされた配線部ＷＲ１ａの幅Ｗ４は小さくとも、その配線部ＷＲ１ａが複数あり、スリットＳＬが形成されていない領域で複数の配線部ＷＲ１ａ同士が繋がっているため、配線部ＷＲ１ａの幅Ｗ４を小さくしても、配線ＷＲ１の配線抵抗（インピーダンス）の増大を抑制することができる。
【０３３８】
また、本実施の形態３では、半導体チップにおいて、コイルＣＬ５，ＣＬ６，ＣＬ７，ＣＬ８と平面視で重なる領域にも、内部配線を配置できるため、内部配線のレイアウト設計が行いやすくなる。また、半導体チップの小型化（小面積化）を図ることができる。
【０３３９】
また、本実施の形態３では、コイルＣＬ５，ＣＬ６に平面視で重なるように延在する配線ＷＲ１において、コイルＣＬ５，ＣＬ６に平面視で重なっている領域（位置）には、スリットＳＬを形成しているが、これは、コイルＣＬ５，ＣＬ６，ＣＬ７，ＣＬ８により生じた磁束（磁界）による影響を最も受けやすいのは、コイルＣＬ５，ＣＬ６に平面視で重なる領域だからである。しかしながら、コイルＣＬ５，ＣＬ６，ＣＬ７，ＣＬ８に平面視で重なっている領域から離れていても、コイルＣＬ５，ＣＬ６，ＣＬ７，ＣＬ８により生じた磁束（磁界）による影響を受ける領域までは、配線ＷＲ１においてスリットＳＬを延在させておくことが好ましい。これにより、コイルＣＬ５，ＣＬ６，ＣＬ７，ＣＬ８により生じた磁束（磁界）により配線ＷＲ１に渦電流が生じるのを、より的確に抑制または防止できる。一方、配線ＷＲ１において、コイルＣＬ５，ＣＬ６，ＣＬ７，ＣＬ８により生じた磁束（磁界）による影響を受けない領域には、スリットＳＬを形成しないことが好ましく、これにより配線ＷＲ１の配線抵抗（インピーダンス）を低減することができる。このため、配線ＷＲ１において、コイルＣＬ５，ＣＬ６，ＣＬ７，ＣＬ８に平面視で重なっている領域にスリットＳＬが延在し、そのスリットＳＬは、コイルＣＬ５，ＣＬ６，ＣＬ７，ＣＬ８に平面視で重なっている領域から若干離れた領域で終端していることが好ましい。つまり、配線ＷＲ１において、スリットＳＬの端部（スリットが延在する方向の端部）は、コイルＣＬ５，ＣＬ６，ＣＬ７，ＣＬ８に平面視で重なっていない領域に位置していることが好ましい。
【０３４０】
また、配線ＷＲ１は、一次コイル（コイルＣＬ７，ＣＬ８）と二次コイル（コイルＣＬ５，ＣＬ６）のどちらとも異なる層に形成する。このとき、配線ＷＲ１を一次コイル（コイルＣＬ７，ＣＬ８）と二次コイル（コイルＣＬ５，ＣＬ６）の間の層に形成する場合と、配線ＷＲ１を一次コイル（コイルＣＬ７，ＣＬ８）と二次コイル（コイルＣＬ５，ＣＬ６）の両方よりも下層に形成する場合と、配線ＷＲ１を一次コイル（コイルＣＬ７，ＣＬ８）と二次コイル（コイルＣＬ５，ＣＬ６）の両方よりも上層に形成する場合とがあり得る。これら３つの場合のいずれも可能であるが、このうち、配線ＷＲ１を一次コイル（コイルＣＬ７，ＣＬ８）と二次コイル（コイルＣＬ５，ＣＬ６）の両方よりも下層に形成する場合が最も好ましい。
【０３４１】
配線ＷＲ１を一次コイル（コイルＣＬ７，ＣＬ８）と二次コイル（コイルＣＬ５，ＣＬ６）の両方よりも上層に形成する場合は、二次コイル（コイルＣＬ５，ＣＬ６）を配線ＷＲ１よりも下層に形成することになり、二次コイル（コイルＣＬ５，ＣＬ６）をパッド（ＰＤ５、ＰＤ６，ＰＤ７）に接続しにくくなる。また、配線ＷＲ１を一次コイル（コイルＣＬ７，ＣＬ８）と二次コイル（コイルＣＬ５，ＣＬ６）との間の層に形成する場合は、一次コイル（コイルＣＬ７，ＣＬ８）と二次コイル（コイルＣＬ５，ＣＬ６）との間の耐圧よりも、二次コイル（コイルＣＬ５，ＣＬ６）と配線ＷＲ１との間の耐圧が小さくなるため、耐圧低下の懸念がある。それに対して、配線ＷＲ１を、一次コイル（コイルＣＬ７，ＣＬ８）と二次コイル（コイルＣＬ５，ＣＬ６）の両方よりも下層に形成する場合は、二次コイル（コイルＣＬ５，ＣＬ６）をパッド（ＰＤ５、ＰＤ６，ＰＤ７）に接続しやすく、配線ＷＲ１もレイアウトしやすく、また、耐圧向上の点でも有利である。
【０３４２】
図３７は、半導体チップＣＰ１における内部配線の他の例を示す要部平面図であり、上記図３４に対応するものである。図３７には、コイルＣＬ５，ＣＬ６，ＣＬ７，ＣＬ８を形成した領域の近傍に配置された内部配線である配線ＷＲ１および配線ＷＲ２が示されており、コイルの位置が分かりやすいように、上記図３２のコイルＣＬ５，ＣＬ６の外形（外周）の位置を点線で示してある。
【０３４３】
配線ＷＲ１，ＷＲ２は、コイルＣＬ５，ＣＬ６とは異なる層で、かつコイルＣＬ７，ＣＬ８とも異なる層に形成されているが、配線ＷＲ１はコイルＣＬ５，ＣＬ６と平面視で重なるように延在しており、一方、配線ＷＲ２は、平面視でコイルＣＬ５，ＣＬ６のどちらにも重なっていない。
【０３４４】
本実施の形態３では、半導体チップにおいて、コイルＣＬ５，ＣＬ６，ＣＬ７，ＣＬ８と平面視で重なる領域は、内部配線の設置禁止領域とはしていない。このため、コイルＣＬ５，ＣＬ６，ＣＬ７，ＣＬ８を含む半導体チップにおいては、図３７に示されるように、コイルＣＬ５，ＣＬ６，ＣＬ７，ＣＬ８のいずれかと平面視で重なるように延在する配線ＷＲ１と、コイルＣＬ５，ＣＬ６，ＣＬ７，ＣＬ８のいずれとも平面視で重ならない配線ＷＲ２とがある。このうち、コイルＣＬ５，ＣＬ６，ＣＬ７，ＣＬ８のいずれかと平面視で重なるように延在する配線ＷＲ１については、そのコイルと平面視で重なる位置（領域）にスリットＳＬを設ける。一方、コイルＣＬ５，ＣＬ６，ＣＬ７，ＣＬ８のいずれとも平面視で重ならない配線ＷＲ２については、そのようなスリットＳＬは形成しない。
【０３４５】
これにより、コイルに重なっていることでそのコイルにより生じた磁束（磁界）の影響を受けやすい配線ＷＲ１については、スリットＳＬを設けたことで渦電流の発生を防止でき、一方、コイルに重ならないためコイルにより生じた磁束（磁界）の影響を受けにくい配線ＷＲ２については、スリットＳＬを設けないことで、配線抵抗を低減することができる。また、コイルＣＬ５，ＣＬ６，ＣＬ７，ＣＬ８と平面視で重なる領域を、内部配線の設置禁止領域にしないことで、半導体チップの小型化（小面積化）を図ることができる。従って、半導体チップの性能向上と半導体チップの小型化（小面積化）を両立させることができる。
【０３４６】
本実施の形態３の思想は、上記引出配線ＨＷ２，ＨＷ３に適用することもでき、これについて図３８を参照して説明する。
【０３４７】
図３８は、半導体チップの要部平面図であり、引出配線ＨＷ２，ＨＷ３が示されているが、コイルの位置が分かりやすいように、図３４や図３７と同様にコイルＣＬ５，ＣＬ６の外形（外周）の位置を点線で示してある。
【０３４８】
引出配線ＨＷ２は、コイルＣＬ７の内側（渦巻きの内側）の端部をコイルＣＬ７の外周よりも外側に引き出すための配線である。このため、引出配線ＨＷ２は、コイルＣＬ７と平面視で重なるように延在し、従って、コイルＣＬ５と平面視で重なるように延在している。また、引出配線ＨＷ３は、コイルＣＬ８の内側（渦巻きの内側）の端部をコイルＣＬ８の外周よりも外側に引き出すための配線である。このため、引出配線ＨＷ３は、コイルＣＬ８と平面視で重なるように延在し、従って、コイルＣＬ６と平面視で重なるように延在している。このため、引出配線ＨＷ２は、コイルＣＬ５，ＣＬ７により生じた磁束（磁界）の影響を受けやすく、引出配線ＨＷ３は、コイルＣＬ６，ＣＬ８により生じた磁束（磁界）の影響を受けやすい。
【０３４９】
そこで、本実施の形態３では、図３８に示されるように、引出配線ＨＷ２，ＨＷ３にスリットＳＬを設けている。すなわち、引出配線ＨＷ２において、コイルＣＬ５と平面視で重なる位置（従ってコイルＣＬ８と平面視で重なる位置）にスリットＳＬを設け、引出配線ＨＷ３において、コイルＣＬ６と平面視で重なる位置（従ってコイルＣＬ８と平面視で重なる位置）にスリットＳＬを設けている。これにより、コイルＣＬ５，ＣＬ６，ＣＬ７，ＣＬ８によって生じる磁束が引出配線ＨＷ２，ＨＷ３に影響したとしても、引出配線ＨＷ２，ＨＷ３に渦電流が発生するのを抑制または防止できる。各引出配線ＨＷ２，ＨＷ３において、スリットＳＬは、少なくとも１つ、好ましくは複数形成することができ、各スリットＳＬは各引出配線ＨＷ２，ＨＷ３の延在方向に沿って形成することができる。
【０３５０】
また、本実施の形態３は、これまで説明したコイルのいずれにも適用することができる。すなわち、図５〜図１０の場合、図１２および図１３の場合、図１４および図１５の場合、図２１の場合、図２２の場合、図２３の場合、図２４の場合、図２５の場合、図２６の場合、図２７の場合、図２８の場合、図２９の場合、図３０の場合、図３１の場合、図３２〜図３５の場合、図３７の場合、および図３８の場合などの、いずれに対しても適用することができる。つまり、これら各場合において、コイルに平面視で重なるように延在する配線を設けることができるが、その配線については、コイルと平面視で重なる位置にスリットを設けておくのである。一例として、上記図１２および図１３の第１検討例に本実施の形態３の技術思想を適用した場合を、図３９〜図４１を参照して説明する。
【０３５１】
図３９〜図４１は、図１２および図１３の第１検討例に本実施の形態３の技術思想を適用した場合の平面図である。このうち、図３９は、上記図１２と同様のパターンに、配線ＷＲ１の位置を二点鎖線で示したものに対応し、図４０は、上記図１３と同様のパターンに、配線ＷＲ１の位置を二点鎖線で示したものに対応している。また、図４１は、配線ＷＲ１が示されているが、コイルの位置が分かりやすいように、上記図１２や図３９のコイルＣＬ１０５，ＣＬ１０６の外形（外周）の位置を、図４１では点線で示してある。
【０３５２】
図３９〜図４１に示されるコイルＣＬ１０５，ＣＬ１０６，ＣＬ１０７，ＣＬ１０８、パッドＰＤ１０５，ＰＤ１０６，ＰＤ１０７および接続配線ＨＷ１０４については、上記図１２および図１３を参照して説明したので、ここではその繰り返しの説明は省略する。つまり、図３９〜図４１の構造が上記図１２および図１３の構造と相違しているのは、配線ＷＲ１が形成されていることである。
【０３５３】
図１２および図１３の第１検討例の場合も、本実施の形態３を適用し、図３９〜図４１に示されるように、コイルＣＬ１０５，ＣＬ１０６の一方または両方と平面視で重なるように延在する配線ＷＲ１を設けることで、内部配線のレイアウト設計が行いやすくなり、また、半導体チップの小型化（小面積化）を図ることができる。そして、コイルＣＬ１０５，ＣＬ１０６の一方または両方と平面視で重なるように延在する配線ＷＲ１において、そのコイルＣＬ１０５，ＣＬ１０６と平面視で重なる位置にスリットＳＬを設けておくことで、コイルＣＬ１０５，ＣＬ１０６，ＣＬ１０７，ＣＬ１０８によって生じる磁束が配線ＷＲ１に影響したとしても、配線ＷＲ１に渦電流が発生するのを抑制または防止することができる。これにより、渦電流に起因した不具合を防止でき、半導体装置の性能向上を図ることができる。
【０３５４】
以上、本発明者によってなされた発明をその実施の形態に基づき具体的に説明したが、本発明は前記実施の形態に限定されるものではなく、その要旨を逸脱しない範囲で種々変更可能であることは言うまでもない。
【符号の説明】
【０３５５】
ＢＷ，ＢＷ８，ＢＷ９  ボンディングワイヤ
ＣＣ  制御回路
ＣＬ１ａ，ＣＬ１ｂ，ＣＬ２ａ，ＣＬ２ｂ  コイル
ＣＬ５，ＣＬ５ｃ，ＣＬ５ｄ，ＣＬ６，ＣＬ６ｃ，ＣＬ６ｄ，ＣＬ７，ＣＬ８  コイル
ＣＬ１０５，ＣＬ１０６，ＣＬ１０７，ＣＬ１０８  コイル
ＣＬ２０５，ＣＬ２０６，ＣＬ３０５，ＣＬ３０６  コイル
ＣＰ１，ＣＰ２  半導体チップ
ＣＷ５，ＣＷ６，ＣＷ７，ＣＷ８  コイル配線
ＤＢ  ダイボンド材
ＤＰ１，ＤＰ２  ダイパッド
ＤＲ  駆動回路
ＤＷ１，ＤＷ２，ＤＷ３，ＤＷ４  ダミー配線
ＧＥ１，ＧＥ２  ゲート電極
ＧＩ  ゲート絶縁膜
ＨＷ１，ＨＷ１ｃ，ＨＷ１ｄ，ＨＷ１ｅ，ＨＷ２，ＨＷ３  引出配線
ＨＷ４，ＨＷ１０４  接続配線
ＨＷ１０２，ＨＷ１０３  引出配線
ＩＬ  層間絶縁膜
Ｌ１  長さ
Ｌ２，Ｌ３，Ｌ２０１，Ｌ３０１  距離
ＬＤ  リード
ＬＯＤ  負荷
Ｍ１，Ｍ２，Ｍ３，Ｍ４，Ｍ５  配線
ＭＲ  封止樹脂部
ＮＲ  ｎ型半導体領域ＮＲ
ＮＷ  ｎ型ウエル
ＯＰ  開口部
ＰＡ１，ＰＡ２  保護膜
ＰＤ，ＰＤ５，ＰＤ５ａ，ＰＤ５ｂ，ＰＤ５ｃ，ＰＤ５ｄ  パッド
ＰＤ６，ＰＤ６ａ，ＰＤ６ｂ，６ｃ，６ｄ  パッド
ＰＤ７，ＰＤ７ａ，ＰＤ７ｂ，７ｃ，７ｄ，ＰＤ７ｅ  パッド
ＰＤ８，ＰＤ９，ＰＤ１０５，ＰＤ１０６，ＰＤ１０７  パッド
ＰＤ２０５，ＰＤ２０６，ＰＤ３０５，ＰＤ３０６  パッドパターン
ＰＫＧ  半導体パッケージ
ＰＲ  ｐ型半導体領域
ＰＷ  ｐ型ウエル
ＲＳ  樹脂膜
ＲＸ１，ＲＸ２  受信回路
ＳＢ１，ＳＢ２  半導体基板
ＳＣ１  角部
ＳＤ１  ｎ型半導体領域
ＳＤ２  ｐ型半導体領域
ＳＧ１，ＳＧ２，ＳＧ３，ＳＧ４  信号
ＳＨ１，ＳＨ２  辺
ＳＬ  スリット
ＴＲ１，ＴＲ２  トランス
ＴＸ１，ＴＸ２  送信回路
ＵＭ  下地金属膜
Ｖ１  プラグ
Ｖ２，Ｖ３，Ｖ４，Ｖ５  ビア部
Ｗ１，Ｗ３  配線幅
Ｗ２，Ｗ４  幅
ＷＲ１，ＷＲ２  配線
ＷＲ１ａ  配線部
【図１】
0006010633.tif 000002
【図２】
0006010633.tif 000003
【図３】
0006010633.tif 000004
【図４】
0006010633.tif 000005
【図５】
0006010633.tif 000006
【図６】
0006010633.tif 000007
【図７】
0006010633.tif 000008
【図８】
0006010633.tif 000009
【図９】
0006010633.tif 000010
【図１０】
0006010633.tif 000011
【図１１】
0006010633.tif 000012
【図１２】
0006010633.tif 000013
【図１３】
0006010633.tif 000014
【図１４】
0006010633.tif 000015
【図１５】
0006010633.tif 000016
【図１６】
0006010633.tif 000017
【図１７】
0006010633.tif 000018
【図１８】
0006010633.tif 000019
【図１９】
0006010633.tif 000020
【図２０】
0006010633.tif 000021
【図２１】
0006010633.tif 000022
【図２２】
0006010633.tif 000023
【図２３】
0006010633.tif 000024
【図２４】
0006010633.tif 000025
【図２５】
0006010633.tif 000026
【図２６】
0006010633.tif 000027
【図２７】
0006010633.tif 000028
【図２８】
0006010633.tif 000029
【図２９】
0006010633.tif 000030
【図３０】
0006010633.tif 000031
【図３１】
0006010633.tif 000032
【図３２】
0006010633.tif 000033
【図３３】
0006010633.tif 000034
【図３４】
0006010633.tif 000035
【図３５】
0006010633.tif 000036
【図３６】
0006010633.tif 000037
【図３７】
0006010633.tif 000038
【図３８】
0006010633.tif 000039
【図３９】
0006010633.tif 000040
【図４０】
0006010633.tif 000041
【図４１】
0006010633.tif 000042